(57)【要約】      （修正有）【課題】迅速な作用の発現を必要とする物質の経鼻投与方法または装置を提供する。【解決手段】ノーズピースユニット１７は、ハウジング１５のノーズピース開口に収まるように構成された本体部材と、被験者の鼻孔に収まるように本体部材から外に延びたノーズピースと、本体部材から内側に延び、被験者の鼻腔にもたらされるべき内容物を有するカプセルＣを収容するカプセル収容部材４９とを備え、カプセルＣは、粉末状の物質などの粒子状物質と、典型的には医薬物質とを収容するヒドロキシプロピルメチルセルロース（ＨＰＭＣ）カプセルである。他の実施形態においては、カプセルＣを、ヒドロキシプロピルセルロース、メチルセルロース、エチルセルロース、およびカルボキシメチルセルロースなどの別のセルロース誘導体で実質的に形成することができる。【選択図】図２（ｂ）
2020179191.tif 000002
【特許請求の範囲】
【請求項１】
患者を治療的に処置する方法またはそのための装置であって、
第１のステップにおける治療薬の投与、またはそのための手段と、
第２のステップにおける患者の鼻道の内部の位置への治療量の二酸化炭素またはｐＨ調節物質の少なくとも一方の配送、またはそのための手段と
を含んでおり、
前記第１のステップは、前記第２のステップの前、前記第２のステップの後、前記第２のステップの前後、および前記第２のステップと同時のうちの少なくとも１つにおいて実行される、方法または装置。
【請求項２】
前記第１のステップは、前記第２のステップの前に実行される、請求項１に記載の方法または装置。
【請求項３】
前記第１のステップは、前記第２のステップの後に実行される、請求項１に記載の方法または装置。
【請求項４】
前記第２のステップは、前記第１のステップの前および後の両方ならびに前記第１のステップと同時のうちの少なくとも１つにおいて実行される、請求項１に記載の方法または装置。
【請求項５】
前記位置は、鼻道の上後領域を含む、請求項１に記載の方法または装置。
【請求項６】
前記治療薬は、随意によりスマトリプタンであり、随意によりコハク酸スマトリプタンの形態であり、随意により粉末エアロゾルとして投与される、トリプタンを含む、請求項１に記載の方法または装置。
【請求項７】
前記治療薬は、３０ｍｇ以下、随意により２５ｍｇ以下、随意により２０ｍｇ以下の量にて、随意により毎日配送される、請求項６に記載の方法または装置。
【請求項８】
カプセルは、各々が７〜１５ｍｇ、随意により１０〜１２ｍｇ、随意により約１１ｍｇのフリーベースのスマトリプタンを含み、随意により各々が５〜１０ｍｇ、随意により６〜９ｍｇ、随意により７〜９ｍｇ、随意により約８ｍｇの平均投与量をもたらす、請求項６に記載の方法または装置。
【請求項９】
前記投与、またはそのための手段は、第１のカプセルから第１の鼻孔へと第１の１回分の治療薬を配送し、その後に第２のカプセルから第２の鼻孔へと第２の１回分の治療薬を配送することを含む、請求項１に記載の方法または装置。
【請求項１０】
前記治療薬は、随意によりフルチカゾンであり、随意によりプロピオン酸フルチカゾンの形態であり、随意により液体エアロゾルとして投与される、局所ステロイドを含む、請求項１に記載の方法または装置。
【請求項１１】
前記治療薬は、少なくとも毎日７５μｇ、少なくとも毎日１００μｇ、少なくとも毎日２００μｇ、少なくとも毎日４００μｇ、または少なくとも毎日８００μｇの量にて配送され、随意により２回の投与にて、随意により少なくとも３７．５μｇを１日に２回、少なくとも５０μｇを１日に２回、少なくとも１００μｇを１日に２回、随意により２００μｇを１日に２回、または少なくとも４００μｇを１日に２回にて配送される、請求項１０に記載の方法または装置。
【請求項１２】
前記配送、またはそのための手段は、
マウスピースを患者の口へと配置し、前記マウスピースに連通したノーズピースを患者の鼻孔へと配置することと、
患者が前記マウスピースへと息を吐き出し、前記ノーズピースから出る流体の流れを生成することと
を含み、
経鼻投与されるときの前記治療薬は、前記配送によらずに経鼻投与されるときの５０μｇの前記治療薬の全身バイオアベイラビリティと比べて同等またはそれ以下の全身バイオアベイラビリティまたは薬物動態（ＰＫ）プロフィルを有する、請求項１０に記載の方法または装置。
【請求項１３】
前記第２のステップは、前記鼻道の位置におけるｐＨを、約０．０１〜約０．５ｐＨ単位の範囲の量だけ調節する、請求項１に記載の方法または装置。
【請求項１４】
前記量は、約０．１〜約０．２ｐＨ単位の範囲である、請求項１３に記載の方法または装置。
【請求項１５】
前記第２のステップは、約１％ｖｏｌ／ｖｏｌ〜約１０％ｖｏｌ／ｖｏｌの二酸化炭素濃度の二酸化炭素を配送する、請求項１に記載の方法または装置。
【請求項１６】
前記二酸化炭素濃度は、二酸化炭素が約５％〜約６％ｖｏｌ／ｖｏｌである、請求項１５に記載の方法または装置。
【請求項１７】
前記配送、またはそのための手段は、
マウスピースを患者の口へと配置し、ノーズピースを患者の鼻孔へと配置することと、
患者が前記マウスピースへと息を吐き出し、前記ノーズピースから出る流体の流れを生成することと、
前記流体の流れを鼻道の内部の前記位置へと導くことと
を含む、請求項１に記載の方法または装置。
【請求項１８】
前記配送、またはそのための手段は、前記流体の流れを制御することによる前記位置におけるｐＨの調節、またはそのための手段をさらに含む、請求項１７に記載の方法または装置。
【請求項１９】
前記流体の流れの制御、またはそのための手段は、前記流体の流れの継続時間、流量、圧力、および組成のうちの少なくとも１つを制御することを含む、請求項１８に記載の方法または装置。
【請求項２０】
前記流体の流れの継続時間を約２〜約３秒の範囲となるように制御すること、またはそのための手段を含む、請求項１９に記載の方法または装置。
【請求項２１】
前記流体の流れの流量を、少なくとも１０Ｌ／分、随意により少なくとも２０Ｌ／分、および随意により少なくとも約３０Ｌ／分に制御すること、またはそのための手段を含む、請求項２０に記載の方法または装置。
【請求項２２】
前記配送、またはそのための手段は、
前記ノーズピースを患者の第２の鼻孔へと配置することと、
患者が前記マウスピースへと息を吐き出し、前記ノーズピースから出る第２の流体の流れを生成することと、
前記第２の流体の流れを第２の鼻道の内部の第２の位置へと導くことと
を含む、請求項１７に記載の方法または装置。
【請求項２３】
患者へと配送される医薬品の治療効果を高める方法またはそのための装置であって、
鼻道の後方領域へと約５％〜約６％ｖｏｌ／ｖｏｌの二酸化炭素を配送するための患者の鼻道への流体の流れの配送、またはそのための手段と、
前記医薬品の患者への投与、またはそのための手段と
を含む方法または装置。
【請求項２４】
鼻道の前記後方領域のｐＨを下げること、またはそのための手段
をさらに含む、請求項２３に記載の方法または装置。
【請求項２５】
前記医薬品は、随意によりスマトリプタンであり、随意によりコハク酸スマトリプタンの形態である、トリプタンを含む、請求項２３に記載の方法または装置。
【請求項２６】
前記医薬品は、３０ｍｇ以下、随意により２５ｍｇ以下、随意により２０ｍｇ以下の量にて、随意により毎日配送される、請求項２５に記載の方法または装置。
【請求項２７】
カプセルは、各々が７〜１５ｍｇ、随意により１０〜１２ｍｇ、随意により約１１ｍｇのフリーベースのスマトリプタンを含み、随意により各々が５〜１０ｍｇ、随意により６〜９ｍｇ、随意により７〜９ｍｇ、随意により約８ｍｇの平均投与量をもたらす、請求項２５に記載の方法または装置。
【請求項２８】
前記投与、またはそのための手段は、第１のカプセルから第１の鼻孔へと第１の１回分の治療薬を配送し、その後に第２のカプセルから第２の鼻孔へと第２の１回分の治療薬を配送することを含む、請求項２３に記載の方法または装置。
【請求項２９】
前記医薬品は、痛みの緩和の処置のためのものである、請求項２３に記載の方法または装置。
【請求項３０】
前記医薬品は、随意によりフルチカゾンであり、随意によりプロピオン酸フルチカゾンの形態である、局所ステロイドを含む、請求項２３に記載の方法または装置。
【請求項３１】
前記治療薬は、少なくとも毎日７５μｇ、少なくとも毎日１００μｇ、少なくとも毎日２００μｇ、少なくとも毎日４００μｇ、または少なくとも毎日８００μｇの量にて配送され、随意により２回の投与にて、随意により少なくとも３７．５μｇを１日に２回、少なくとも５０μｇを１日に２回、少なくとも１００μｇを１日に２回、随意により２００μｇを１日に２回、または少なくとも４００μｇを１日に２回にて配送される、請求項３０に記載の方法または装置。
【請求項３２】
前記配送、またはそのための手段は、
マウスピースを患者の口へと配置し、前記マウスピースに連通したノーズピースを患者の鼻孔へと配置することと、
患者が前記マウスピースへと息を吐き出し、前記ノーズピースから出る流体の流れを生成することと
を含み、
経鼻投与されるときの前記医薬品は、前記配送によらずに経鼻投与されるときの５０μｇの前記医薬品の全身バイオアベイラビリティまたは薬物動態（ＰＫ）プロフィルと比べて同等またはそれ以下の全身バイオアベイラビリティまたは薬物動態（ＰＫ）プロフィルを有する、請求項３０に記載の方法または装置。
【請求項３３】
前記配送、またはそのための手段は、前記医薬品の取り込みを仲介する、請求項２３に記載の方法または装置。
【請求項３４】
前記医薬品は、粉末エアロゾルとして投与される、請求項２３に記載の方法または装置。
【請求項３５】
前記医薬品は、液体エアロゾルとして投与される、請求項２３に記載の方法または装置。
【請求項３６】
前記医薬品は、経口にて、随意により錠剤の形態で投与される、請求項２３に記載の方法または装置。
【請求項３７】
前記医薬品は、静脈内に投与される、請求項２３に記載の方法または装置。
【請求項３８】
前記医薬品は、皮下に投与される、請求項２３に記載の方法または装置。
【請求項３９】
患者を処置する方法またはそのための装置であって、治療的または薬物動態的な効果をもたらすべく少なくとも約０．１ｐＨ単位だけ鼻道の上後領域のｐＨを下げるための患者の鼻孔への約５％〜約６％ｖｏｌ／ｖｏｌの濃度の二酸化炭素の配送、またはそのための手段、を含む方法または装置。
【請求項４０】
経口、経鼻、静脈内、および皮下のうちの少なくとも１つでの患者への治療薬の投与、またはそのための手段
をさらに含む、請求項３９に記載の方法または装置。
【請求項４１】
前記配送、またはそのための手段は、
マウスピースを患者の口へと配置し、前記マウスピースに連通したノーズピースを患者の鼻孔へと配置することと、
患者が前記マウスピースへと息を吐き出し、前記ノーズピースから出る流体の流れを生成することと
を含む、請求項３９に記載の方法または装置。
【請求項４２】
吐き出された空気以外の物質または医薬品が鼻道へともたらされることがない、請求項３９に記載の方法または装置。
【請求項４３】
患者への医薬品の投与、またはそのための手段
をさらに含み、
前記配送、またはそのための手段は、前記医薬品の取り込みを仲介する、請求項３９に記載の方法または装置。
【請求項４４】
前記医薬品は、経鼻にて投与される、請求項４３に記載の方法または装置。
【請求項４５】
前記医薬品は、粉末エアロゾルとして投与される、請求項４４に記載の方法または装置。
【請求項４６】
前記医薬品は、液体エアロゾルとして投与される、請求項４４に記載の方法または装置。
【請求項４７】
前記医薬品は、経口にて、随意により錠剤の形態で投与される、請求項４３に記載の方法または装置。
【請求項４８】
前記医薬品は、静脈内に投与される、請求項４３に記載の方法または装置。
【請求項４９】
前記医薬品は、皮下に投与される、請求項４３に記載の方法または装置。
【請求項５０】
前記医薬品は、随意によりスマトリプタンであり、随意によりコハク酸スマトリプタンの形態である、トリプタンを含む、請求項４３に記載の方法または装置。
【請求項５１】
前記医薬品は、３０ｍｇ以下、随意により２５ｍｇ以下、随意により２０ｍｇ以下の量にて、随意により毎日配送される、請求項５０に記載の方法または装置。
【請求項５２】
カプセルは、各々が７〜１５ｍｇ、随意により１０〜１２ｍｇ、随意により約１１ｍｇのフリーベースのスマトリプタンを含み、随意により各々が５〜１０ｍｇ、随意により６〜９ｍｇ、随意により７〜９ｍｇ、随意により約８ｍｇの平均投与量をもたらす、請求項５０に記載の方法または装置。
【請求項５３】
前記医薬品は、少なくとも５０ｍｇ、１００ｍｇ、１５０ｍｇ、または２００ｍｇの量、随意により２００ｍｇ以下、１５０ｍｇ以下、または１００ｍｇ以下の量にて配送される、請求項５０に記載の方法または装置。
【請求項５４】
前記投与、またはそのための手段は、第１のカプセルから第１の鼻孔へと第１の１回分の医薬品を配送し、その後に第２のカプセルから第２の鼻孔へと第２の１回分の医薬品を配送することを含む、請求項４３に記載の方法または装置。
【請求項５５】
前記医薬品は、痛みの緩和の処置のためのものである、請求項４３に記載の方法または装置。
【請求項５６】
前記医薬品は、随意によりフルチカゾンであり、随意によりプロピオン酸フルチカゾンの形態である、局所ステロイドを含む、請求項４３に記載の方法または装置。
【請求項５７】
前記治療薬は、少なくとも毎日７５μｇ、少なくとも毎日１００μｇ、少なくとも毎日２００μｇ、少なくとも毎日４００μｇ、または少なくとも毎日８００μｇの量にて配送され、随意により２回の投与にて、随意により少なくとも３７．５μｇを１日に２回、少なくとも５０μｇを１日に２回、少なくとも１００μｇを１日に２回、随意により２００μｇを１日に２回、または少なくとも４００μｇを１日に２回にて配送される、請求項５６に記載の方法または装置。
【請求項５８】
前記配送、またはそのための手段は、
マウスピースを患者の口へと配置し、前記マウスピースに連通したノーズピースを患者の鼻孔へと配置することと、
患者が前記マウスピースへと息を吐き出し、前記ノーズピースから出る流体の流れを生成することと
を含み、
経鼻投与されるときの前記ステロイドは、前記配送によらずに経鼻投与されるときの５０μｇのステロイドの全身バイオアベイラビリティまたは薬物動態（ＰＫ）プロフィルと比べて同等またはそれ以下の全身バイオアベイラビリティまたは薬物動態（ＰＫ）プロフィルを有する、請求項５６に記載の方法または装置。
【請求項５９】
前記治療的または薬物動態的な効果は、痛み、頭痛、偏頭痛、およびアレルギ性鼻炎のうちの少なくとも１つを処置する、請求項４３に記載の方法または装置。
【請求項６０】
前記配送の際に患者の軟口蓋を実質的に閉じること、またはそのための手段
をさらに含む、請求項４３に記載の方法または装置。
【請求項６１】
患者の偏頭痛を処置する方法またはそのための装置であって、
第１のステップにおけるトリプタンの経鼻的な投与、またはそのための手段と、
第２のステップにおける患者の鼻道の内部の位置への治療量の二酸化炭素またはｐＨ調節物質の少なくとも一方の配送、またはそのための手段と
を含んでおり、
前記第１のステップは、前記第２のステップの前、前記第２のステップの後、前記第２のステップの前後、および前記第２のステップと同時のうちの少なくとも１つにおいて実行され、
うずき、温暖／高温感覚、灼熱感、無気力感、圧力、頭部の締め付けなどの窮屈感、麻痺、および違和感で構成される非定型のトリプタン感覚を呈する患者が、処置された患者のうちの２％未満である、方法または装置。
【請求項６２】
前記第１のステップは、前記第２のステップの前に実行される、請求項６１に記載の方法または装置。
【請求項６３】
前記第１のステップは、前記第２のステップの後に実行される、請求項６１に記載の方法または装置。
【請求項６４】
前記第２のステップは、前記第１のステップの前および後の両方ならびに前記第１のステップと同時のうちの少なくとも１つにおいて実行される、請求項６１に記載の方法または装置。
【請求項６５】
前記位置は、鼻道の上後領域を含む、請求項６１に記載の方法または装置。
【請求項６６】
前記トリプタンは、随意によりコハク酸スマトリプタンの形態であるスマトリプタンを含む、請求項６１に記載の方法または装置。
【請求項６７】
３０ｍｇ未満、随意により２５ｍｇ未満、随意により２０ｍｇのスマトリプタンが、随意により毎日、鼻道へと配送される、請求項６６に記載の方法または装置。
【請求項６８】
カプセルは、各々が７〜１５ｍｇ、随意により１０〜１２ｍｇ、随意により約１１ｍｇのフリーベースのスマトリプタンを含み、随意により各々が５〜１０ｍｇ、随意により６〜９ｍｇ、随意により７〜９ｍｇ、随意により約８ｍｇの平均投与量をもたらす、請求項６６に記載の方法または装置。
【請求項６９】
前記経鼻的な投与、またはそのための手段は、第１のカプセルから第１の鼻孔へと第１の１回分のトリプタンを配送し、その後に第２のカプセルから第２の鼻孔へと第２の１回分のトリプタンを配送することを含む、請求項６１に記載の方法または装置。
【請求項７０】
前記第２のステップは、前記鼻道の位置におけるｐＨを、約０．０１〜約０．５ｐＨ単位の範囲の量だけ調節する、請求項６１に記載の方法または装置。
【請求項７１】
前記量は、約０．１〜約０．２ｐＨ単位の範囲である、請求項７０に記載の方法または装置。
【請求項７２】
前記第２のステップは、約１％ｖｏｌ／ｖｏｌ〜約１０％ｖｏｌ／ｖｏｌの二酸化炭素濃度の二酸化炭素を配送する、請求項６１に記載の方法または装置。
【請求項７３】
前記二酸化炭素濃度は、二酸化炭素が約５％〜約６％ｖｏｌ／ｖｏｌである、請求項７２に記載の方法または装置。
【請求項７４】
前記配送、またはそのための手段は、
マウスピースを患者の口へと配置し、ノーズピースを患者の鼻孔へと配置することと、
患者が前記マウスピースへと息を吐き出し、前記ノーズピースから出る流体の流れを生成することと、
前記流体の流れを鼻道の内部の前記位置へと導くことと
を含む、請求項６１に記載の方法または装置。
【請求項７５】
前記配送、またはそのための手段は、
前記流体の流れを制御することによる前記位置におけるｐＨの調節、またはそのための手段
をさらに含む、請求項７４に記載の方法または装置。
【請求項７６】
前記流体の流れの制御、またはそのための手段は、前記流体の流れの継続時間、流量、圧力、および組成のうちの少なくとも１つを制御することを含む、請求項７５に記載の方法または装置。
【請求項７７】
前記流体の流れの継続時間を約２〜約３秒の範囲となるように制御すること、またはそのための手段を含む、請求項７６に記載の方法または装置。
【請求項７８】
前記流体の流れの流量を、少なくとも１０Ｌ／分、随意により少なくとも２０Ｌ／分、および随意により少なくとも約３０Ｌ／分に制御すること、またはそのための手段を含む、請求項７７に記載の方法または装置。
【請求項７９】
前記配送、またはそのための手段は、
前記ノーズピースを患者の第２の鼻孔へと配置することと、
患者が前記マウスピースへと息を吐き出し、前記ノーズピースから出る第２の流体の流れを生成することと、
前記第２の流体の流れを第２の鼻道の内部の第２の位置へと導くことと
を含む、請求項７４に記載の方法または装置。
【請求項８０】
投与後１０分において達成される痛みの緩和が、少なくとも１２％、随意により少なくとも１３％であり、かつ／または投与後１５分において達成される痛みの緩和が、少なくとも２２％、随意により少なくとも２５％であり、かつ／または投与後３０分において達成される痛みの緩和が、少なくとも４５％、随意により少なくとも５０％であり、かつ／または投与後６０分において達成される痛みの緩和が、少なくとも６５％、随意により少なくとも７０％である、請求項６１に記載の方法または装置。
【発明の詳細な説明】
【技術分野】
【０００１】
本発明は、一実施形態において、頭痛（例えば、群発性頭痛および偏頭痛）および神経障害性疼痛を含む痛みの処置などにおける物質、特には薬剤、とりわけ迅速な作用の発現を必要とする物質の経鼻投与に関する。本発明は、他の実施形態において、例えば痛みの処置などの副交感神経刺激をもたらすことができる補足の治療の処置としての二酸化炭素ガスの経鼻投与、ＮＯの経鼻除去、および／または経鼻のｐＨ調節にさらに関する。
【背景技術】
【０００２】
図１（ａ）を参照すると、鼻気道１は、鼻中隔によって隔てられた２つの鼻腔を備えており、この気道１は、副鼻腔口３および耳管口５などの多数の開口と、嗅覚細胞とを含んでおり、鼻粘膜によって覆われている。鼻気道１は、鼻咽頭７、口腔９、および下気道１１に連絡でき、鼻気道１は、中咽頭帆１３の開閉によって鼻咽頭７の前部領域および口腔９に選択的に連絡する。帆１３は、軟口蓋と称されることも多いが、口腔９を通じての呼気において口腔９および鼻気道１の圧力を平衡させることによって達成されるなど、口腔９に特定の正の圧力がもたらされることによって達成される閉位置に実線で示され、開位置に破線で示されている。
【０００３】
本発明の発明者は、驚くべきことに、物質および少なくとも１つのガスを鼻気道の後部領域にもたらすことによって、例えば同等の物質の伝統的な送達と比べたときに、速やかな全身への取り込みおよび迅速な反応速度を達成できることを突き止めた。
【０００４】
鼻気道の後部領域は、図１（ｂ）に示されるように、鼻弁ＮＶの後ろの領域である。鼻弁は、柔軟な翼状の組織および堅固な軟骨性鼻中隔によってそれぞれ支持された下鼻甲介勃起組織および中隔勃起組織を含む前部の骨腔を備える（Ｃｏｌｅ，Ｐ（Ｔｈｅ  Ｒｅｓｐｉｒａｔｏｒｙ  Ｒｏｌｅ  ｏｆ  ｔｈｅ  Ｕｐｐｅｒ  Ａｉｒｗａｙｓ，ａ  ｓｅｌｅｃｔｉｖｅ  ｃｌｉｎｉｃａｌ  ａｎｄ  ｐａｔｈｏｐｈｙｓｉｏｌｏｇｉｃａｌ  ｒｅｖｉｅｗ．１９９３，Ｍｏｓｂｙ−Ｙｅａｒ  Ｂｏｏｋ  Ｉｎｃ．ＩＳＢＮ１．５５６６４−３９０−Ｘ））。これらの構成要素が組み合わさり、数ミリメートルにわたって延び、鼻の気流を調節し、軟骨および骨によって安定化され、随意筋によって調節され、勃起組織によって規制される動的な弁が形成される。鼻弁の管腔は、鼻気道の後部および前部領域の間の最も狭い断面積の部位であり、腹側よりも背側においてはるかに長くて狭く、この管腔が、骨腔の梨状領域に延びる三角形の入り口を定めている。鼻弁は、前方部分において移行上皮によって覆われ、気道上皮に後方に徐々に変化している。鼻弁および前部の前庭が、おおむね鼻の前方３分の１を定めている。
【０００５】
鼻気道の後部領域が、繊毛のある気道上皮と、嗅球から篩板ＣＰを通って下方に延びる神経を備える嗅上皮とで覆われた領域である一方で、鼻気道の前部領域は、繊毛のない扁平上皮と、移行上皮とで覆われた領域である。嗅上皮は、鼻気道の外側および中央側の両方に広がり、典型的には１．５〜２．５ｃｍほど下方に広がっている。
【０００６】
上後領域が、図１（ｂ）に示されるように、下鼻道ＩＭの上方の領域であり、中鼻甲介、漏斗における副鼻腔口（上顎洞、前頭洞、および篩骨洞への開口）、嗅覚領域、および三叉神経の上部分岐を包含し、脳を囲む静脈洞に流れる静脈を含む領域である。
【０００７】
図１（ｂ）に示されるとおり、鼻気道の後部領域は、上顎間縫合の前端のとがった突起である前鼻棘ＡｎＳと、硬口蓋の鼻梁の鋭い後端であり、鼻と鼻咽頭との間の移行を呈する後鼻棘ＰｎＳと、の間の距離の４分の１に相当し、すなわち前鼻棘ＡｎＳの後方約１３ｍｍ〜約１４ｍｍの距離に相当する場所に位置する仮想の鉛直面ＶＥＲＴ１の後方の鼻領域である（Ｒｏｓｅｎｂｅｒｇｅｒ，Ｈ（Ｇｒｏｗｔｈ  ａｎｄ  Ｄｅｖｅｌｏｐｍｅｎｔ  ｏｆ  ｔｈｅ  Ｎａｓｏ−Ｒｅｓｐｉｒａｔｏｒｙ  Ａｒｅａ  ｉｎ  Ｃｈｉｌｄｈｏｏｄ，ＰｈＤ  Ｔｈｅｓｉｓ，Ｌａｂｏｒａｔｏｒｙ  ｏｆ  Ａｎａｔｏｍｙ，Ｓｃｈｏｏｌ  ｏｆ  Ｍｅｄｉｃｉｎｅ，Ｗｅｓｔｅｒｎ  Ｒｅｓｅｒｖｅ  Ｕｎｉｖｅｒｓｉｔｙ，Ｐｒｅｓｅｎｔｅｄ  ｔｏ  ｔｈｅ  Ａｎｎｕａｌ  Ｍｅｅｔｉｎｇ  ｏｆ  ｔｈｅ  Ａｍｅｒｉｃａｎ  Ｌａｒｙｎｇｏｌｏｇｉｃａｌ，Ｒｈｉｎｏｌｏｇｉｃａｌ  ａｎｄ  Ｏｔｏｌｏｇｉｃａｌ  Ｓｏｃｉｅｔｙ，Ｃｈａｒｌｅｓｔｏｎ，Ｓｏｕｔｈ  Ｃａｒｏｌｉｎａ，ＵＳＡ，１９３４）が、前鼻棘ＡｎＳと後鼻棘ＰｎＳとの間の距離を１８歳の少年において５６ｍｍであり、１８歳の少女において５３．３ｍｍであると定めている）。やはり図１（ｂ）に示されるとおり、後鼻領域は、後方においては後鼻棘ＰｎＳを通って延びる仮想の鉛直面ＶＥＲＴ２によって境界付けられる。
【０００８】
さらに図１（ｂ）に示されるとおり、鼻気道の上部領域は、篩板ＣＰと、鼻気道の鼻孔底ＮＦと篩板ＣＰとの間の距離の３分の１に相当し、典型的には鼻孔底ＮＦの上方約１３〜約１９ｍｍの高さに相当する場所に位置する水平面ＨＯＲＩＺと、によって境界付けられる鼻気道の上方部分である（Ｚａｃｈａｒｅｋ，Ｍ  Ａ  ｅｔ  ａｌ（Ｓａｇｉｔｔａｌ  ａｎｄ  Ｃｏｒｏｎａｌ  Ｄｉｍｅｎｓｉｏｎｓ  ｏｆ  ｔｈｅ  Ｅｔｈｍｏｉｄ  Ｒｏｏｆ：Ａ  Ｒａｄｉｏａｎａｔｏｍｉｃ  Ｓｔｕｄｙ，ＡＭ  Ｊ  Ｒｈｉｎｏｌ  ２００５，Ｖｏｌ  １９，ｐａｇｅｓ  ３４８  ｔｏ  ３５２）が、鼻孔底ＮＦから篩板ＣＰまでの距離を４６＋／−４ｍｍと定めている）。したがって、上後領域は、上記定義の鉛直および水平面ＶＥＲＴ１、ＨＯＲＩＺによって境界付けられてよい上方かつ後方の領域を含むことができる。
【０００９】
頭痛、アレルギ、ぜんそく、および他の状態、ならびに関連の生理機能の治療のためのガス療法が、以下の文献、すなわちＣａｓａｌｅ  ｅｔ  ａｌ，Ｊ  Ａｌｌｅｒｇｙ  Ｃｌｉｎ  Ｉｍｍｕｎｏｌ  １２１（１）：１０５−１０９（２００８）、Ｖａｕｓｅ  ｅｔ  ａｌ，Ｈｅａｄａｃｈｅ  ４７：１３８５−１３９７（２００７）、Ｔｚａｂａｚｉｓ  ｅｔ  ａｌ，Ｌｉｆｅ  Ｓｃｉｅｎｃｅ  ８７：３６−４１（２０１０）、およびＣａｓａｌｅ  ｅｔ  ａｌ，Ａｎｎ  Ａｌｌｅｒｇｙ  Ａｓｔｈｍａ  Ｉｍｍｕｎｏｌ  １０７：３６４−３７０（２０１１）などに記載されている。
【００１０】
国際公開第２００１／０６４２８０号が、筋骨格障害、神経痛、鼻炎、および他の疾患を含む苦痛の緩和のためにガスの形態およびｃａｐｎｉｃ溶液（炭酸水など）の形態の二酸化炭素を経皮的および経粘膜的に適用するための方法および装置を開示している。
【００１１】
米国特許出願公開第２０１１／００４６５４６号明細書が、頭痛、鼻炎、ぜんそく、てんかん、神経病、などの一般的な疾患に関する症状を治療するための装置、方法、およびキットを開示している。
【先行技術文献】
【特許文献】
【００１２】
【特許文献１】国際公開第２００１／０６４２８０号
【特許文献２】米国特許出願公開第２０１１／００４６５４６号明細書
【非特許文献】
【００１３】
【非特許文献１】Ｃｏｌｅ，Ｐ（Ｔｈｅ  Ｒｅｓｐｉｒａｔｏｒｙ  Ｒｏｌｅ  ｏｆ  ｔｈｅ  Ｕｐｐｅｒ  Ａｉｒｗａｙｓ，ａ  ｓｅｌｅｃｔｉｖｅ  ｃｌｉｎｉｃａｌ  ａｎｄ  ｐａｔｈｏｐｈｙｓｉｏｌｏｇｉｃａｌ  ｒｅｖｉｅｗ．１９９３，Ｍｏｓｂｙ−Ｙｅａｒ  Ｂｏｏｋ  Ｉｎｃ．ＩＳＢＮ１．５５６６４−３９０−Ｘ）
【非特許文献２】Ｒｏｓｅｎｂｅｒｇｅｒ，Ｈ（Ｇｒｏｗｔｈ  ａｎｄ  Ｄｅｖｅｌｏｐｍｅｎｔ  ｏｆ  ｔｈｅ  Ｎａｓｏ−Ｒｅｓｐｉｒａｔｏｒｙ  Ａｒｅａ  ｉｎ  Ｃｈｉｌｄｈｏｏｄ，ＰｈＤ  Ｔｈｅｓｉｓ，Ｌａｂｏｒａｔｏｒｙ  ｏｆ  Ａｎａｔｏｍｙ，Ｓｃｈｏｏｌ  ｏｆ  Ｍｅｄｉｃｉｎｅ，Ｗｅｓｔｅｒｎ  Ｒｅｓｅｒｖｅ  Ｕｎｉｖｅｒｓｉｔｙ，Ｐｒｅｓｅｎｔｅｄ  ｔｏ  ｔｈｅ  Ａｎｎｕａｌ  Ｍｅｅｔｉｎｇ  ｏｆ  ｔｈｅ  Ａｍｅｒｉｃａｎ  Ｌａｒｙｎｇｏｌｏｇｉｃａｌ，Ｒｈｉｎｏｌｏｇｉｃａｌ  ａｎｄ  Ｏｔｏｌｏｇｉｃａｌ  Ｓｏｃｉｅｔｙ，Ｃｈａｒｌｅｓｔｏｎ，Ｓｏｕｔｈ  Ｃａｒｏｌｉｎａ，ＵＳＡ，１９３４）
【非特許文献３】Ｚａｃｈａｒｅｋ，Ｍ  Ａ  ｅｔ  ａｌ（Ｓａｇｉｔｔａｌ  ａｎｄ  Ｃｏｒｏｎａｌ  Ｄｉｍｅｎｓｉｏｎｓ  ｏｆ  ｔｈｅ  Ｅｔｈｍｏｉｄ  Ｒｏｏｆ：Ａ  Ｒａｄｉｏａｎａｔｏｍｉｃ  Ｓｔｕｄｙ，ＡＭ  Ｊ  Ｒｈｉｎｏｌ  ２００５，Ｖｏｌ  １９，ｐａｇｅｓ  ３４８  ｔｏ  ３５２）
【非特許文献４】Ｃａｓａｌｅ  ｅｔ  ａｌ，Ｊ  Ａｌｌｅｒｇｙ  Ｃｌｉｎ  Ｉｍｍｕｎｏｌ  １２１（１）：１０５−１０９（２００８）
【非特許文献５】Ｖａｕｓｅ  ｅｔ  ａｌ，Ｈｅａｄａｃｈｅ  ４７：１３８５−１３９７（２００７）
【非特許文献６】Ｔｚａｂａｚｉｓ  ｅｔ  ａｌ，Ｌｉｆｅ  Ｓｃｉｅｎｃｅ  ８７：３６−４１（２０１０）
【非特許文献７】Ｃａｓａｌｅ  ｅｔ  ａｌ，Ａｎｎ  Ａｌｌｅｒｇｙ  Ａｓｔｈｍａ  Ｉｍｍｕｎｏｌ  １０７：３６４−３７０（２０１１）
【発明の概要】
【発明が解決しようとする課題】
【００１４】
本発明の発明者は、鼻気道を通じてのガスの供給などによるｐＨ、鼻腔内ガス圧力、および／またはＮＯ濃度の制御と組み合わせて治療物質を投与することで、改善された治療処置をもたらすことができることに気が付いた。一実施形態において、ｐＨ、鼻腔内ガス圧力、および／またはＮＯ濃度の制御は、投与された治療物質の取り込みを仲介する相加効果または相乗効果をもたらすことができる副交感神経刺激をもたらすことができる。一例においては、治療物質の作用の迅速な発現を達成することができる。
【課題を解決するための手段】
【００１５】
一態様において、本発明は、物質を被験者に投与する方法であって、三叉神経が分布している粘膜を含む被験者の鼻腔の後方領域に物質を投与することと、前記物質の投与の前、最中、または後に前記粘膜のｐＨを調節することで、前記物質の取り込みの速度を高めることと、を含む方法を提供する。
【００１６】
一実施形態において、前記粘膜には、翼口蓋神経節がさらに分布している。
【００１７】
一実施形態において、前記物質は、鼻孔に装着され、任意選択で鼻孔の孔に流体を漏らさぬように密着させられたノーズピースを通じて配送される。
【００１８】
一実施形態において、前記物質は、１つの鼻孔を通って粘膜の１つの三叉神経に配送される。
【００１９】
一実施形態において、前記物質は、各々の鼻孔を通って順次に粘膜に三叉神経の各々に配送される。
【００２０】
一実施形態において、前記ｐＨは、少なくとも１つのガスを配送することによって調節される。
【００２１】
一実施形態において、前記少なくとも１つのガスは、任意選択で該少なくとも１つのガスの少なくとも５ｖｏｌ％の濃度を有する流れにて配送される。
【００２２】
一実施形態において、前記少なくとも１つのガスは、二酸化炭素を含む。
【００２３】
一実施形態において、前記ｐＨの調節は、三叉神経のＶ１枝における活動を達成させる。
【００２４】
一実施形態において、前記ｐＨの調節は、自律神経系への副交感神経の影響が存在する事象の際に実行されることで、三叉神経がｐＨ調節を受けやすくなり、物質の取り込みが向上する。
【００２５】
一実施形態において、前記ｐＨは、前記ｐＨ調節において下げられる。
【００２６】
一実施形態において、本方法は、前記物質を配送する前、前記物質を配送している最中、または前記物質を配送した後に、鼻腔内の圧力を調節することによって前記物質の取り込みの速度を高めることをさらに含む。
【００２７】
一実施形態において、前記圧力は、少なくとも約３ｋＰａであり、任意選択で約３〜約７ｋＰａである。
【００２８】
一実施形態において、前記圧力は、少なくとも１つのガスを配送することによって調節される。
【００２９】
一実施形態において、前記少なくとも１つのガスは、任意選択で該少なくとも１つのガスの少なくとも５ｖｏｌ％の濃度を有する流れにて配送される。
【００３０】
一実施形態において、前記少なくとも１つのガスは、二酸化炭素を含む。
【００３１】
一実施形態において、前記圧力の調節は、三叉神経のＶ１枝の活動を達成させる。
【００３２】
一実施形態において、前記圧力の調節は、自律神経系への副交感神経の影響が存在する事象の際に実行されることで、三叉神経が圧力の調節を受けやすくなり、物質の取り込みが向上する。
【００３３】
一実施形態において、前記圧力は、前記圧力調節において高められる。
【００３４】
一実施形態において、本方法は、前記物質を配送する前、前記物質を配送している最中、または前記物質を配送した後に、鼻腔内のＮＯの濃度を調節することによって前記物質の取り込みの速度を高めることをさらに含む。
【００３５】
一実施形態において、前記ＮＯの濃度は、少なくとも１つのガスを配送することによって調節される。
【００３６】
一実施形態において、前記少なくとも１つのガスは、任意選択で該少なくとも１つのガスの少なくとも５ｖｏｌ％の濃度を有する流れにて配送される。
【００３７】
一実施形態において、前記少なくとも１つのガスは、二酸化炭素を含む。
【００３８】
一実施形態において、前記ＮＯの濃度の調節は、三叉神経のＶ１枝の活動を達成させる。
【００３９】
一実施形態において、前記ＮＯの濃度は、前記ＮＯ濃度調節において下げられる。
【００４０】
一実施形態において、前記物質は、血液−脳の障壁を通過することがない物質である。
【００４１】
一実施形態において、前記物質は、トリプタンである。一実施形態において、前記物質は、スマトリプタンである。
【００４２】
別の実施形態において、前記物質は、麦角アルカロイドである。一実施形態において、前記物質は、ジヒドロエルゴタミンなど、エルゴタミンあるいはその類似体または誘導体である。
【００４３】
一実施形態において、本方法は、神経またはＣＮＳの疾患の処置のための方法である。
【００４４】
一実施形態において、本方法は、群発性頭痛および偏頭痛などの頭痛の処置のための方法である。
【００４５】
一実施形態において、本方法は、前記物質および／または前記少なくとも１つのガスを配送する際に被験者の口腔咽頭の軟口蓋を閉鎖することをさらに含む。
【００４６】
一実施形態において、本方法は、被験者がマウスピースを通って息を吐き出すことによって被験者の口腔咽頭の軟口蓋の閉鎖を引き起こすことをさらに含む。
【００４７】
一実施形態においては、前記マウスピースがノーズピースに連通することによって、息の吐き出しからの呼気が前記ノーズピースを通って配送される。
【００４８】
別の態様において、本発明は、被験者に物質を投与する方法であって、三叉神経が分布した粘膜を含む被験者の鼻腔の後部領域に物質を配送することと、前記物質を配送する前、前記物質を配送している最中、または前記物質を配送した後に鼻腔の圧力を調節することにより、前記物質の取り込みの速度を高めることと、を含む方法を提供する。
【００４９】
一実施形態において、前記粘膜には、翼口蓋神経節がさらに分布している。
【００５０】
一実施形態において、前記物質は、鼻孔に装着され、任意選択で鼻孔の孔に流体を漏らさぬように密着させられたノーズピースを通じて配送される。
【００５１】
一実施形態において、前記物質は、１つの鼻孔を通って粘膜の１つの三叉神経に配送される。
【００５２】
一実施形態において、前記物質は、各々の鼻孔を通って順次に粘膜に三叉神経の各々に配送される。
【００５３】
一実施形態において、前記圧力は、少なくとも１つのガスを配送することによって調節される。
【００５４】
一実施形態において、前記少なくとも１つのガスは、任意選択で該少なくとも１つのガスの少なくとも５ｖｏｌ％の濃度を有する流れにて配送される。
【００５５】
一実施形態において、前記少なくとも１つのガスは、二酸化炭素を含む。
【００５６】
一実施形態において、前記圧力の調節は、三叉神経のＶ１枝における活動を達成させる。
【００５７】
一実施形態において、前記圧力の調節は、自律神経系への副交感神経の影響が存在する事象の際に実行されることで、三叉神経が圧力の調節を受けやすくなり、物質の取り込みが向上する。
【００５８】
一実施形態において、前記圧力は、少なくとも約３ｋＰａであり、任意選択で約３〜約７ｋＰａである。
【００５９】
一実施形態において、前記圧力は、前記圧力調節において高められる。
【００６０】
一実施形態において、本方法は、前記物質を配送する前、前記物質を配送している最中、または前記物質を配送した後に、鼻腔内のＮＯの濃度を調節することによって前記物質の取り込みの速度を高めることをさらに含む。
【００６１】
一実施形態において、前記ＮＯの濃度は、少なくとも１つのガスを配送することによって調節される。
【００６２】
一実施形態において、前記少なくとも１つのガスは、任意選択で該少なくとも１つのガスの少なくとも５ｖｏｌ％の濃度を有する流れにて配送される。
【００６３】
一実施形態において、前記少なくとも１つのガスは、二酸化炭素を含む。
【００６４】
一実施形態において、前記ＮＯの濃度の調節は、三叉神経のＶ１枝の活動を達成させる。
【００６５】
一実施形態において、前記ＮＯの濃度は、前記ＮＯ濃度調節において下げられる。
【００６６】
一実施形態において、前記物質は、血液−脳の障壁を通過することがない物質である。
【００６７】
一実施形態において、前記物質は、トリプタンである。一実施形態において、前記物質は、スマトリプタンである。
【００６８】
別の実施形態において、前記物質は、麦角アルカロイドである。一実施形態において、前記物質は、ジヒドロエルゴタミンなど、エルゴタミンあるいはその類似体または誘導体である。
【００６９】
一実施形態において、本方法は、神経またはＣＮＳの疾患の処置に使用される。
【００７０】
一実施形態において、本方法は、群発性頭痛および偏頭痛などの頭痛の処置のためのものである。
【００７１】
一実施形態において、本方法は、前記物質および／または前記少なくとも１つのガスを配送する際に被験者の口腔咽頭の軟口蓋を閉鎖することをさらに含む。
【００７２】
一実施形態において、本方法は、被験者がマウスピースを通って息を吐き出すことによって被験者の口腔咽頭の軟口蓋の閉鎖を引き起こすことをさらに含む。
【００７３】
一実施形態においては、前記マウスピースがノーズピースに連通することによって、息の吐き出しからの呼気が前記ノーズピースを通って配送される。
【００７４】
さらなる態様において、本発明は、被験者に物質を投与する方法であって、三叉神経が分布した粘膜を含む被験者の鼻腔の後部領域に物質を配送することと、前記物質を配送する前、前記物質を配送している最中、または前記物質を配送した後に鼻腔におけるＮＯの濃度を調節することにより、前記物質の取り込みの速度を高めることと、を含む方法を提供する。
【００７５】
一実施形態において、前記粘膜には、翼口蓋神経節がさらに分布している。
【００７６】
一実施形態において、前記物質は、鼻孔に装着され、任意選択で鼻孔の孔に流体を漏らさぬように密着させられたノーズピースを通じて配送される。
【００７７】
一実施形態において、前記物質は、１つの鼻孔を通って１つの三叉神経における粘膜に配送される。
【００７８】
一実施形態において、前記物質は、各々の鼻孔を通って順次に三叉神経の各々における粘膜に配送される。
【００７９】
一実施形態において、前記ＮＯの濃度は、少なくとも１つのガスを配送することによって調節される。
【００８０】
一実施形態において、前記少なくとも１つのガスは、任意選択で該少なくとも１つのガスの少なくとも５ｖｏｌ％の濃度を有する流れにて配送される。
【００８１】
一実施形態において、前記少なくとも１つのガスは、二酸化炭素を含む。
【００８２】
一実施形態において、前記ＮＯの濃度の調節は、三叉神経のＶ１枝の活動を達成させる。
【００８３】
一実施形態において、前記ＮＯの濃度は、前記ＮＯ濃度調節において下げられる。
【００８４】
一実施形態において、本方法は、前記物質を配送する前、前記物質を配送している最中、または前記物質を配送した後に前記粘膜のｐＨを調節することで、前記物質の取り込みの速度を高めることをさらに含む。
【００８５】
一実施形態において、前記ｐＨは、少なくとも１つのガスを配送することによって調節される。
【００８６】
一実施形態において、前記少なくとも１つのガスは、任意選択で該少なくとも１つのガスの少なくとも５ｖｏｌ％の濃度を有する流れにて配送される。
【００８７】
一実施形態において、前記少なくとも１つのガスは、二酸化炭素を含む。
【００８８】
一実施形態において、前記ｐＨの調節は、三叉神経のＶ１枝における活動を達成させる。
【００８９】
一実施形態において、前記ｐＨの調節は、自律神経系への副交感神経の影響が存在する事象の際に実行されることで、三叉神経がｐＨ調節を受けやすくなり、物質の取り込みが向上する。
【００９０】
一実施形態において、前記ｐＨは、前記ｐＨ調節において下げられる。
【００９１】
一実施形態において、本方法は、前記物質を配送する前、前記物質を配送している最中、または前記物質を配送した後に、鼻腔内の圧力を調節することによって前記物質の取り込みの速度を高めることをさらに含む。
【００９２】
一実施形態において、前記圧力は、少なくとも約３ｋＰａであり、任意選択で約３〜約７ｋＰａである。
【００９３】
一実施形態において、前記圧力は、少なくとも１つのガスを配送することによって調節される。
【００９４】
一実施形態において、前記少なくとも１つのガスは、任意選択で該少なくとも１つのガスの少なくとも５ｖｏｌ％の濃度を有する流れにて配送される。
【００９５】
一実施形態において、前記少なくとも１つのガスは、二酸化炭素を含む。
【００９６】
一実施形態において、前記圧力の調節は、三叉神経のＶ１枝の活動を達成させる。
【００９７】
一実施形態において、前記圧力の調節は、自律神経系への副交感神経の影響が存在する事象の際に実行されることで、三叉神経が圧力の調節を受けやすくなり、物質の取り込みが向上する。
【００９８】
一実施形態において、前記圧力は、前記圧力調節において高められる。
【００９９】
一実施形態において、前記物質は、血液−脳の障壁を通過することがない物質である。
【０１００】
一実施形態において、前記物質は、トリプタンである。一実施形態において、前記物質は、スマトリプタンである。
【０１０１】
別の実施形態において、前記物質は、麦角アルカロイドである。一実施形態において、前記物質は、ジヒドロエルゴタミンなど、エルゴタミンあるいはその類似体または誘導体である。
【０１０２】
一実施形態において、本方法は、神経またはＣＮＳの疾患の処置に使用され、一実施形態において、群発性頭痛および偏頭痛などの頭痛の処置に使用される。
【０１０３】
一実施形態において、本方法は、前記物質および／または前記少なくとも１つのガスを配送する際に被験者の口腔咽頭の軟口蓋を閉鎖することをさらに含む。
【０１０４】
一実施形態において、本方法は、被験者がマウスピースを通って息を吐き出すことによって被験者の口腔咽頭の軟口蓋の閉鎖を引き起こすことをさらに含む。
【０１０５】
一実施形態においては、前記マウスピースがノーズピースに連通することによって、息の吐き出しからの呼気が前記ノーズピースを通って配送される。
【０１０６】
またさらなる態様において、本発明は、被験者に物質を投与する方法であって、三叉神経が分布している粘膜を含む被験者の鼻腔の後方領域に物質を配送することと、前記物質を配送する前、前記物質を配送している最中、または前記物質を配送した後に前記粘膜のｐＨを調節し、前記物質を配送する前、前記物質を配送している最中、または前記物質を配送した後に鼻腔内の圧力を調節することで、前記物質の取り込みの速度を高めることと、を含む方法を提供する。
【０１０７】
さらに別の態様において、本発明は、被験者に物質を投与する方法であって、三叉神経が分布している粘膜を含む被験者の鼻腔の後方領域に物質を配送することと、前記物質を配送する前、前記物質を配送している最中、または前記物質を配送した後に前記粘膜のｐＨを調節し、前記物質を配送する前、前記物質を配送している最中、または前記物質を配送した後に鼻腔内のＮＯの濃度を調節することで、前記物質の取り込みの速度を高めることと、を含む方法を提供する。
【０１０８】
また別の態様において、本発明は、被験者に物質を投与する方法であって、三叉神経が分布している粘膜を含む被験者の鼻腔の後方領域に物質を配送することと、前記物質を配送する前、前記物質を配送している最中、または前記物質を配送した後に鼻腔内の圧力を調節し、前記物質を配送する前、前記物質を配送している最中、または前記物質を配送した後に鼻腔内のＮＯの濃度を調節することで、前記物質の取り込みの速度を高めることと、を含む方法を提供する。
【０１０９】
さらに別の態様において、本発明は、被験者に物質を投与する方法であって、三叉神経が分布している粘膜を含む被験者の鼻腔の後方領域に物質を配送することと、前記物質を配送する前、前記物質を配送している最中、または前記物質を配送した後に前記粘膜のｐＨを調節し、前記物質を配送する前、前記物質を配送している最中、または前記物質を配送した後に鼻腔内の圧力を調節し、前記物質を配送する前、前記物質を配送している最中、または前記物質を配送した後に鼻腔内のＮＯの濃度を調節することで、前記物質の取り込みの速度を高めることと、を含む方法を提供する。
【０１１０】
またさらなる態様において、本発明は、神経またはＣＮＳの疾患の処置のための物質を提供し、この物質は、三叉神経が分布した粘膜を含む被験者の鼻腔の後部領域に配送され、この物質が配送される前、配送されている最中、または配送された後で前記粘膜のｐＨが調節されることにより、この物質の取り込みの速度が高められる。
【０１１１】
また別のさらなる態様において、本発明は、神経またはＣＮＳの疾患の処置のための物質を提供し、この物質は、三叉神経が分布した粘膜を含む被験者の鼻腔の後部領域に配送され、この物質が配送される前、配送されている最中、または配送された後で鼻腔内の圧力が調節されることにより、この物質の取り込みの速度が高められる。
【０１１２】
またさらに別の態様において、本発明は、神経またはＣＮＳの疾患の処置のための物質を提供し、この物質は、三叉神経が分布した粘膜を含む被験者の鼻腔の後部領域に配送され、この物質が配送される前、配送されている最中、または配送された後で鼻腔内のＮＯの濃度が調節されることにより、この物質の取り込みの速度が高められる。
【０１１３】
一実施形態において、前記物質は、トリプタンである。一実施形態において、前記物質は、スマトリプタンである。
【０１１４】
別の実施形態において、前記物質は、麦角アルカロイドである。一実施形態において、前記物質は、ジヒドロエルゴタミンなど、エルゴタミンあるいはその類似体または誘導体である。
【０１１５】
一実施形態において、前記物質は、群発性頭痛および偏頭痛などの頭痛の処置のための物質である。
【０１１６】
さらなる態様において、本発明は、被験者に物質を投与する方法であって、物質を被験者に配送することと、前記物質を配送する前、配送している最中、または配送した後に鼻腔内の圧力を調節することにより、前記物質の取り込みの速度を高めることと、を含む方法を提供する。
【０１１７】
さらに別の態様において、本発明は、被験者に物質を投与する方法であって、物質を被験者に配送することと、前記物質を配送する前、配送している最中、または配送した後に鼻腔内のＮＯの濃度を調節することにより、前記物質の取り込みの速度を高めることと、を含む方法を提供する。
【０１１８】
またさらなる態様において、本発明は、被験者に物質を投与する方法であって、物質を被験者に配送することと、前記物質を配送する前、配送している最中、または配送した後に三叉神経が分布した粘膜のｐＨを調節することにより、前記物質の取り込みの速度を高めることと、を含む方法を提供する。
【０１１９】
一実施形態において、前記配送する行為は、経口、局所、経粘膜、吸入および／または注射、皮下、経鼻、ならびに／あるいは経口である。
【０１２０】
さらなる態様において、本発明は、被験者に物質を投与する方法であって、偏頭痛を生じさせる第１の物質を配送することと、上記開示の方法のいずれかに従って第２の物質を配送することと、を含む方法を提供する。
【０１２１】
本発明によれば、実施形態が、患者を治療的に処置する方法に向けられる。この方法は、第１のステップにおいて治療薬を投与することと、第２のステップにおいて患者の鼻道の内部の位置に治療量の二酸化炭素またはｐＨ調節物質の少なくとも一方を配送することとを含むことができる。
【０１２２】
別の実施形態は、患者に配送される医薬品の治療効果を高めるための方法に向けられる。この方法は、鼻道の上後領域に約５％〜約６％ｖｏｌ／ｖｏｌの二酸化炭素を配送するように患者の鼻道に流体の流れを配送することを含むことができる。この方法は、或る量の前記医薬品を患者に投与することをさらに含むことができる。
【０１２３】
また別の実施形態は、患者の処置の方法であって、治療効果をもたらすべく少なくとも約０．１ｐＨ単位だけ鼻道の上後領域のｐＨを下げるように患者の鼻孔に約５％〜約６％ｖｏｌ／ｖｏｌの二酸化炭素を配送することを含む方法に向けられる。
【０１２４】
本発明のさらなる目的および利点は、一部は以下の説明に記載され、一部は説明から自明であり、あるいは本発明を実施することによって学ぶことができる。本発明の目的および利点は、添付の特許請求の範囲に詳しく指摘される構成要素および組み合わせによって実現および達成される。
【０１２５】
以上の全体的な説明および以下の詳細な説明の両方が、あくまでも例示および説明にすぎず、請求項に記載のとおりの本発明を限定するものではないことを、理解すべきである。
【０１２６】
本明細書に取り入れられて本明細書の一部を構成する添付の図面は、説明と協働して、あくまでも例示であるが本発明の原理を説明する役に立つ本発明の種々の実施形態を説明する。
【図面の簡単な説明】
【０１２７】
【図１（ａ）】人間の被験者の上部気道の構造を概略的に示している。
【図１（ｂ）】本発明の実施形態による鼻腔の区分けを示している。
【図２（ａ）】本発明の一実施形態によるブレスパワー（Ｂｒｅａｔｈ  Ｐｏｗｅｒｅｄ（商標））双方向（Ｂｉ−Ｄｉｒｅｃｔｉｏｎａｌ（商標））経鼻投与装置を示している。
【図２（ｂ）】本発明の一実施形態によるブレスパワー（商標）双方向（商標）経鼻投与装置を示している。
【図３（ａ）】本発明の別の実施形態によるブレスパワー（商標）双方向（商標）経鼻投与装置を示している。
【図３（ｂ）】本発明の別の実施形態によるブレスパワー（商標）双方向（商標）経鼻投与装置を示している。
【図４（ａ）】本発明のさらなる実施形態によるブレスパワー（商標）双方向（商標）経鼻投与装置を示している。
【図４（ｂ）】本発明のさらなる実施形態によるブレスパワー（商標）双方向（商標）経鼻投与装置を示している。
【図５】実施例１の研究における反応率を示している。
【図６】実施例２の研究に関して、図２（ａ）および（ｂ）のブレスパワー（商標）装置を使用して投与された経鼻スマトリプタン粉末、２０ｍｇの鼻腔スプレー、１００ｍｇの錠剤、および６ｍｇの皮下注射について、１４時間のサンプリング期間におけるスマトリプタン血漿濃度−時間のプロフィルを示しており、差し込み図は、図２（ａ）および（ｂ）のブレスパワー（商標）装置を使用して投与された経鼻スマトリプタン粉末、２０ｍｇの鼻腔スプレー、および１００ｍｇの錠剤について、投与後の最初の３０分間におけるスマトリプタン血漿濃度−時間のプロフィルを示している。図６の主たる部分は、経鼻投与の両方法においては平均血漿スマトリプタン濃度−時間プロフィルが錠剤および注射において観測されるプロフィルよりもはるかに低くなることを示している。図６の差し込み図は、投与後の最初の３０分において、血漿スマトリプタン濃度の上昇の速度が２０ｍｇの鼻腔スプレーまたは１００ｍｇの錠剤と比べて図２（ａ）および（ｂ）のブレスパワー（商標）装置を使用して投与されたスマトリプタン粉末においてより速いことを示している。
【図７】実施例２の研究に関して、図２（ａ）および（ｂ）のブレスパワー（商標）装置を用いたスマトリプタン粉末の投与後の最初の４時間におけるスマトリプタン血漿濃度−時間プロフィルを２０ｍｇの鼻腔スプレーと比較して示している。
【図８】実施例２の研究に関して、図２（ａ）および（ｂ）のブレスパワー（商標）装置を用いたスマトリプタン粉末の経鼻投与におけるスマトリプタンの薬物動態の結果を、２０ｍｇの鼻腔スプレー、１００ｍｇの錠剤、および６ｍｇの皮下注射と比べて示している。
【図９】実施例２の研究に関して、血漿スマトリプタン薬物動態パラメータの統計比較を示している。
【図１０】実施例３の研究に関して、ニトログリセリン（ＧＴＮ）誘起の偏頭痛および健康な被験者を含むスマトリプタン血漿薬物動態パラメータの統計比較を示している。
【図１１】図１１（ａ）は、実施例３の研究における図２（ａ）および（ｂ）のブレスパワー（商標）装置の使用および伝統的な鼻腔スプレーポンプによる投与について、鼻の各領域への初期（０〜２分）の付着を示している。図１１（ｂ）は、実施例３の研究における図２（ａ）および（ｂ）のブレスパワー（商標）装置の使用および伝統的な鼻腔スプレーポンプによる投与について、初期（０〜２分）の鼻の水平方向における分布を示している。
【図１２】実施例３の研究における図２（ａ）および（ｂ）のブレスパワー（商標）装置および従来からの鼻腔スプレー（Ｉｍｉｔｒｅｘ（登録商標）  ６ｍｇ  Ｎａｓａｌ  Ｓｐｒａｙ、あるいは承認または後発同等品）を用いた２つのクロスオーバ研究からの経鼻スマトリプタンの薬物動態（ＰＫ）プロフィルを示しており、一方の研究がＧＴＮ攻撃の最中の偏頭痛患者において行われ、他方の研究は健康な志願者において行われている。
【図１３】実施例６の研究における頭痛が緩和された患者の割合を示している。
【図１４】パッケージの挿入物に報告された２時間の時点における痛みの緩和を示している。
【図１５】有効な薬剤および偽薬について、研究によってパッケージの挿入物に報告された２時間の時点における痛みの反応率を示している。
【図１６】実施例８の研究におけるおおむね鼻道の上方および下方の領域に配置されたｐＨプローブの位置を示している。
【図１７】実施例８の研究における図４（ａ）および（ｂ）のブレスパワー（商標）装置を使用した呼気の流れの関数としてのｐＨを示している。
【図１８】実施例８の研究における図３（ａ）および（ｂ）ならびに図４（ａ）および（ｂ）のブレスパワー（商標）装置を使用した呼気の流れの関数としてのｐＨを示している。
【図１９】実施例８の研究における図４（ａ）および（ｂ）のブレスパワー（商標）装置を使用した呼気の流れの関数としてのｐＨを示している。
【図２０】実施例８の研究における図４（ａ）および（ｂ）のブレスパワー（商標）装置を使用した呼気の流れの関数としてのｐＨを示している。
【図２１】先行技術文献（Ｓｈｕｓｔｅｒｍａｎ、２００３年）からの鼻へと投与された通常の空気（０％）ならびに１５％および４５％の二酸化炭素の３秒のパルスについてのデータを示している。
【図２２】実施例８の研究における口呼吸、穏やかな鼻呼吸、および図３（ａ）および（ｂ）ならびに図４（ａ）および（ｂ）のブレスパワー（商標）投与装置による投与の前の穏やかな鼻呼吸に関する呼気の流れの関数としてのｐＨを示している。
【図２３】実施例９の研究に関する患者の人口統計学データおよびベースライン特性（ＦＡＳ）を示している。
【図２４】実施例９の研究における図４（ａ）および（ｂ）のブレスパワー（商標）装置を用いたスマトリプタンの投与に関する疼痛反応を偽薬と比べて示している。
【図２５】実施例９の研究において、図４（ａ）および（ｂ）のブレスパワー（商標）装置の使用について、投与後１２０分までの所定の時点において頭痛が緩和された患者ならびに２４および４８時間の時点において緩和が維持された患者の割合（ＦＡＳ）を、偽薬と比べて示している。
【図２６】実施例９の研究において、図４（ａ）および（ｂ）のブレスパワー（商標）装置の使用について、投与後１２０分の時点における有意な緩和の患者の割合（ＦＡＳ）を、偽薬と比べて示している。
【図２７】実施例９の研究において、図４（ａ）および（ｂ）のブレスパワー（商標）装置の使用について、投与後１２０分の時点において痛みからの解放を達成した患者の割合を、偽薬と比べて示している。
【図２８】実施例１０の研究の設計を示している。
【図２９】実施例１０の研究のための安全性評価サンプル（ＳＡＳ）における患者の人口統計学データおよびベースライン特性を示している。
【図３０】実施例１０の研究において、図４（ａ）および（ｂ）のブレスパワー（商標）装置を用いたスマトリプタン粉末の投与について、投与後３０分における疼痛緩和の主要評価項目（ＳＰＩＤ−３０）を、経口スマトリプタン錠剤（Ｉｍｉｔｒｅｘ（登録商標）  １００ｍｇ  Ｔａｂｌｅｔ、あるいは承認または後発同等品）と比べて示している。
【図３１】実施例１０の研究において、図４（ａ）および（ｂ）のブレスパワー（商標）装置を用いたスマトリプタン粉末の投与について、投与後３０分における疼痛緩和の主要評価項目（ＳＰＩＤ−３０）を、経口スマトリプタン錠剤（Ｉｍｉｔｒｅｘ（登録商標）  １００ｍｇ  Ｔａｂｌｅｔ、あるいは承認または後発同等品）と比べて示している。
【図３２】実施例１０の研究において、図４（ａ）および（ｂ）のブレスパワー（商標）装置を用いたスマトリプタン粉末の投与について、投与後の所定の時間期間における疼痛緩和の患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【図３３】実施例１０の研究において、図４（ａ）および（ｂ）のブレスパワー（商標）装置を用いたスマトリプタン粉末の投与について、投与後の所定の時間期間における疼痛緩和の患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【図３４】実施例１０の研究において、図４（ａ）および（ｂ）のブレスパワー（商標）装置を用いたスマトリプタン粉末の投与について、投与後の所定の時間期間において痛みから解放された患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【図３５】実施例１０の研究において、図４（ａ）および（ｂ）のブレスパワー（商標）装置を用いたスマトリプタン粉末の投与について、投与後の所定の時間期間において痛みから解放された患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【図３６】実施例１０の研究において、図４（ａ）および（ｂ）のブレスパワー（商標）装置を用いたスマトリプタン粉末の投与について、投与後の所定の時間期間において痛みが軽減された患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【図３７】実施例１０の研究において、図４（ａ）および（ｂ）のブレスパワー（商標）装置を用いたスマトリプタン粉末の投与について、投与後２４および４８時間において痛みから解放されたままであった患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【図３８】実施例１０の研究において、図４（ａ）および（ｂ）のブレスパワー（商標）装置を用いたスマトリプタン粉末の投与について、投与後１２０分以内に定型でないトリプタン感覚を有した患者の割合を、経口スマトリプタン錠剤（Ｉｍｉｔｒｅｘ（登録商標）  １００ｍｇ  Ｔａｂｌｅｔ、あるいは承認または後発同等品）と比べて示している。
【発明を実施するための形態】
【０１２８】
次に、添付の図面に実施例が示されている本発明の典型的な実施形態を詳しく参照する。可能な限り、同じ参照番号が、図面の全体を通して同一または類似の部分を指して使用される。
【０１２９】
典型的な送出装置
装置１
図２（ａ）および図２（ｂ）が、一実施形態による粉末エアロゾルをもたらす（ｄｅｌｉｖｅｒ，配送する）ように動作することができる第１のブレスパワー（Ｂｒｅａｔｈ  Ｐｏｗｅｒｅｄ（商標））双方向（Ｂｉ−Ｄｉｒｅｃｔｉｏｎａｌ（商標））粉末送出装置（ｐｏｗｄｅｒ  ｄｅｌｉｖｅｒｙ  ｄｅｖｉｃｅ，粉末配送装置）を示している。
【０１３０】
この送出装置は、ハウジング１５と、カプセルＣを受け入れるカプセル収容ユニット１６と、被験者の鼻腔に収まるノーズピースユニット１７と、被験者が息を吐き出すマウスピース１８と、カプセル収容ユニット１６に収容されたカプセルＣを穿刺することによって送出装置を動作に向けて準備するように機能することができるカプセル穿刺機構２０とを備えている。
【０１３１】
ハウジング１５は、以下でさらに詳しく説明されるように、この実施形態においてはハウジング１５の上端に位置し、ノーズピースユニット１７を受け入れる第１のノーズピース開口２１と、この実施形態においてはハウジング１５の端壁に位置し、カプセル穿刺機構２０の作動ボタン８１が延びている第２の横開口２２とを備えている。
【０１３２】
カプセル収容ユニット１６は、以下でさらに詳しく説明されるように、この実施形態においてはノーズピースユニット１７のカプセル収容部材４９内に収容されたカプセルＣを受け入れるために、この実施形態においてはハウジング１５のノーズピース開口２１に対向して配置された細長い直立したチャンバであるカプセル収容部材２３を備えている。
【０１３３】
この実施形態において、カプセル収容部材２３は、気流を通過させるための入り口２４および出口２５を備えており、カプセル収容部材２３の上側の下流端によって定められる出口２５は、ノーズピースユニット１７のカプセル収容部材４９を収容し、カプセル収容部材４９がカプセル収容部材２３内にぴったりと収まるように構成されている。
【０１３４】
ノーズピースユニット１７は、ハウジング１５のノーズピース開口２１に収まるように構成された本体部材４５と、被験者の鼻孔に収まるように本体部材４５から外に延びたノーズピース４７と、本体部材４５から内側に延び、被験者の鼻腔にもたらされるべき内容物を有するカプセルＣを収容するカプセル収容部材４９とを備える。一実施形態において、カプセルＣは、粉末状の物質などの粒子状物質と、典型的には医薬物質とを収容するヒドロキシプロピルメチルセルロース（ＨＰＭＣ）カプセルである。他の実施形態においては、カプセルＣを、ヒドロキシプロピルセルロース、メチルセルロース、エチルセルロース、およびカルボキシメチルセルロースなどの別のセルロース誘導体で実質的に形成することができる。代案の実施形態においては、カプセルＣを、ゼラチン誘導体から形成することができる。一実施形態においては、カプセルＣを、パリレンなどの疎水性材料で覆うことができる。
【０１３５】
この実施形態において、ノーズピース４７は、ノーズピースユニット１７を被験者の鼻腔に案内し、鼻孔の鼻道との流体を漏らさない密着をもたらすための実質的に円錐台形状の外側部分５３を有するとともに、ここでは実質的に円筒状の部分であり、物質を被験者の鼻腔の後部領域にもたらし、この実施形態においては前鼻棘ＡｎＳの後方の前鼻棘ＡｎＳと後鼻棘ＰｎＳとの間の距離の４分の１に相当する位置に位置する鉛直面と、鼻孔底の上方の鼻孔底と篩板との間の距離の３分の１の高さに位置する水平面とによって境界付けられる上後領域にもたらす内部チャネル５５を備えている。上述したように、本発明の発明者は、鼻腔の上後領域にもたらされる粉末状物質を増やすことで、驚くべきことに、例えば伝統的な液体鼻腔スプレーなどの物質の伝統的な経鼻投与と比べて、きわめて迅速な作用の発現がもたらされることに気が付いた。
【０１３６】
この実施形態において、ノーズピース４７は、物質のかなりの割合を鼻腔の上後領域にもたらすように構成され、ここでは届けられる量の３０％超を初期にもたらすように構成される。
【０１３７】
この実施形態において、ノーズピース４７は、ここでの言及によってその全体が援用される本出願の出願人による以前の国際公開第２０００／０５１６７２号に開示されているように、被験者の鼻孔との流体を漏らさない密着の提供において、被験者の鼻気道を通る双方向の送達を提供する。しかしながら、別の実施形態においては、ノーズピース４７が必ずしも密着する収まりをもたらす必要はなく、すなわち鼻腔への送出をもたらすが、必ずしも双方向の送達をもたらす必要はない。
【０１３８】
この実施形態において、ノーズピース４７は、所定のサイズを上回るカプセルＣの一部などの異物がノーズピース４７を通過して被験者の鼻腔に進入することがないように、典型的には穴開き要素またはメッシュ要素であるトラップ要素５７を備える。
【０１３９】
カプセル収容部材４９は、この実施形態においては円筒形である細長い流路６３と、流路６３の一端（下流端）に連通した入り口開口６５とを備えており、カプセルＣは、気流が流路６３を通ってもたらされるときに流路６３内で回転できるように、軸が流路６３に沿うように配置され、入り口開口６５は、入り口開口６５を通ってもたらされる気流に流れの制限をもたらすとともに、流路６３を通って気流がもたらされるまでのカプセルＣの一端（下端）のための座として機能する。
【０１４０】
カプセル収容部材４９は、カプセルＣをカプセルＣの軸方向の長さに沿って間隔を開けた位置において穿刺することができるように、カプセル収容部材４９の側壁に複数の（この実施形態においては、第１および第２の）穿刺穴７１、７３をさらに備える。一実施形態において、第１の（下方の）穴７１は、カプセルＣの下端が流路６３の入り口開口６５に着座しているときにカプセルＣに収容された物質の高さよりも上方の位置においてカプセルＣが穿刺されるように位置することができる。この方法で、カプセルＣに収容された物質は、気流が流路６３を通ってもたらされるまで流路６３に放出されることがない。
【０１４１】
この実施形態において、ノーズピースユニット１７は、送出装置の作動のたびに交換される交換式のユニットとして設けられる。この実施形態において、ノーズピースユニット１７を、例えばアルミニウム箔パッケージなどの気密のパッケージに梱包することができる。
【０１４２】
マウスピースユニット１８は、この実施形態においては被験者の唇に把持され、カプセル収容ユニット１６を通って運搬用の気流をもたらすために被験者が息を吐き出すマウスピース７７と、この実施形態においては細長い管状の部分であり、マウスピース７７とカプセル収容ユニット１６とを連通させる空気チャンバ７８とを備える。
【０１４３】
この実施形態において、空気チャンバ７８は、カプセル収容ユニット１６のカプセル収容部材２３よりも大きい体積を有し、一実施形態においては、カプセル収容部材２３の体積の少なくとも２倍の体積を有する。
【０１４４】
一実施形態において、空気チャンバ７８は、少なくともその上流端に、ここでは呼気の気流を冷却するための凝縮器として形成される温度調節器７９を備える。この構成によって、呼気の際に吐き出される気流が冷却される。
【０１４５】
この実施形態において、温度調節器７９は、ラビリンス構造を備える。別の実施形態において、温度調節器７９は、微生物フィルタとしても機能することができるフィルタ要素によってもたらされてよい。
【０１４６】
一実施形態において、温度調節器７９は、送出装置が使用されていないときに内部に集まった凝縮物を乾燥させるための手段を備えることができる。
【０１４７】
一実施形態において、空気チャンバ７８は、清掃または交換などが可能であるように取り外し可能であってよい。
【０１４８】
この構成は、カプセルＣからの物質の送出において、送出装置の信頼できる動作をもたらすことが明らかになっている。本発明の発明者は、湿った呼気をカプセルＣに直接もたらすと、場合によってはカプセルＣの必要な回転が妨げられ、カプセルＣに収容された物質の適切な放出が妨げられる可能性があることを突き止めた。より低温の空気を用意し、そのような低温の空気を最初に噴出にてもたらすように構成することで、カプセルＣの必要な回転が繰り返し見られる。
【０１４９】
カプセル穿刺機構２０は、被験者による操作などが可能であるようにハウジング１５の横開口２２を通って延びている作動ボタン８１と、作動ボタン８１によって支持され、作動ボタン８１の前方に延びており、作動ボタン８１が後退位置から突出位置に押し込まれるときにカプセル収容部材４９の側壁の穿刺穴７１、７３のうちの該当の１つを通って駆動されてカプセルＣを穿刺する複数の（この実施形態においては第１および第２の）穿刺要素８３、８５とを備える。
【０１５０】
この実施形態において、カプセル穿刺機構２０は、作動ボタン８１が押し込まれてカプセルＣが穿刺された後に作動ボタン８１を後退位置に戻すために、作動ボタン８１を後退位置に向かって外方向に付勢するように機能する弾性要素８７を備える。この実施形態において、弾性要素８７は、作動ボタン８１の一体の一部分として形成されているが、他の実施形態においては、圧縮ばねなどの別途の要素として設けられてもよい。
【０１５１】
次に、この送出装置の典型的な動作を、以下で説明する。
【０１５２】
最初に、送出装置を手に取り、ノーズピースユニット１７をハウジング１５に挿入して、被験者は、カプセル穿刺機構２０の作動ボタン８１を押し、カプセル収容部材４９に収容されたカプセルＣを穿刺する。
【０１５３】
作動ボタン８１を押すことにより、カプセルＣは、カプセルＣの軸方向の長さに沿って間隔を開けて位置する２つの位置において、穿刺要素８３、８５によって穿刺される。
【０１５４】
次いで、作動ボタン８１が放され、付勢要素８７の付勢のもとで作動ボタン８１が後退位置に復帰する。この方法で、送出装置が準備され、すぐに使用できる状態となる。
【０１５５】
次いで、被験者は、ノーズピース４７が流体を漏らさない密着を達成するように鼻孔の鼻道に当接するまで、ノーズピース４７を自身の鼻腔に挿入し（この時点で、ノーズピース４７の遠位端は被験者の鼻腔に約２ｃｍ延びる）、マウスピース７７を自身の唇に保持する。
【０１５６】
次いで、被験者は、マウスピース７７を通して息を吐き出し始め、この呼気が、被験者の口腔咽頭の軟口蓋を閉じ、被験者の鼻気道を通って気流を送るように機能し、気流が一方の鼻腔を通過し、鼻中隔の後縁を巡り、他方の鼻孔から出ることで、被験者の鼻気道を通る双方向の気流が達成される。
【０１５７】
被験者が充分な力で息を吐き出すとき、カプセルＣは、カプセル収容部材４９の入り口開口６５によって定められる座から持ち上げられて回転し、この回転が、カプセルＣ内から物質を放出し、吐き出された気流に乗せて被験者の鼻腔の後部領域に届けるように機能する。呼気が続けられるとき、カプセルＣは回転を続ける。
【０１５８】
さらに、この装置において、カプセルＣは、振動するように構成され、この振動が、鼻孔に挿入されたノーズピースユニット１７によってもたらされる音の伝達経路を通じて、特には鼻腔の後部領域において鼻気道の換気を促進するように機能する。この振動は、後述の検討において概説されるように、効能に貢献すると考えられる。
【０１５９】
次いで、送出装置のこの動作が、装置を他方の第２の鼻孔へと装着して、新たなカプセルＣで繰り返される。この実施形態においては、ノーズピースユニット１７の全体が交換されるが、他の実施形態においては、カプセル収容部材４９またはカプセルＣだけを交換してもよい。
【０１６０】
ガスを、２、３、４、５、６、７、８、９、または１０ｋＰａの圧力でもたらすことができる。
【０１６１】
装置２
図３（ａ）および図３（ｂ）が、液体エアロゾルを届けるように機能することができるブレスパワー（商標）双方向（商標）液体送出装置を示している。
【０１６２】
この送出装置は、ハウジング１１５と、被験者の鼻腔に収まるノーズピース１１７と、使用時に被験者が息を吐き出すマウスピース１１８と、被験者の鼻腔に物質をもたらすように手動で動作させることができる物質供給ユニット１２０とを備えており、被験者がマウスピース１１８を通って息を吐き出すときに被験者の鼻気道に気流をもたらすことができる。
【０１６３】
ハウジング１１５は、この実施形態においては実質的に細長い管状の部分であり、物質供給ユニット１２０の操作部（この実施形態においては、物質収容室１５１の底部によって定められる）を突出させる開口１２３を一端に含んでいる本体部材１２１を備えている。
【０１６４】
ハウジング１１５は、さらに詳しく後述されるように、物質供給ユニット１２０の作動と同時に、この実施形態においては空気の噴出の形態である気流をノーズピース１１７を通ってもたらすなどのために、ノーズピース１１７およびマウスピース１１８に連通し、図３（ａ）および図３（ｂ）に示されるように閉状態および開状態の間で動作することができるバルブアセンブリ１２５をさらに備える。
【０１６５】
バルブアセンブリ１２５は、主たる本体要素１２７と、図３（ａ）および図３（ｂ）に示されるように閉位置および開位置の間をスライドできるように本体要素１２７に配置されたバルブ要素１２９とを備える。
【０１６６】
本体要素１２７は、この実施形態においては管状の部分であり、バルブ要素１２９がスライド可能に配置されるバルブ部分１３１と、バルブ部分１３１の下流にあり、ノーズピース１１７に連通し、この実施形態においては先細りの部分を有している内向きのフレア状の前部１３３とを備えている。
【０１６７】
本体要素１２７のバルブ部分１３１およびバルブ要素１２９の各々は、バルブ要素１２９が閉位置にあるときには連通せず、バルブ要素１２９が開位置にあるときには連通するバルブ開口１３７、１３９を備えている。
【０１６８】
ノーズピース１１７は、ノーズピース１１７と被験者の鼻腔との間に密着した収まりをもたらす外側シール面１４３を定める本体部材１４１と、被験者がマウスピース１１９を通じて息を吐き出すときに気流を被験者の鼻気道に選択的にもたらすようにマウスピース１１９に選択的に連通する内側送出チャネル１４５と、送出チャネル１４５内に配置され、被験者の鼻気道に物質を届ける出口ユニット１４７とを備える。
【０１６９】
この実施形態において、出口ユニット１４７は、物質を被験者の鼻気道に届けるためにノズル１４９を備える。この実施形態において、ノズル１４９は、送出チャネル１４５内に送出チャネル１４５と同軸に配置される。
【０１７０】
一実施形態において、出口ユニット１４７の遠位端は、被験者の鼻腔に少なくとも約２ｃｍ、少なくとも約３ｃｍ、あるいは約２ｃｍ〜約３ｃｍ延びるように構成されてよい。
【０１７１】
この実施形態において、物質供給ユニット１２０は、物質収容室１５１と機械式送出ポンプ１５３とを備えるポンプユニットであり、物質収容室１５１は、物質を収容し、物質供給ユニット１２０の操作部としてハウジング１１５の開口１２３から突出し、機械式送出ポンプ１５３は、一定量の物質を物質収容室１５１から出口ユニット１４７にもたらし、ここではエアロゾルスプレーとして出口ユニット１４７のノズル出口１４９からもたらすために、ここでは典型的には被験者の指または親指によって物質収容室１５１を押し込むことによって作動させることができる。
【０１７２】
この実施形態において、物質収容室１５１は、バルブアセンブリ１２５のバルブ要素１２９と一緒に動いて物質供給ユニット１２０の動作およびバルブアセンブリ１２５の開放を同時にもたらすことによって、ここではスプレーの形態である物質と、ここでは空気の噴出としての気流とを、被験者の鼻腔に同時にもたらすように、バルブアセンブリ１２５のバルブ要素１２９に接続される。
【０１７３】
この実施形態において、機械式送出ポンプ１５３は、一定量の物質をもたらすための液体送出ポンプであるが、別の実施形態においては、機械式送出ポンプ１５３が、作動時に一定量の粉末状物質をもたらす粉末送出ポンプであってもよい。
【０１７４】
この実施形態において、物質供給ユニット１２０は、連続的な送出動作において一定量の物質を複数回もたらすことができる複数回分のユニットである。
【０１７５】
装置３
図４（ａ）および図４（ｂ）が、別の実施形態による粉末エアロゾルをもたらすように動作することができる第２のブレスパワー（商標）双方向（商標）粉末送出装置を示している。
【０１７６】
この送出装置は、ハウジング２１５と、カプセルＣを受け入れるカプセル収容ユニット２１６と、被験者の鼻腔に収まるノーズピースユニット２１７と、被験者が息を吐き出すマウスピース２１８と、マウスピース２１８をハウジング２１５に結合させる可撓結合部２１９と、カプセル収容ユニット２１６に収容されたカプセルＣを穿刺することによって送出装置を動作に向けて準備するように機能することができるカプセル穿刺機構２２０とを備えている。
【０１７７】
ハウジング２１５は、本明細書においてさらに詳しく説明されるように、この実施形態においてはハウジング２１５の上端に位置し、ノーズピースユニット２１７を受け入れる第１のノーズピース開口２２１と、この実施形態においてはハウジング２１５の端壁に位置し、カプセル穿刺機構２２０の作動ボタン２８１が延びている第２の横開口２２２とを備えている。
【０１７８】
カプセル収容ユニット２１６は、本明細書においてさらに詳しく説明されるように、この実施形態においてはノーズピースユニット２１７のカプセル収容部材２４９内に収容されたカプセルＣを受け入れるために、この実施形態においてはハウジング２１５のノーズピース開口２２１に対向して配置された細長い直立したチャンバであるカプセル収容部材２２３を備えている。
【０１７９】
この実施形態において、カプセル収容部材２２３は、気流を通過させるための入り口２２４および出口２２５を備えており、カプセル収容部材２２３の上側の下流端によって定められる出口２２５は、ノーズピースユニット２１７のカプセル収容部材２４９を収容し、カプセル収容部材２４９がカプセル収容部材２２３内にぴったりと収まるように構成されている。
【０１８０】
ノーズピースユニット２１７は、ハウジング２１５のノーズピース開口２２１に収まるように構成された本体部材２４５と、被験者の鼻孔に収まるように本体部材２４５から外に延びたノーズピース２４７と、本体部材２４５から内側に延び、被験者の鼻腔にもたらされるべき内容物を有するカプセルＣを収容するカプセル収容部材２４９とを備える。この実施形態において、カプセルＣは、ゼラチンから形成される。一実施形態においては、カプセルＣを、パリレンなどの疎水性材料で覆うことができる。
【０１８１】
この実施形態において、ノーズピース２４７は、ノーズピースユニット２１７を被験者の鼻腔に案内し、鼻孔の鼻道との流体を漏らさない密着をもたらすための実質的に円錐台形状の外側部分２５３を有するとともに、ここでは実質的に円筒状の部分であり、物質を被験者の鼻腔の後部領域にもたらし、この実施形態においては前鼻棘ＡｎＳの後方の前鼻棘ＡｎＳと後鼻棘ＰｎＳとの間の距離の４分の１に相当する位置に位置する鉛直面と、鼻孔底の上方の鼻孔底と篩板との間の距離の３分の１の高さに位置する水平面とによって境界付けられる上後領域にもたらす内部チャネル２５５を備えている。上述したように、本発明の発明者は、鼻腔の上後領域にもたらされる粉末状物質を増やすことで、驚くべきことに、例えば伝統的な液体鼻腔スプレーなどの物質の伝統的な経鼻投与と比べて、きわめて迅速な作用の発現がもたらされることに気が付いた。
【０１８２】
この実施形態において、ノーズピース２４７は、物質のかなりの割合を鼻腔の上後領域にもたらすように構成され、ここでは届けられる量の３０％超を初期にもたらすように構成される。
【０１８３】
この実施形態において、ノーズピース２４７は、ここでの言及によってその全体が援用される本出願の出願人による以前の国際公開第２０００／０５１６７２号に開示されているように、被験者の鼻孔との流体を漏らさない密着の提供において、被験者の鼻気道を通る双方向の送達を提供する。しかしながら、別の実施形態においては、ノーズピース２４７が必ずしも密着する収まりをもたらす必要はなく、すなわち鼻腔への送出をもたらすが、必ずしも双方向の送達をもたらす必要はない。
【０１８４】
カプセル収容部材２４９は、この実施形態においては円筒形である細長い流路２６３と、流路２６３の一端（下流端）に連通した入り口開口２６５とを備えており、カプセルＣは、気流が流路２６３を通ってもたらされるときに流路２６３内で回転できるように、軸が流路２６３に沿うように配置され、入り口開口２６５は、入り口開口２６５を通ってもたらされる気流に流れの制限をもたらすとともに、流路２６３を通って気流がもたらされるまでのカプセルＣの一端（下端）のための座として機能する。
【０１８５】
カプセル収容部材２４９は、カプセルＣをカプセルＣの軸方向の長さに沿って間隔を開けた位置において穿刺することができるように、カプセル収容部材２４９の側壁に複数の（この実施形態においては、第１および第２の）穿刺穴２７１、２７３をさらに備える。
【０１８６】
この実施形態において、ノーズピースユニット２１７は、送出装置の作動のたびに交換される交換式のユニットとして設けられる。この実施形態において、ノーズピースユニット２１７を、例えばアルミニウム箔パッケージなどの気密のパッケージに梱包することができる。
【０１８７】
マウスピース２１８は、この実施形態においては、被験者の唇に把持され、カプセル収容ユニット２１６を通って運搬用の気流をもたらすために被験者が息を吐き出すときに、この実施形態においては剛体または半剛体材料からなる管状部２７５を備える。
【０１８８】
可撓結合部２２０は、ノーズピース２４７に対するマウスピース２１８の移動を可能にし、この実施形態においてはノーズピース２４７に対するマウスピース２１８の非対称な並進を可能にする弾性要素である。
【０１８９】
本発明の発明者は、マウスピース２１８の移動時にノーズピース２４７に対するマウスピース２１８の非対称な並進を、特にはノーズピース２４７の軸に沿った方向の移動がノーズピース２４７に対する横方向の移動よりも大きくなるようなやり方でもたらすことで、患者の服薬順守および効能の改善を可能にする構成がもたらされることを明らかにした。
【０１９０】
この実施形態において、マウスピース２１８の遠位端Ｄは、ノーズピース２４７の軸に直交する方向Ｘと比べて、ノーズピース２４７の軸に平行な方向に少なくとも１．５倍大きい距離Ｙだけ移動するように構成される。より好ましくは、マウスピース２１８の遠位端Ｄは、ノーズピース２４７の軸に直交する方向Ｘと比べて、ノーズピース２４７の軸に平行な方向Ｙに少なくとも１．７５倍または少なくとも２倍大きい距離だけ移動するように構成される。
【０１９１】
この実施形態において、可撓結合部２２０は、マウスピース２１８を通る呼気によってカプセル収容ユニット２１６へと気流がもたらされるように、一部分においてハウジング２１５へと取り付けられ、別の部分においてマウスピース２１８の管状部２７５へと取り付けられる環状結合部材２７７を備える。
【０１９２】
この実施形態において、結合部材２７７は、ここではノーズピース２４７に近い結合部材２７７の一方側（上側）にヒンジ部２７９をもたらすように構成され、マウスピース２１８は、付勢力Ｆの印加によって上方または下方へと付勢されたときにヒンジ部２７９を中心にして優先的に回転する。
【０１９３】
この実施形態において、結合部材２７７は、一方側（上側）へとより短い寸法を有することで、マウスピース２１８が一方側（上側）を中心として回転するように保証し、ノーズピース２４７から遠い他方側（下側）へと次第に増加する寸法を有している。
【０１９４】
この実施形態において、結合部材２７７は、他方側（下側）に向かって大きくなる弓形の湾曲したプロフィル２８０を有し、マウスピース２１８が上方へと付勢される場合の伸び、およびマウスピース２１８が下方へと付勢する場合の圧縮を可能にする。
【０１９５】
この実施形態において、プロフィル部分２８０は、マウスピース２１８を上方へと付勢するために必要な付勢力がマウスピース２１８を下方へと付勢するために必要な付勢力よりも小さくなるように湾曲している。
【０１９６】
この実施形態において、結合部材２７７は、ノーズピース２４７の軸に対して約５０度の角度にマウスピース２１８の軸をもたらすとともに、マウスピース２１８がノーズピース２４７の軸に対して約３８度の角度を囲むように約１２度の角度だけ上方へと移動でき、かつノーズピース２４７の軸に対して約５７度の角度を囲むように約７度の角度だけ下方へと移動できるように構成される。
【０１９７】
別の実施形態においては、結合部材２７７を、湾曲したプロフィル部分２８０を有することに代え、あるいは湾曲したプロフィル部分２８０を有することに加えて、結合部材２７７の材料が一方側（上側）において他方側（下側）よりも弾性的でないように、勾配付けられた材料で形成することができる。
【０１９８】
この実施形態において、結合部材２７７は、好ましくは５０というデュロメータを有する熱可塑性エラストマ（ＴＰＥ）で形成される。
【０１９９】
カプセル穿刺機構２２０は、被験者による操作などが可能であるようにハウジング２１５の横開口２２２を通って延びている作動ボタン２８１と、作動ボタン２８１によって支持され、作動ボタン２８１の前方に延びており、作動ボタン２８１が後退位置から突出位置に押し込まれるときにカプセル収容部材２４９の側壁の穿刺穴２７１、２７３のうちの該当の１つを通って駆動されてカプセルＣを穿刺する複数の（この実施形態においては第１および第２の）穿刺要素２８３、２８５とを備える。
【０２００】
この実施形態において、カプセル穿刺機構２２０は、作動ボタン２８１が押し込まれてカプセルＣが穿刺された後に作動ボタン２８１を後退位置に戻すために、作動ボタン２８１を後退位置に向かって外方向に付勢するように機能する弾性要素２８７を備える。この実施形態において、弾性要素２８７は、作動ボタン２８１の一体の一部分として形成されているが、他の実施形態においては、圧縮ばねなどの別途の要素として設けられてもよい。
【０２０１】
次に、この送出装置の典型的な動作を、以下で説明する。
【０２０２】
最初に、送出装置を手に取り、ノーズピースユニット２１７をハウジング２１５に挿入して、被験者は、カプセル穿刺機構２２０の作動ボタン２８１を押し、カプセル収容部材２４９に収容されたカプセルＣを穿刺する。
【０２０３】
作動ボタン２８１を押すことにより、カプセルＣは、カプセルＣの軸方向の長さに沿って間隔を開けて位置する２つの位置において、穿刺要素２８３、２８５によって穿刺される。
【０２０４】
次いで、作動ボタン２８１が放され、付勢要素２８７の付勢のもとで作動ボタン２８１が後退位置に復帰する。この方法で、送出装置が準備され、すぐに使用できる状態となる。
【０２０５】
次いで、被験者は、ノーズピース２４７が流体を漏らさない密着を達成するように鼻孔の鼻道に当接するまで、ノーズピース２４７を自身の鼻腔に挿入し（この時点で、ノーズピース２４７の遠位端は被験者の鼻腔に約２ｃｍ延びる）、マウスピース２７７を自身の唇に保持する。
【０２０６】
次いで、被験者は、マウスピース２１８を通して息を吐き出し始め、この呼気が、被験者の口腔咽頭の軟口蓋を閉じ、被験者の鼻気道を通って気流を送るように機能し、気流が一方の鼻腔を通過し、鼻中隔の後縁を巡り、他方の鼻孔から出ることで、被験者の鼻気道を通る双方向の気流が達成される。
【０２０７】
被験者が充分な力で息を吐き出すとき、カプセルＣは、カプセル収容部材２４９の入り口開口２６５によって定められる座から持ち上げられて回転し、この回転が、カプセルＣ内から物質を放出し、吐き出された気流に乗せて被験者の鼻腔の後部領域に届けるように機能する。呼気が続けられるとき、カプセルＣは回転を続ける。
【０２０８】
さらに、この装置において、カプセルＣは、振動するように構成され、この振動が、鼻孔に挿入されたノーズピースユニット２１７によってもたらされる音の伝達経路を通じて、特には鼻腔の後部領域において鼻気道の換気を促進するように機能する。この振動は、後述の検討において概説されるように、効能に貢献すると考えられる。
【０２０９】
次いで、送出装置のこの動作が、新たなノーズピースユニット２１７にて、装置を他方の第２の鼻孔へと装着して繰り返される。この実施形態においては、ノーズピースユニット２１７の全体が交換されるが、他の実施形態においては、カプセル収容部材２４９またはカプセルＣだけを交換してもよい。
【０２１０】
ガスを、２、３、４、５、６、７、８、９、または１０ｋＰａの圧力でもたらすことができる。
【０２１１】
次に、本発明を、以下の実施例（ただし、これらに限られるわけではない）を参照して説明する。
【実施例１】
【０２１２】
この検討の主要な目的は、スマトリプタンの投与後の頭痛の緩和の発現を研究することにあった。また、この研究は、スマトリプタン治療の後の効用および安全性ならびに許容性を評価した。頭痛の緩和を、頭痛疾患の国際分類（第２版）（ｔｈｅ  Ｉｎｔｅｒｎａｔｉｏｎａｌ  Ｃｌａｓｓｉｆｉｃａｔｉｏｎ  ｏｆ  Ｈｅａｄａｃｈｅ  Ｄｉｓｏｒｄｅｒｓ（２ｎｄ  Ｅｄｉｔｉｏｎ））の基準における中程度の痛み（グレード２）または深刻な痛み（グレード３）から痛みなし（グレード０）または軽い痛み（グレード１）への軽減と定義した。
【０２１３】
４３６名の被験者を、研究サンプルとした。研究における処置を、（ｉ）図２（ａ）および（ｂ）のブレスパワー（商標）投与装置による鼻腔への１６ｍｇのスマトリプタン粉末の経鼻投与と経口錠剤偽薬との組み合わせ、および（ｉｉ）有効物質を含んでいないブレスパワー（商標）投与システムを使用しつつ１００ｍｇのスマトリプタンを経口投与する１００ｍｇの経口スマトリプタン錠剤（Ｉｍｉｔｒｅｘ（登録商標）  １００ｍｇ  Ｔａｂｌｅｔ、あるいは承認または後発同等品）の投与とした。
【０２１４】
研究では、単独の偏頭痛の発作の急性治療において、図２（ａ）および（ｂ）のブレスパワー（商標）投与装置を用いた１６ｍｇの投与量のスマトリプタンの経鼻投与の３０分後における頭痛の緩和を、１００ｍｇのスマトリプタンの経口投与と比較した。
【０２１５】
この研究における投与の３０分後および１２０分後における奏効率が、図５にまとめられている。見て取ることができるように、１００ｍｇのスマトリプタンの経口投与と偽薬装置との組み合わせにおいては、３０分後の奏効率が３９％であった。図２（ａ）および（ｂ）のブレスパワー（商標）装置を用いた１６ｍｇのスマトリプタンの投与と偽薬の経口錠剤との組み合わせでは、３０分後の奏効率が６７％であった。
【０２１６】
スマトリプタンの作用の早期の発現について考えられる機構は、二酸化炭素が感覚神経の活発化およびカルシトニン遺伝子関連ペプチド（ＣＧＲＰ）の放出を妨げることができることに起因している可能性があり、二酸化炭素および薬剤の流れのパターンも一定の役割を果たしている可能性がある。３〜７ｋＰａというより高い空気の圧力が、この装置の装置を通ってもたらされ、薬剤および二酸化炭素を鼻腔の後部領域に到達させることを可能にでき、特には三叉神経Ｖ１を狙うことを可能にできる。二酸化炭素への曝露および粘膜の圧力の組み合わせが有効かもしれない。二酸化炭素は、ＮＯの作用に対抗し、ＣＧＲＰの放出を促進できる。鼻粘膜のｐＨも、より高い二酸化炭素の圧力および濃度に曝されたときに変化する可能性がある。
【実施例２】
【０２１７】
この研究は、健康な被験者における無作為の非盲検の単回投与の交差の相対的バイオアベイラビリティ研究を含む。研究サンプルを、研究者によって健康であると判断され、医療歴、身体検査、血液化学、血液学（完全血球算定を含む）、尿検査、生体信号、および心電図（ＥＣＧ）によって判断される臨床的に関連する異常を有していない１８〜５５歳の男性および女性の２０名の被験者とした。対象の被験者について、ボディマスインデックス（ＢＭＩ）は１８〜３２ｋｇ／ｍ２であり、体重は５０ｋｇ以上であった。参加に先立ち、被験者は、研究における薬剤の各回の投与の前の４８時間および拘束の期間の最中についてアルコールの摂取を控え、カフェイン／メチルキサンチンの摂取を研究の前の７日間および研究の継続期間について１日につき３００ｍｇ未満に抑え、投与の前の２４時間および拘束の最中は摂取しないことに同意した。さらに被験者は、最後の薬物動態サンプルの採取後まで研究日−１前の７２時間についてグレープフルーツ、ダイダイ、またはキニンを含む食品または飲料（例えば、トニックウォータ）を消費せず、研究の最中にケシの実を含む食品を消費しないことに同意した。被験者を、両方の鼻孔を通る気流ならびに軟口蓋を閉じる能力（例えば、風船を膨らませる能力）について検証したところ、図２（ａ）および（ｂ）のブレスパワー（商標）装置を正しく使用することが可能であった。
【０２１８】
偏頭痛の履歴、もしくはスマトリプタンまたはその成分のいずれかあるいはスルホンアミドを含むあらゆる薬剤への過敏症またはアレルギの履歴を有する被験者は、除外した。被験者を、ヘモグロビンレベルがスクリーニング時に正常の下限よりも低い場合、スクリーニングの前の３ヵ月において献血を行い、あるいは多大な血液の喪失（＞５００ｍＬ）を被った場合、もしくは研究の完了から２ヵ月以内に献血を予定している場合に、不適格とした。投与の前の２８日間における薬剤分解酵素（ＣＹＰ−４５０）誘導物質の使用、投与の前の１４日間における薬剤分解酵素（ＣＹＰ−４５０）抑制剤の使用、投与の前の２８日間におけるあらゆるモノアミン酸化酵素抑制剤の使用、出産の能力を持つ女性の被験者におけるホルモン避妊薬を除くあらゆる処方薬／製品の使用、ならびに研究開始の１日以内におけるあらゆる店頭売りの非処方の調製品（推奨の量にて使用されるイブプロフェンおよびアセトアミノフェンを除く）の使用は、いずれも除外の対象とした。妊婦および授乳中の女性は除外した。アレルギ性鼻炎、鼻中隔湾曲、ポリープ症、深刻な粘膜の腫れ、鼻潰瘍、鼻の外傷、または何らかの他の理由による呼吸疾患または既知の鼻閉塞、慢性の鼻血の履歴、現在の鼻咽頭に関する疾病、ならびに既知の軟口蓋の機能不全の存在は、すべて除外の対象とした。
【０２１９】
研究を、６回の来所で構成した。最初の来所において、被験者を適格であるかどうか選別した。身体検査の後で、被験者に対して、図２（ａ）および（ｂ）のブレスパワー（商標）送出装置の使用についての指導を行った。ひとたび被験者について装置を適切に使用できることが実証されると、残りの選別手順（生体信号、ＥＣＧの記録、臨床検査室試験のための血液および尿の採取、アルコールおよび薬剤の摂取についての試験、血清妊娠試験（女性のみ））を実行した。
【０２２０】
適格の被験者は、診療所にさらに４回来所した（来所２〜５）。各々の来所において、被験者は、投与の前の晩に研究場所にチェックインし、スマトリプタン濃度を測定するための最後の血液サンプルの採取後まで研究場所にとどまった。無作為化を、Ｃｅｌｅｒｉｏｎ  Ｂｉｏａｎａｌｙｓｉｓ  Ｌａｂｏｒａｔｏｒｙ（米国ネブラスカ州Ｌｉｎｃｏｌｎ）によって生成した。被験者を、最初の処置の来所（来所２）において４×４のラテン方格法を使用して処置シーケンスに無作為に割り当てた。研究処置を、（ｉ）１６ｍｇの投与量をもたらす図２（ａ）および（ｂ）のブレスパワー（商標）装置によって経鼻投与される２０ｍｇのスマトリプタン粉末、（ｉｉ）２０ｍｇのスマトリプタン鼻腔用スプレー（Ｉｍｉｔｒｅｘ（登録商標）  ２０ｍｇ  Ｎａｓａｌ  Ｓｐｒａｙ、あるいはその承認または後発同等品）、（ｉｉｉ）１００ｍｇの経口錠剤（Ｉｍｉｔｒｅｘ（登録商標）  １００ｍｇＴａｂｌｅｔ、あるいはその承認または後発同等品）、および（ｉｖ）６ｍｇの皮下注射（Ｉｍｉｔｒｅｘ（登録商標）  ６ｍｇ  ＳＣ、あるいはその承認または後発同等品）とした。各々の被験者について、これら４つの処置の各々を、処置の間に７日の洗い流し期間を持たせつつ、４つの別々の期間において、各々の来所においてほぼ同じ時刻に行った。被験者を、投与の前の少なくとも８時間および投与後の４時間まで絶食とした。
【０２２１】
図２（ａ）および（ｂ）のブレスパワー（商標）装置によるスマトリプタン粉末の投与において、被験者は、最初に１回目の分の物質を第１のノーズピースユニット１７（スマトリプタンのフリーベース（ｆｒｅｅ  ｂａｓｅ）の１１ｍｇを収容しているカプセルＣ、平均投与量は７〜８ｍｇになる）から一方の鼻孔に自身で投与し、次いで２回目の分の物質を第２のノーズピースユニット１７（やはりスマトリプタンのフリーベースの１１ｍｇを収容しているカプセルＣ、平均投与量は８ｍｇになる）から他方の第２の鼻孔に自身で投与した。鼻腔用スプレーによる投与については、最初に被験者に適切な投与についての指導が行われ、次いで被験者は、１回分の２０ｍｇのスマトリプタンを一方の鼻孔に自身で投与した。経口錠剤は、２４０ｍＬの水で被験者によって摂取された。皮下注射については、研究者または被指名人が、６ｍｇのスマトリプタンを被験者の腹部に注射した。
【０２２２】
被験者を、スマトリプタン濃度を測定するための最後の血液採取の３〜１０日後に、事後評価のための最後の来所（来所６）にて再訪させた。安全性評価は、有害事象（ＡＥ）の報告、身体検査、臨床検査室試験、生体信号、およびＥＣＧの測定にもとづいた。
【０２２３】
血液サンプル（５ｍＬ）を、投与前（時刻０）ならびに投与後２、５、１０、１５、２０、２５、３０、４５分、１、１．５、２、３、４、６、８、１０、１２、および１４時間において、Ｋ２ＥＤＴＡを含む管に採取した。採取管を冷凍遠心機（２〜８℃）に１，５００×ｇで１０分間にわたって配置することによって、血漿部分を分離した。すべての血漿サンプルを、生物学的分析施設に送るまで−２０℃で凍結保存した。血漿サンプルを、Ｃｅｌｅｒｉｏｎ  Ｂｉｏａｎａｌｙｓｉｓ  Ｌａｂｏｒａｔｏｒｙ（米国ネブラスカ州Ｌｉｎｃｏｌｎ）において、検証済みのＬＣ−ＭＳ／ＭＳ法を使用してスマトリプタンについて分析した。定量化下限（ＬＬＯＱ）は０．１ｎｇ／ｍＬであり、ＬＬＯＱを下回るすべての濃度を、記述統計学およびＰＫパラメータの計算に関して０として取り扱った。すべてのＰＫパラメータを、ＷｉｎＮｏｎｌｉｎ  Ｐｒｏｆｅｓｓｉｏｎａｌ（登録商標）Ｖｅｒｓｉｏｎ  ５．２（米国カリフォルニア州Ｍｏｕｎｔａｉｎ  Ｖｉｅｗ）およびＳＡＳ（登録商標）（Ｒｅｌｅａｓｅ  Ｖｅｒｓｉｏｎ  ９．１．３，ＳＡＳ  Ｉｎｓｔｉｔｕｔｅ  Ｉｎｃ．，米国ノースカロライナ州Ｃａｒｙ）において無隔壁の手法を使用して計算した。計算したＰＫパラメータを以下に列挙する。
Ｃｍａｘ  観測された最大薬剤濃度
ｔｍａｘ  Ｃｍａｘに達するまでの時間
ＡＵＣ０−ｔ  時刻０から時刻ｔまでの薬剤濃度−時間曲線の下方の面積。ｔは線形台形規則を使用して計算される最後の測定可能濃度［Ｃｐ］の時刻。
ＡＵＣ０−∞  時刻０から無限遠までの薬剤濃度−時間曲線の下方の面積。ＡＵＣ０−∞＝ＡＵＣ０−ｔ＋Ｃｐ／λＺとして計算される。
ＡＵＣ０−１５ｍｉｎ  時刻０から１５分までの薬剤濃度−時間曲線の下方の面積。
ＡＵＣ０−３０ｍｉｎ  時刻０から３０分までの薬剤濃度−時間曲線の下方の面積。
ｔ1/2  最終排出半減期。ｌｎ（２）／λＺとして計算され、λＺは線形最小二乗回帰分析によって濃度−時間曲線の半対数グラフから計算される見掛けの一次最終排出速度定数である。
λＺ  最終排出速度定数
ＡＵＣ  無限遠までのＣｐから外挿されたＡＵＣ０−∞の割合。１００×［１−（ＡＵＣ０−ｔ／ＡＵＣ０−∞）］として計算される。
【０２２４】
サンプルサイズは、統計的検出力よりもむしろ実施上の考慮事項にもとづいた。２０人の被験者からなるサンプルサイズが、４×４のラテン方格法を用いた各々のシーケンスにおいて少なくとも５回の反復実験をもたらし、ＰＫパラメータのロバストな評価をもたらすと判定された。
【０２２５】
血漿濃度およびＰＫパラメータの値を、すべての記述統計学の計算に用いたＳＡＳ（登録商標）にインポートした。スマトリプタンのＩｎ−ｔｒａｎｓｆｏｒｍｅｄ  ＰＫパラメータＡＵＣ０−∞、ＡＵＣ０−ｔ、ＡＵＣ０−３０、およびＣｍａｘの分散分析（ＡＮＯＶＡ）を、処置の比較に使用した。ＡＮＯＶＡモデルは、シーケンス、処置、および期間を固定効果として含み、被験者が変量効果としてシーケンスに重なった。シーケンス効果を、有意性の５％レベルにおける誤差項として被験者（シーケンス）を使用して試験した。各々のＡＮＯＶＡは、最小二乗（ＬＳ）平均、処置のＬＳ平均の間の差、標準誤差、およびこの差に関する９０％信頼区間（ＣＩ）の計算を含んだ。ＬＳ平均、ＬＳ平均の間の差、および各々の差の９０％ＣＩを、元の目盛りに対して累乗した。２つの処置は、処置の差の９０％ＣＩが８０〜１２５％という容認範囲内に完全に含まれる場合に限り、生物学的に同等と見なされる。
【０２２６】
スマトリプタンの血漿濃度−時間のプロフィル（図６）は、４つの処置の各々の特徴を良好に示している。全曝露は、２つの経鼻投与によるスマトリプタン処置において、経口または皮下の経路によってもたらされるスマトリプタンと比べて大幅に少ない。２つの経鼻処置における投与後４時間までの平均血漿濃度−時間のプロフィルは、図２（ａ）および（ｂ）のブレスパワー（商標）装置による投与後に明らかに異なるプロフィル（図７）を示しており、すなわち投与後の最初の３０分において、図２（ａ）および（ｂ）のブレスパワー（商標）装置からのスマトリプタン粉末は、伝統的な液体スマトリプタンの鼻腔スプレーと比べ、血漿スマトリプタン濃度のより速やかな高まりおよび大幅に大きな曝露を生じさせている。
【０２２７】
４つの処置におけるＰＫパラメータの概要が、図８に示されている。すべての処置について、第１の点ｔｍａｘ値は存在せず、平均残留面積（ＡＵＣ％ｅｘｔｒａｐとして定義される）は約５％以下であった。図２（ａ）および（ｂ）のブレスパワー（商標）装置を用いたスマトリプタン粉末の経鼻投与は、スマトリプタンの鼻腔スプレーと比べて、投与された量は２０％少ないにもかかわらず、２７％高いピーク曝露（Ｃｍａｘ）および７５％多い早期曝露（ＡＵＣ０−１５）をもたらした。これは、投与量の調節にもとづけば、５９％高いピーク曝露および１１９％多い早期曝露を表わす。１４時間にわたってＡＵＣ０−ｔおよびＡＵＣ０−∞によって測定された全身曝露の程度は、図２（ａ）および（ｂ）のブレスパワー（商標）装置および鼻腔スプレー液体スマトリプタンについて同様であった。対照的に、図２（ａ）および（ｂ）のブレスパワー（商標）装置によってもたらされたスマトリプタン粉末においては、１００ｍｇの経口スマトリプタン錠剤および６ｍｇの皮下スマトリプタン注射の両者と比べて、ピークおよび全体としての全身曝露が大幅に低かった。両方の経鼻製品における吸収プロフィル曲線は、初期の経鼻吸収とその後の胃腸吸収との組み合わせに矛盾しない双峰のピークを特徴としたが、これらの製品は、同じパターンを示したわけではない（図７）。早期のピークが、図２（ａ）および（ｂ）のブレスパワー（商標）投与装置を使用してより高い一方で、後のピークは、鼻腔スプレーによる投与においてより高かった。
【０２２８】
約３〜４時間に位置する見かけの最終消失半減期は、２つの経鼻処置および経口錠剤においては同等であったが、皮下注射においては、より短い約２時間であった。
【０２２９】
幾何平均を用いた血漿スマトリプタンＰＫパラメータの統計比較が、図９にまとめられている。全身曝露の全体としての程度（投与量の調節なし）は、図２（ａ）および（ｂ）のブレスパワー（商標）投与装置および伝統的な液体鼻腔スプレーを用いたスマトリプタン粉末の投与において同様であったが、ピーク曝露および投与後の最初の３０分における累積曝露は、図２（ａ）および（ｂ）のブレスパワー（商標）投与装置を用いて投与されたスマトリプタン粉末においてそれぞれ約２０％および５２％高く、これは投与量が約２０％少ない（１６ｍｇ対２０ｍｇ）にもかかわらずより多くのスマトリプタンが投与後により早期に体循環に達したことを示唆している。経口錠剤および皮下注射の両者に対しては、図２（ａ）および（ｂ）のブレスパワー（商標）装置によるスマトリプタン粉末の経鼻投与後のピークおよび全体としての曝露が、大幅に低かった。
【０２３０】
使用後の図２（ａ）および（ｂ）のブレスパワー（商標）装置における残留物の定量的測定により、装置が各々の鼻孔に８±０．９ｍｇ（平均±ＳＤ）のスマトリプタン粉末をもたらした（平均総投与量は１６ｍｇになる）ことが明らかになった。１４時間にわたる全身曝露の程度は、図２（ａ）および（ｂ）のブレスパワー（商標）投与装置を用いた１６ｍｇのスマトリプタン粉末およびスマトリプタン鼻腔スプレーを用いた２０ｍｇの液体スマトリプタンの投与において同様（ＡＵＣ０−∞が６４．９ｎｇ・ｈｒ／ｍＬ対６１．１ｎｇ・ｈｒ／ｍＬ）であったが、スマトリプタン粉末この投与は、伝統的な液体鼻腔スプレーと比べて、投与量が２０％少ないにもかかわらず、ピーク曝露が２７％高く（Ｃｍａｘが２０．８ｎｇ／ｍＬ対１６．４ｎｇ／ｍＬ）、最初の３０分における曝露が６１％多かった（ＡＵＣ０−３０ｍｉｎが５．８ｎｇ・ｈｒ／ｍＬ対３．６ｎｇ・ｈｒ／ｍＬ）。差の大きさは、ミリグラム当たりの基準においてより大きく、同等の量をより少ないリスクでもたらすこと、またはより少ない量を大幅に低いリスクでもたらすことを可能にしている。標準的な鼻腔スプレー後の吸収プロフィルは、より低い早期の吸収およびその後のより高い吸収に一致した双峰のピークを示した。対照的に、図２（ａ）および（ｂ）のブレスパワー（商標）投与装置を用いた投与後のプロフィルは、より高い早期の吸収およびより低い後の吸収を示した。
【０２３１】
１００ｍｇの経口錠剤（Ｃｍａｘが７０．２ｎｇ／ｍＬ、ＡＵＣ０−∞が３０８．８ｎｇ・ｈｒ／ｍＬ）および６ｍｇの注射（Ｃｍａｘが１１１．６ｎｇ／ｍＬ、ＡＵＣ０−∞が１２８．２ｎｇ・ｈｒ／ｍＬ）と比べると、図２（ａ）および（ｂ）のブレスパワー（商標）投与装置を用いたスマトリプタン粉末の経鼻投与後のピークおよび全体としての曝露は、大幅に低かった。
【０２３２】
この研究における図２（ａ）および（ｂ）のブレスパワー（商標）投与装置を用いたスマトリプタン粉末の投与のＰＫ特性は、図２（ａ）および（ｂ）のブレスパワー（商標）投与装置を用いると、血漿濃度の初期の立ち上がりの速度が、鼻腔スプレーでの２０ｍｇのスマトリプタンの投与または経口錠剤での１００ｍｇのスマトリプタンの投与のいずれの後よりも速いことを示している。
【０２３３】
スマトリプタンの種々の経口および非経口の処方の比較は、吸収の初期の期間における血漿濃度の上昇の速度が効能の良好な目安をもたらすことを示し、伝統的な鼻腔スプレーにてもたらされる２０ｍｇのスマトリプタンの臨床効果が血漿レベルに大きな差があるにもかかわらず経口錠剤として投与される１００ｍｇのスマトリプタンの臨床効果と同様であることを部分的に説明できる。また、偏頭痛の患者において図２（ａ）および（ｂ）のブレスパワー（商標）投与装置を用いたスマトリプタン粉末の投与で観察される６０分における効能も説明することができる。
【０２３４】
経鼻投与の２つの形態についての平均吸収プロフィルの評価から、いくつかの重要な相違が明らかになる。生物学的に同等な現時点において利用可能なスマトリプタン注射製品の範囲と異なり、ＰＫプロフィルは、図２（ａ）および（ｂ）のブレスパワー（商標）投与装置および伝統的な液体鼻腔スプレーが生物学的に同等でないことを示している。液体鼻腔スプレーにおいては、２つのピークを有する明白な混成パターンが存在し、比較的低い経鼻吸収の後に、投与量の大部分が飲み込まれることに一致したほぼ胃腸吸収と思われる高度な吸収が続くことを示唆している。対照的に、図２（ａ）および（ｂ）のブレスパワー（商標）投与装置を用いたスマトリプタン粉末の投与後には早期のピークがより顕著であり、投与量のより多くの部分が経鼻的に吸収されることを示唆している。図８に示されるとおり、図２（ａ）および（ｂ）のブレスパワー（商標）投与装置を用いたスマトリプタン粉末の投与と標準的な液体鼻腔スプレーとの間の違いは、たとえ投与量について量の調整を行わなくても、Ｃｍａｘ（２０．８ｎｇ／ｍＬ対１６．４ｎｇ／ｍＬ）、ＡＵＣ０−３０（５．８ｎｇ・ｈｒ／ｍＬ対３．６ｎｇ・ｈｒ／ｍＬ）、およびＡＵＣ０−１５（２．１ｎｇ・ｈｒ／ｍＬ対１．２ｎｇ・ｈｒ／ｍＬ）などの吸収プロフィルを特徴付けるいくつかの指標においても明らかである。図２（ａ）および（ｂ）のブレスパワー（商標）投与装置を用いたスマトリプタン粉末の投与と比べたときの伝統的な鼻腔スプレーに関する最大濃度までの時間の遅れ（中央値ｔｍａｘが０．７５時間に対して１．５時間）も、ブレスパワー（商標）投与装置において早期の経鼻吸収の割合が高いことに矛盾しない。しかしながら、中央値ｔｍａｘ値は、双峰の吸収プロフィルの文脈において慎重に解釈されなければならない。
【０２３５】
スマトリプタン粉末が２つの鼻孔に投与されたのに対し、鼻腔スプレーが１つの鼻孔に投与されたことに注目すべきである。液体スマトリプタン鼻腔スプレーを両方の鼻孔に分けて投与することによる薬物動態プロフィルへの影響はすでに研究されており、１つの鼻孔への投与と比べて吸収の速度または程度に影響を与えないことが明らかになっている。したがって、投与の手順におけるこの違いは、今回の研究における発見を説明するものではないと思われる。
【０２３６】
図２（ａ）および（ｂ）のブレスパワー（商標）投与装置を使用して投与される薬剤カプセルのペアに入れられたスマトリプタン粉末の量は、約２０ｍｇであった。しかしながら、測定された平均投与量は１６ｍｇであり、伝統的な鼻腔スプレーによって投与された２０ｍｇのスマトリプタンよりも２０％少ない。このより少ない投与量は、２つの異なる経鼻投与の手法の間で見られる吸収の速度および程度の両方における差を、さらに強調する。
【０２３７】
スマトリプタン液体鼻腔スプレーは、未だ広くは使用されていない。これは、一部には、鼻腔スプレーに関して知覚される大きな利益が鼻腔スプレー投与の固有の不適切さによって制限されて少ないがゆえの動機の欠如の反映かもしれない。多くの被験者において薬剤の多くの部分が胃腸管から吸収されることに鑑み、経鼻投与と経口投与との間の差が、多くの患者において観察できない可能性がある。この研究のブレスパワー（商標）投与装置は、粉末を鼻弁の向こうの領域に分配することで、相対的に経鼻吸収が多く、胃腸吸収が少ない吸収プロフィルを生み出すことによって、典型的なスプレーの投与の不適切さの多くを回避する。処置後の最も早い時点における吸収の速度および程度について見られる大きな差は、鼻腔からの吸収がより大であることに起因すると考えられる。この研究は健康な志願者を対象にしたが、比例して大きい経鼻吸収に向かう変化は、経口投与と図２（ａ）および（ｂ）のブレスパワー（商標）投与装置を用いた投与との間の差が健康な志願者の場合よりもより顕著になり得る偏頭痛患者の臨床の文脈において、特に重要となり得る。多数の研究が、偏頭痛を有する患者において胃内容排出が遅いことを示しており、そのような患者における経口投与後の薬剤の吸収の信頼性および速度へのリスクならびに経口ＰＫ曲線の「右への移動」を示唆している。仮説ではあるが、スマトリプタン血中レベルの迅速な上昇の速度は、より速い発現速度またはより大きな治効をもたらすため、この研究のブレスパワー（商標）投与装置の使用が、経口投与または鼻腔スプレーによる投与と比べてより迅速な初期の上昇の速度を伴うことに、注目することが重要である。呼気によって生み出される正の圧力によって増強される真の経鼻投与の達成に関するさらなる理論上の利点として、薬剤および二酸化炭素が三叉神経の第１枝および副交感神経の翼口蓋神経節にもたらされること、およびおそらくはこの関連においてそれらが刺激されることが挙げられる。
【０２３８】
注射または経口のトリプタンの使用には、許容性および安全性の懸念が付随することがある。この研究から、この研究のブレスパワー（商標）投与装置の使用後のピークおよび全体としての全身曝露が、錠剤または注射と比べて大幅に低いことが明らかになった。曝露が少ないということは、安全性および許容性のプロフィルがより良好であり、すなわち所与の量における関連のリスクがより低いと言い換えることができる。この研究から、全身的副作用はなく、ただ１人の被験者が味覚障害を報告したにすぎず、スマトリプタン粉末の投与における図２（ａ）および（ｂ）のブレスパワー（商標）投与装置の使用がより安全であり、健康な被験者によって良好に許容されることが明らかになった。対照的に、４名の被験者が皮下注射後に発熱を経験し、３名の被験者の各々が錠剤および注射の後に吐き気を報告した。
【０２３９】
図２（ａ）および（ｂ）のブレスパワー（商標）経鼻投与装置を用いたスマトリプタン粉末の投与は、鼻腔スプレーと比べたときにより迅速かつより効率的な吸収プロフィルをもたらし、錠剤または注射よりも曝露レベルが大幅に低いと結論付けられる。
【実施例３】
【０２４０】
この研究は、健康な被験者と比較したときのニトログリセリン（ＧＴＮ）誘起の偏頭痛を有する被験者における図２（ａ）および（ｂ）のブレスパワー（商標）投与装置および伝統的な鼻腔スプレー（Ｉｍｉｔｒｅｘ（登録商標）  ２０ｍｇ  Ｎａｓａｌ  Ｓｐｒａｙ、あるいは承認または後発同等品）を用いたスマトリプタンの投与を調査した。
【０２４１】
図１０〜１２が、図２（ａ）および（ｂ）のブレスパワー（商標）送出装置および２０ｍｇの鼻腔スプレーの両方を使用して得られた健康な被験者のスマトリプタンＰＫパラメータと比較したニトログリセリン（ＧＴＮ）誘起の偏頭痛についてのスマトリプタンＰＫパラメータを示している。
【０２４２】
自発的な変化が、偏頭痛の側への片側性の送達によるより良好な吸収および作用をもたらすことができると考えられる。三叉神経の片側の活性化が、経鼻吸収の増大および胃腸吸収の遅延をもたらすように鼻粘膜を変更することができる。三叉神経の自発的な活性化が、二酸化炭素の投与もより効率的にでき、さらに粘膜が、圧力の影響をより受けやすくなることができた。図１０から見て取ることができるとおり、偏頭痛患者においてＧＮＴ発作の際に偏頭痛の側に図２（ａ）および（ｂ）のブレスパワー（商標）投与装置を使用してもたらされた７．５ｍｇのスマトリプタンが、２７％の生物学的利用能をもたらした。偏頭痛の側の投与についてのＣｍａｘが１１である一方で、鼻腔スプレーにおいてはわずか９．７である。各々の鼻孔への図２（ａ）および（ｂ）のブレスパワー（商標）投与装置を用いた７．５ｍｇのスマトリプタンの投与は、より高い生物学的利用能をもたらすようには見受けられない。
【０２４３】
図２（ａ）および（ｂ）のブレスパワー（商標）投与装置を用いたスマトリプタンの投与は、より効率的な薬剤投与の形態であり、伝統的な液体鼻腔スプレーと比べてより少ない投与量でより高いピークおよびより早期の曝露を生み出し、伝統的な鼻腔スプレーまたは経口投与と比べてより迅速な吸収を生み出す。また、経口錠剤または皮下注射と比べて大幅に低いピークおよび全体としての全身曝露をもたらす。
【実施例４】
【０２４４】
この研究は、図２（ａ）および（ｂ）のブレスパワー（商標）投与装置を用いた公称量２０ｍｇのスマトリプタンの両側への投与と、１００ｍｇの経口スマトリプタン錠剤（Ｉｍｉｔｒｅｘ（登録商標）  １００ｍｇ  Ｔａｂｌｅｔ、あるいはその承認または後発同等品）の投与とを比較する二重盲研究である。
【０２４５】
この研究は、対象の各患者が各々の処置によって頭痛を処置するクロスオーバ設計である。具体的には、患者は、５回までの頭痛を一方の処置によって処置し、次いでクロスオーバにより、５回までの頭痛を他方の処置によって処置した。各々の頭痛において、患者は図２（ａ）および（ｂ）のブレスパワー（商標）投与装置の使用および錠剤の摂取を行い、そのうちの一方だけが有効な薬物スマトリプタンを含む。
【０２４６】
４００を超える頭痛についての非盲検データから、中程度または重度の頭痛について３０分の時点において得られた結果（薬剤の摂取の３０分後における頭痛の緩和）は、５４％である。
【０２４７】
文献は、スマトリプタンの１００ｍｇの経口錠剤からの３０分における反応が、約９〜１４％になるはずだと述べている。これは、偽薬装置において観測された反応速度が、経口錠剤単独においてこれまでに観測された反応速度よりも、はるかに速いことを示している。
【実施例５】
【０２４８】
メシル酸ジヒドロエルゴタミン（ＤＨＥ）、スマトリプタン、ゾルミトリプタン、ブトルファノール、シバミド、およびリドカインの経鼻投与処方物がいずれも、偏頭痛および／または群発性頭痛の処置について使用／研究されている。シバミドおよびリドカインは、神経伝播を中断させるために鼻用スポイトによって投与されており、臨床効果の或る程度の証拠が存在しているが、頭痛の処置について米国食品医薬品局の承認を未だ受けていない。さらに、ＳＰＧの神経刺激が、群発性頭痛の進行停止において有望な結果を示しており、鼻腔からアクセスできる神経への局所処置の可能性を強く支持している。
【０２４９】
ＤＨＥ、スマトリプタン、ゾルミトリプタン、およびブトルファノールは、偏頭痛の処置について規定の承認を得ており、患者によって伝統的な鼻腔スプレーの形態で投与可能である。ＤＨＥは、静脈注射で投与されたときにきわめて有効な薬剤であることが知られている。残念ながら、経口投与においては生物学的利用能が１％未満である。しかしながら、経鼻投与の場合には〜４０％の生物学的利用能を有し、この薬剤を外来患者の状況において使用することが可能である。経鼻用の処方に加えて、スマトリプタンは、皮下注射、経口錠剤、座薬、およびすぐに溶ける錠剤（米国外）として利用可能である。経鼻用の処方に加えて、ゾルミトリプタンは、経口錠剤および速やかに溶ける処方物として利用可能である。両方の薬剤について、経鼻用の処方物は、経口用の処方物の代案として、遅い発現、遅い運動性からの頭痛の際の少ないＧＩ吸収、ならびに吐き気の存在下で経口の薬剤を摂取することへの患者の嫌悪の問題を克服すべく導入された。
【０２５０】
経鼻投与スマトリプタンおよび経鼻投与ゾルミトリプタンの両者は、偏頭痛の症状の緩和の提供において偽薬に対する優性を証明済みであり、経鼻投与ゾルミトリプタンは、同じ量のゾルミトリプタン経口錠剤と比べてより早期の緩和をもたらすことが証明済みである。いずれも、それぞれの経口投与錠剤よりも迅速な吸収をもたらす。しかしながら、いずれも経口と比べて全体としての生物学的利用能の顕著な向上はもたらしていない。
【０２５１】
これらのトリプタンの伝統的な鼻腔スプレーは、かなり小さい早期のピーク（鼻粘膜における吸収にもっぱら起因する）と、その後のより明瞭なピーク（鼻を迂回した後に飲み込まれる薬剤のかなりの量のＧＩ吸収を表す）とを有する双峰の吸収パターンを示す。ゾルミトリプタンについて、鼻部分が研究において定量化され、総吸収の約３０％を占めることが明らかになった。同様の研究は、スマトリプタン鼻腔スプレーにおいては行われていないが、スマトリプタン液体鼻腔スプレーの薬物動態は研究されている。経鼻投与されるゾルミトリプタンについて承認された量が、錠剤についての最高の量（５ｍｇ）と同じであるのに対し、承認された伝統的なスマトリプタン鼻腔スプレーの量の範囲（５、１０、および２０ｍｇ）が、承認された経口投与（２５、５０、および１００ｍｇ）の５分の１であることに、注目することが重要である。結果として、全身曝露が、スマトリプタン鼻腔スプレーの量の範囲において、経口投与の処方物と比べて大幅に少ない一方で、経鼻投与のゾルミトリプタンにおいては同様またはわずかに多い。より少ない量をもたらす機会は、経口投与の処方物と比べて全身およびＧＩ関連の副作用の恐れを全身曝露が少ないことによって軽減できるため、（ゾルミトリプタンに対する）スマトリプタンの経鼻投与の潜在的利点を強調する。
【０２５２】
経鼻の薬剤の投与の理論的な利点にもかかわらず、偏頭痛の処置への広い採用について障害が存在している。患者にとって、伝統的な鼻腔スプレーにおいて達成される標的粘膜への不適切な付着の結果が、経口処置と比べて知覚される臨床的利点が欠ける原因となる重要な因子と考えられる。将来に向けた研究により、患者に鼻腔スプレーを選択させる重要な動機が発現の速度であることが示されている。さらに、より迅速な吸収の可能性を提供する他の処方物が、単に経口投与の処方物の量を増やすよりも望ましいかもしれない。経口投与の処方物に対する許容性または安全性の改善は、それらが発現の速度の改善などの核となる効能の利点を伴うならば、単純に患者による選択の可能性を高めると考えられる。
【０２５３】
鼻腔スプレーにおいて使用される伝統的なスプレーポンプでは、鼻孔の入り口から約２ｃｍに位置する鼻弁と呼ばれる狭い三角形の狭窄の向こう側の標的部位への薬剤の付着が限定的になる。狭い鼻弁の目的は、複雑で入り組んだ鼻道と協働して、吸い込まれる空気をろ過および調整し、嗅覚を高め、ガス交換および呼気の際の流体の保持を最適化することにある。鼻のこれらの重要な機能的特徴は、効率的な経鼻の薬剤投与に多くの場合に無視し得ない重要な制約を課す。
【０２５４】
例えば、スプレー瓶から放射される膨張する凸状の噴煙および高い粒子速度は、大部分が鼻前庭の壁に衝突すると考えられる。経鼻投与の推進力を増しても、噴煙が最初に到達した表面に衝突する一方で、「鼻での吸い込み」が後述のように問題を悪化させるため、基本的な解剖学的制約を変えることにはならない。鼻腔の前部、すなわち鼻前庭は、主として繊毛のない扁平上皮で覆われており、鼻弁の向こうの繊毛のある気道上皮と比べて薬剤の吸収の効率が低い。鼻の前部領域の形状と噴煙との間のこの不整合ゆえに、スプレーのわずかな部分だけが鼻弁を過ぎて進入し、スプレー量の大部分は前庭に残る。
【０２５５】
鼻の前庭の液体の大部分は、滴り落ちるか、あるいは拭き取られる可能性がある。投与の際の鼻からの吸い込みは、鼻弁をさらに狭くし、投与後の滴り落ちを避けるための反射的な鼻からの吸い込みは、上側がすでにきわめて狭い鼻弁をさらに狭くするだけでなく、すでにスリット状のより奥の鼻道を縮ませると考えられる。これは、広い鼻表面積への意図される照準およびより大量の付着の潜在的利益の両方を損なう傾向にあり、鼻弁を通過した薬剤を鼻孔底に沿って案内して飲み込ませようとする傾向を有する。舌の付け根に位置する苦みを検知する味蕾が、これらの鼻腔スプレーにおいてしばしば報告される強い苦みの原因となる濃縮された液体に露出される。スプレーのうちのより小さな割合だけが、早期の鼻吸収の大部分を占めるきわめて血管の多い呼吸粘膜に達する。このように、伝統的な鼻腔スプレーによってもたらされる薬剤のかなりの部分が、鼻で吸収されるよりもむしろ飲み込まれてしまうため、ＧＩ管が、吸収される薬剤の量に鼻よりも大きく貢献する。この現象は、スマトリプタンにおいて伝統的な鼻腔スプレー投与の後に双峰の吸収プロフィルが生じることで観察され、経鼻の吸収に関係すると思われる低い早期のピークが２０分後に生じ、その後に９０分の辺りのＧＩ吸収による高い吸収ピークが続く。
【０２５６】
伝統的な鼻腔スプレー投与に続く経口吸収が優位であることで、経鼻投与について意図される利点が減少する。すなわち、経口錠剤との大きな違いがないことで、一部の患者において作用の発現がわずかに速くなるにとどまり、鼻腔スプレーの市場における受け入れが限られる結果となっている。
【０２５７】
とりわけ、偏頭痛および他の頭痛の病態生理学に関与する三叉神経の感覚枝および副交感枝の両者が、ＳＰＧの存在場所でもある鼻弁の向こうの粘膜表面を刺激する。これらの構造が頭痛の病態生理学に関与する範囲において、鼻腔の上後部分は、現状および将来の薬剤による治療の介入にとって標的を呈するが、標準的な鼻腔スプレーでは効果的な到達が不可能である。
【０２５８】
点鼻薬およびスプレーポンプに関する付着パターンについての包括的な見直しは、伝統的な送出装置は鼻弁の向こうの呼吸粘膜への送達にとって最適ではないという結論を導いた。伝統的なスプレーポンプの薬剤の送達を改善しようと試みるいくつかの手法が、長年にわたって提案および試験されてきているが、概して実用的でなく、最適でなく、あるいは繰り返しの人間における経鼻投与研究における証明が未だなされていない。使用の方法を改善することによって従来からの鼻腔スプレーを最適化する努力も、やはり報われておらず、研究において伝統的な鼻腔スプレーを使用して７つの異なる頭および体の位置が試験され、「最良な方法は存在しない」と結論付けられた。
【０２５９】
本明細書に記載のブレスパワー（商標）双方向（商標）送出機構は、電気機械のコストまたは複雑さを伴わない単純な装置において実現可能であり、伝統的な経鼻投与の多数の欠点を克服する。そのような装置を用いて、液体および粉末の両方の薬剤をもたらすことができる。この経鼻投与の考え方は、柔軟なマウスピースと成形された密封ノーズピースとを備える装置からなる。それは、肺吸入の恐れを回避しつつ鼻弁の向こうの鼻内の標的部位への薬剤の送達の程度および再現性を改善するために、鼻の構造および生理の独特な態様を利用するように設計される。
【０２６０】
一動作において、ユーザは、成形されたノーズピースを一方の鼻孔にスライドさせて鼻腔組織との密着を生じさせ、マウスピースを開いた唇の間に挿入し、大きく息を吸い込み、唇をマウスピースの周囲に閉じ、次いでマウスピースに強く息を吐く。装置への口での呼気により、中咽頭に正の圧力が生じ、軟口蓋を自然に持ち上げて密着させ、鼻腔と口腔とを完全に分離させる。ノーズピースの密着ゆえに、気流および動的な正の圧力が装置によって鼻腔に伝えられ、鼻弁および狭いスリット状の通路を膨張させる。装置および鼻道の抵抗に起因して口内の駆動圧力に比べてわずかに低くなる鼻腔内の圧力が、軟口蓋を横切る圧力と釣り合い、軟組織の過度の持ち上がりをおおむね回避する。これが、一般に、鼻腔の奥で鼻中隔の後方に位置する２つの鼻孔の間の連絡路の開通を維持し、鼻腔の過度の圧力を緩和しつつ吐き出された息が反対側の鼻孔から逃げ出すことを可能にする。
【０２６１】
再使用可能な装置本体と使い捨てのノーズピースとを備える専用の多数回使用のブレスパワー（商標）粉末装置を、偏頭痛の患者における使用のために開発した。１１ｍｇのスマトリプタン粉末が標準的な呼吸カプセルに入れられ、使い捨てのノーズピースのカプセル室に入れられて患者に提供される。室の底に位置する気流の小さな入り口と、上部のより大きな開口とが存在できる。装置の使用に先立ち、新しいノーズピースを装置の上部にはめ込むことができ、装置本体のボタンを押し込むことによってカプセルを穿刺することができる。装置への呼気において、穿刺されたカプセルは吐き出される息によって振動および／または回転でき、粉末を気流に放出する。薬剤粒子が、一方の鼻孔への生理学的に暖められた空気の膨張流によって後方に運ばれて鼻弁を過ぎ、空気が進路を反転させて他方の鼻孔を通って前方に逃げ出す前に、鼻腔の奥の方の位置の全体にわたって広く付着し、双方向の配送をもたらすことができる。
【０２６２】
個人間の人体測定における差異を評価する多数の研究を、個人の鼻孔のサイズならびに口と鼻との間の距離および角度の差異に対応するための装置の適切な設計をもたらすために実行した。本設計は、快適さおよび使用の容易さに関して充分に受け入れられることが使いやすさの試験および臨床試験において明らかになっている。
【０２６３】
液体および粉末処方物の鼻における付着を生体内で調査するためにこの数十年において使用されているシンチグラフィ技術は、比較的粗雑であり、鼻の領域ごとの付着および解消のパターンの信頼できる絶対的または相対的定量化を可能にしていない。被験者における放射線標識粒子の鼻の領域ごとの付着の信頼できる定量化を可能にする改善されたシステムが導入され、液体および粉末薬剤の両方について従来からの鼻腔スプレー装置をブレスパワー（商標）装置と比較する臨床付着試験において使用されている。
【０２６４】
最近の研究において、Ｔｃ９９ｍで標識付けされたラクトース粉末がブレスパワー（商標）粉末装置によってもたらされている。スマトリプタン粉末と同様のカプセル充てんおよび粒子サイズのプロフィルが使用されている。付着の違いを測定するために、鼻が３つの水平な部分に分けられ、鉛直な分割線が下鼻甲介の頭部に配置され、各部分の内部の放射線のカウントが投与後に定量化された。
【０２６５】
ブレスパワー（商標）粉末装置は、鼻粘膜が繊毛のある気道上皮によって覆われている領域（とりわけ上後および中後領域であるが、上前および中前領域も）においてより広大な付着を示し、繊毛のない鼻前庭においては付着が少なく、従来からのスプレー投与と比べて鼻弁の向こうの上後領域への初期の付着が大幅に多かった（〜５４％対１６％）（図１１ａ）。対照的に、液体スプレーにおいては、投与量の大部分が鼻の下部の限られた領域に付着した（〜６０％対〜１７％）（図１１ａ、図１１ｂ）。
【０２６６】
領域ごとの付着および解消の分析は、ブレスパワー（商標）粉末装置が、鼻弁の向こうのきわめて血管の多い呼吸粘膜により広大な曝露をもたらし、特には鼻腔の中央および上部領域への送達を改善することを、明らかに示している。これは、適切な薬物について標準的な鼻腔スプレー投与において達成されるよりも迅速かつ顕著な薬物の吸収につながると妥当に期待される。この差は、ＰＫの改善に反映され、最終的には効能の改善に反映されるため、客観的に測定できるはずである。この方法でのスマトリプタンの投与の結果を評価するそのような研究が、今や実行されている。
【０２６７】
２つの研究によって、ブレスパワー（商標）装置によって投与されるスマトリプタンのＰＫを評価した。一方を、偏頭痛を引き起こすことが知られているニトログリセリンによる攻撃（ＧＴＮ攻撃）に先立って皮下（ＳＣ）注射スマトリプタンまたはブレスパワー（商標）装置によってもたらされるスマトリプタン粉末のいずれかで前処置した１２名の偏頭痛患者におけるクロスオーバ研究とした。４０より大規模な第２の研究を、ブレスパワー（商標）装置によって投与されるスマトリプタン粉末（１５ｍｇの投与量を鼻孔間で分け合う）を２０ｍｇのスマトリプタン鼻腔スプレー（一方の鼻孔）、１００ｍｇのスマトリプタン錠剤、および６ｍｇのスマトリプタンＳＣ注射と比較する健康な志願者における４−ｗａｙクロスオーバ研究とした。両方の研究において、ブレスパワー（商標）投与について、初期の鼻吸収およびその後のＧＩ吸収を表す双峰の吸収パターンが存在した（図１２）。両方の研究において観察された初期のピークは、標準的な鼻腔スプレーにおいて観察されるピーク（第２の研究において測定）よりも顕著であり、ブレスパワー（商標）装置におけるより効率的かつ迅速な全身吸収を他のＰＫパラメータとともに表している（図１２）。また、吸収が、錠剤投与の場合よりも早期に生じているが、ピークおよび総計の全身曝露は、経口錠剤または皮下注射のいずれと比べても大幅に低い。
【０２６８】
スマトリプタン粉末の鼻のピークは、１つが偏頭痛患者においてであり、１つが健康な志願者においてである２つのＰＫ研究においてきわめてよく似ており、両方の集団において早期に生じている。しかしながら、もっぱらＧＩ吸収を表すと思われる後のピークは、ＧＴＮ攻撃の最中に偏頭痛患者において実行された研究において大幅に小さい（図１２）。これは、攻撃の際にさらに強調される偏頭痛患者において観察される自律神経機能障害ゆえに、ＧＩ吸収が遅くなり、かつ少なくなることを反映していると考えられる。
【０２６９】
スマトリプタン粉末が２つの鼻孔に分配された一方で、鼻腔スプレーはただ１つの鼻孔に投与されたことに、注意すべきである。液体スプレーの投与量を鼻孔の間で分割することのＰＫプロフィルへの影響は、すでに調査済みであり、ただ１つの鼻孔への投与と比べて吸収の速度も程度も改善しないことが明らかになっている。したがって、投与の方法におけるこの違いは、健康な被験者のＰＫ研究における発見を説明するものではないと思われる。
【０２７０】
薬物動態データを検討するときに、ブレスパワー（商標）送出装置によって投与されたスマトリプタンの総量が、スマトリプタンの２０ｍｇの液体スプレーよりも２０〜２５％少ないことを思い出すことが重要である。ブレスパワー（商標）投与によって鼻吸収がより多くなることで、鼻を迂回するスマトリプタンの割合がスマトリプタンスプレーと比べて少なくなり、投与量が２つの鼻孔の間で分割される（図１２）。ブレスパワー（商標）投与後のより少ない投与量、より広い鼻分布、および大きく変更されたクリアランスパターン（軟口蓋が通常は投与時に実質的に閉じられることに注意）が、舌の付け根に位置する味蕾に到達する薬剤の量および濃度をさらに下げ、苦み知覚の強度を軽減すると考えられる。結果は、ブレスパワー（商標）装置によって生み出される鼻への付着の増進が、実際に薬物動態の利点に結び付いていることを示している。
【０２７１】
早期の吸収の増加は、効能の改善に関する利点を提供することができ、特には痛みの緩和のより迅速な発現を提供することができ、投与量が少ないことで、許容性または安全性を向上させることができると、仮説を立てることが妥当である。ＧＴＮ攻撃による研究における偏頭痛の発作の防止の能力は、ＳＣおよびブレスパワー（商標）粉末投与後の同様の脳波記録における発見と組み合わせられ、はるかに低い血中濃度にもかかわらず、臨床的に重要な潜在的利点を示唆している。これらの発見が、ブレスパワー（商標）スマトリプタン送出装置による無作為化された偽薬対照試験に進む論理的根拠をもたらした。
【０２７２】
急性偏頭痛における第１の偽薬対照並行群３群試験（患者の総数１１７名）において、２つの投与量のスマトリプタン粉末をブレスパワー（商標）装置で投与し、ダミー装置を使用した「偽薬」対照群と比較した。両方の有効な投与において、痛みの緩和の敏速な発現が観測され、早期の痛みの緩和の程度は、はるかに少ない全身曝露にもかかわらずＳＣ注射についての履歴データと同様であった。また、両方の投与量において１２０分の時点における痛みの緩和について大きな利点が観察され、さらなる発展について多い方の投与量を選択した。多い方の投与量は、２時間の時点において偽薬による４４％に対して６０％（Ｐ＜．０１）の反応をもたらし、６０分（７４％対３８％、Ｐ＜．０１）および３０分（５４％対３１％；ＮＳ）の時点における高い早期反応率をもたらした。
【０２７３】
２１２名の患者におけるフェーズＩＩＩ偽薬対照並行群２群研究を、ブレスパワー（商標）装置によって投与されるスマトリプタン粉末において最近行った。以下で検討されて示されるように、投与後２時間において、患者のかなりの割合が偽薬と比べて痛みの緩和（６８％対４５％、Ｐ＜．０１）、トリプタン治療の高い価値に直面した。しかしながら、やはり最も印象的な結果は、３０分における顕著に高い反応率（４２％対２７％、Ｐ＜．０５）を有する痛みの緩和の敏速な発現であった。これは、トリプタン薬剤のきわめて少ない投与量に照らして特に注目に値する。報告された有害事象は、主として穏やかかつ一時的であり、おおむね投与の場所に限られていた。経鼻スマトリプタン粉末の経鼻投与のためのブレスパワー（商標）投与装置の使用は、効果的であり、安全であり、良好な耐用性を示し、急性偏頭痛の成人において痛みの緩和の敏速な発現を提供することができると結論付けられた。
【実施例６】
【０２７４】
この研究の目的は、中程度〜激しい偏頭痛の患者の処置における図２（ａ）および（ｂ）のブレスパワー（商標）投与装置を用いたスマトリプタン粉末の投与の効能および安全性を同等の偽薬装置と比較することにある。
【０２７５】
経口トリプタンを摂取する患者は、一般的に、不満の理由として遅い作用の発現、不充分な痛みの緩和、および副作用に言及し、吐き気または嘔吐も使用の障壁となり得る。「トリプタン作用」として知られる副作用（ＡＥｓ）は、最も頻繁には、より高い血漿中濃度を生じる処方物および投与量に関係する。
【０２７６】
小さな試験において、図２（ａ）および（ｂ）のブレスパワー（商標）投与装置によってもたらされる少量のスマトリプタン粉末が、付随の副作用を伴うことなく、スマトリプタンの注射によってすでに報告された率に近い頭痛緩和率を生じた。これらの結果が、より大規模な試験の実行を後押しした。
【０２７７】
この研究は、単回投与、多施設、無作為化、二重盲、偽薬対照、並行群研究である。患者は、参加前の１年超にわたって偏頭痛の履歴を有しており、頭痛を訴える日が１ヵ月当たり１日よりも多く１５日よりも少なかった。患者を、第１および第２のノーズピースユニット１７（それぞれ１１ｍｇのスマトリプタン粉末（平均７．５ｍｇの放出量をもたらす）または偽薬のいずれかを収容したカプセルＣを備えている）を使用してそれぞれの鼻道に第１および第２の投与分を届け、１５ｍｇという合計の平均投与量をもたらす図２（ａ）および（ｂ）のブレスパワー（商標）投与装置に無作為化した。患者は、中程度または激しい強度に達する発作を処置し、計画された時点において症状を記録した。
【０２７８】
結果が、図１３に大まかに示されている。具体的には、２１２名の患者が処置を受けた（１０８名がスマトリプタン粉末を投与するために図２（ａ）および（ｂ）のブレスパワー（商標）投与装置を使用し、１０４名が偽薬を投与するために図２（ａ）および（ｂ）のブレスパワー（商標）投与装置を使用）。平均年齢は４２歳であり、８５％が女性であった。
【０２７９】
主たる結果として、１２０分の時点において図２（ａ）および（ｂ）のブレスパワー（商標）投与装置を用いてスマトリプタン粉末が与えられた患者の６８％が痛みの緩和を報告したのに対し、図２（ａ）および（ｂ）のブレスパワー（商標）投与装置を用いて偽薬が与えられた者においては４５％であった（ｐ＜．０１）。痛み緩和曲線は早期に隔たり、３０分において統計的に有意になり（４２％対２７％；ｐ＜．０５）、図２（ａ）および（ｂ）のブレスパワー（商標）投与装置は痛みの緩和の迅速な開始をもたらし、３０分における顕著に高い応答速度を有する。１２０分の時点において、図２（ａ）および（ｂ）のブレスパワー（商標）投与装置を使用してスマトリプタン粉末が与えられた患者の３７％が完全な緩和を報告したのに対し、図２（ａ）および（ｂ）のブレスパワー（商標）投与装置を使用して偽薬が与えられた者においては１７％（ｐ＜．０１）であり、意味のある緩和を報告した患者は、７０％に対して４５％（ｐ＜．００１）であった。
【０２８０】
１２０分の時点において痛みが緩和された患者のうち、図２（ａ）および（ｂ）のブレスパワー（商標）投与装置を使用してスマトリプタン粉末が与えられた患者については６５％、図２（ａ）および（ｂ）のブレスパワー（商標）投与装置を使用して偽薬が与えられた者（ｎｓ）については５３％で、２４時間の時点でも痛みの緩和が続いていた。吐き気、雑音恐怖症、および光恐怖症の大幅な軽減が報告された。両群において、群の間の差は統計的に有意ではなかった。全身性の有害事象は、１名の患者において報告されたにすぎない。唯一の患者は、軽微かつ一時的な手および頭部のうずきを報告した。報告された最も一般的（＞５％）なＡＥは、製品の味（２２％）、鼻の不快（１３％）、および鼻炎（６％）であり、いずれも一時的かつおおむね軽微であった。
【０２８１】
この研究も、図２（ａ）および（ｂ）のブレスパワー（商標）装置を用いた少量のスマトリプタン粉末の投与が、偽薬および経口処置における歴史上の率と比べて、患者のうちの大きな割合において早期の頭痛緩和を生じ、頭痛の緩和の高い率を生じるという先の発見の繰り返しである。処置は良好な耐用性も示し、全身性の有害事象は少数であった。
【０２８２】
これらの結果の公開済みのデータとの比較は、図２（ａ）および（ｂ）のブレスパワー（商標）投与装置を用いたスマトリプタン粉末の投与における痛みの緩和の発現の速度が経口処置よりもはるかに速く、ＳＣ注射において達成される速度に近付くが、全身曝露は大幅に少なく、したがって付随の有害事象の恐れが大幅に低いことを示唆している。
【０２８３】
図２（ａ）および（ｂ）のブレスパワー（商標）投与装置による臨床試験において、興味を引く高い偽薬反応率が観察されている。これらの試験において、対照の患者は、「いかなる処置」も受けないのではなく、偽薬にて同一の図２（ａ）および（ｂ）のブレスパワー（商標）送出装置を使用した。これらの「偽薬」患者における高い反応は、偶然、長期的傾向、または他の因子に起因する可能性があるが、おそらくは図２（ａ）および（ｂ）のブレスパワー（商標）投与装置の使用に直接関係があると説明できる。
【０２８４】
通常の呼吸の際に、鼻の上方の狭い部分における空気の最小限の交換が存在する。約５〜６％の二酸化炭素を含み、毎分約３０Ｌまたはそれ以上の流量であり、約２〜約３秒にわたって続き、鼻の上部の狭い部分に進入する大量の呼気を流す図２（ａ）および（ｂ）のブレスパワー（商標）送出装置の特定の空気力学が、１００％の二酸化炭素の投与（この二酸化炭素の投与は、短い継続時間にて行われ、少ない流量（１０ｍＬ／ｓ）および少ない量で行われているが）において報告された治療効果と部分的に同様の治療効果をもたらすことができる。この研究のこのブレスパワー（商標）投与装置においては、振動するカプセルおよび気流が、ハミングおよび脈動するネブライザへの反応において部分的に観測されるように、鼻の上部の狭い部分における空気の交換を大幅に増進できると推定される。さらに、正の気圧によって実現される潜在的な正の効果、カプセルのがたつきによって生み出される素早い振動、およびＮＯの除去のいずれもが偏頭痛の緩和において一定の役割を果たし得るとの仮説を立てる理由が存在する。これらの装置関連の機構および他の装置関連の機構のうちの１つ以上が、この研究のブレスパワー（商標）投与装置を使用したときの偽薬群の高い反応率に貢献している可能性がある。
【０２８５】
図２（ａ）および（ｂ）のブレスパワー（商標）投与装置に関する鼻腔の奥深くの付着は、薬剤を三叉神経を分布させた粘膜組織およびＳＰＧにより広くもたらす潜在力を可能にし、これが刺激によって副交感神経作用を引き起こすことができる三叉神経またはＳＰＧによって少なくとも部分的に仲介される様々な疾患の処置において有益であると立証される可能性が高い。ブレスパワー（商標）装置そのものの空気力学的特性が、別の作用の機構および／または相乗効果を提供できる。
【０２８６】
偏頭痛の無効化または防止における可能性に加えて、群発性頭痛および三叉神経痛が、例えばトリプタン、ＤＨＥ、リドカイン、非ステロイド系抗炎症薬（ＮＳＡＩＤ）、局所作用のコルチコステロイド、および潜在的なＣＧＲＰ拮抗薬などの多数の新規または現行の薬剤の単独または組み合わせでの投与の可能性の標的徴候の代表である。未だ満たされていない大きなニーズが存在し、最適な効能のためにＳＰＧに最も近い領域を特に標的とするように意図された処置に合わせて投与を最適化するように現在の装置を改良することができる。他の潜在的な徴候として、この方法でのトリプタンまたは他の薬剤のきわめて少量の毎日の投与が充分な受容体阻害を提供して急性の発作の数を減らすことができる慢性偏頭痛が挙げられる。局所ステロイドさえも、群発性頭痛または副鼻腔炎による頭痛において単独または術後補助療法として有益となり得る。
【０２８７】
薬剤の経鼻投与は、長きにわたって、頭痛および他の疾患の処置において有用であることが知られている投与経路であった。しかしながら、経鼻投与の典型的な方法は、薬剤を広く、迅速かつ効率的な薬剤の吸収および他の利益を効果的に生じさせることができる鼻腔の後部／上部領域に届けるうえで、比較的効果が少ない。したがって、経鼻の薬剤投与の有望さが、充分には現実になっていない。本発明のブレスパワー（商標）投与装置による生体内での人のガンマ付着研究が、この新規な装置の機構が、顕著に改善された経鼻の薬剤の付着パターンをもたらすことができることを証明している。
【０２８８】
この改善された付着の結果を評価するための薬物動態研究が、少量のスマトリプタン粉末の投与に続いて実行され、この改善された投与が、標準的な鼻腔スプレーと比べたときの鼻粘膜における吸収の速度および効率の向上ならびにＧＩ吸収の割合の低下に関係していることを示している。繰り返された臨床試験において、三叉神経および／またはＳＰＧによって少なくとも部分的に仲介される標的への少量の投与のための図２（ａ）および（ｂ）のブレスパワー（商標）投与装置の使用が、かなりの反応率をもたらし、他の投与の形態よりもむしろＳＣ注射によく似た早期の痛みの緩和をもたらすが、経口またはＳＣによる処置と比べて曝露がはるかに少ないことが、今や示されている。経鼻投与のこの新形態は、将来において様々な疾患の処置にいくつかの興味深い治療の選択肢を提供することができる。
【実施例７】
【０２８９】
この研究のこの目的は、図２（ａ）および（ｂ）のブレスパワー（商標）送出装置を用いたスマトリプタン粉末の投与を、伝統的な鼻腔スプレーでの液体スマトリプタンの投与と比較することである。
【０２９０】
この研究においては、図２（ａ）および（ｂ）のブレスパワー（商標）投与装置を使用して２０ｍｇのスマトリプタン乾燥粉末を投与し、投与は第１および第２のノーズピースユニット１７（各々がスマトリプタンのフリーベースの１０ｍｇの公称量を収容しており、８ｍｇの平均投与量をもたらす）を用いて２回の投与にて行われ、鼻への合計投与量は１６ｍｇとなった。
【０２９１】
これは、この研究のブレスパワー（商標）投与装置におけるスマトリプタンへの総曝露が、錠剤、鼻腔スプレー、または注射よりも少ない総ミリグラム投与量であることを意味する。しかしながら、直接な比較の薬物動態研究が、図２（ａ）および（ｂ）のブレスパワー（商標）装置を用いた１６ｍｇのスマトリプタン粉末の投与が２０ｍｇの従来からの液体スマトリプタン鼻腔スプレー（Ｉｍｉｔｒｅｘ（登録商標）  ２０ｍｇ  Ｎａｓａｌ  Ｓｐｒａｙ、あるいは承認または後発同等品）よりも高いピーク濃度（Ｃｍａｘ  ｎｇ／ｍＬ）を生むことを示している（２０．８ｍｇ対１６．４ｍｇ、投与量についての調節なし）。両方の経鼻投与の処方物は、スマトリプタン錠剤（Ｉｍｉｔｒｅｘ（登録商標）  １００ｍｇ  Ｔａｂｌｅｔ、あるいはその承認または後発同等品）（１００ｍｇ錠剤＝７０．２，６ｎｇ／ｍｌ）または皮下注射（Ｉｍｉｔｒｅｘ（登録商標）  ６ｍｇ  ＳＣ、あるいはその承認または後発同等品）（６ｍｇ注射＝１１１．６ｎｇ／ｍｌ）よりも大幅に低いピーク濃度（Ｃｍａｘ  ｎｇ／ｍＬ）を生む。同様に、曲線（ＡＵＣ０−∞  ｎｇ．ｈｒ／ｍＬ）の下方の面積によって測定される総薬剤曝露も、経鼻の処方物においては、１００ｍｇの錠剤（３０８．８ｎｇ．ｈｒ／ｍＬ）または６ｍｇの注射（１２８．２ｎｇ．ｈｒ／ｍＬ）と比べてはるかに少ない（この研究のブレスパワー（商標）投与装置＝６４．９ｎｇ．ｈｒ／ｍＬ、従来からの２０ｍｇのスマトリプタン液体鼻腔スプレー＝６１．１ｎｇ．ｈｒ／ｍＬ、投与量についての調節なし）。この研究のブレスパワー（商標）投与装置によって投与されるスマトリプタン粉末は、試験したいかなるスマトリプタン製品とも生物学的に同等ではない。特に、図２（ａ）および（ｂ）のブレスパワー（商標）投与装置によって投与されるスマトリプタンの薬物動態が、従来からの液体鼻腔スプレーと比べてより高速かつより効率的な吸収のパターンを示し、投与される薬剤が２０％少ないにもかかわらずＡＵＣ０−１５分が液体スマトリプタン鼻腔スプレーについて１．２であるのに対してこの研究のブレスパワー（商標）投与装置では２．１であり、ＡＵＣ０−３０分が従来からのスプレーについて３．６であるのに対してこの研究のブレスパワー（商標）投与装置では５．８であり、すなわち早期の血漿曝露が６０％増しよりもさらに上回ることに、注目すべきである。
【０２９２】
２０１０年に公開されたＢＰＰＳＩＴについてのフェーズ２の無作為化された対照試験は、一時的な偏頭痛を有する１１７名の成人の被験者を含んでいる。スマトリプタン粉末公称１０ｍｇの群、スマトリプタン粉末公称２０ｍｇの群、および偽薬の３つの群が存在する。偽薬を含むすべての処置群が、ブレスパワー（商標）投与装置を使用した。後述されるフェーズ３の試験と同様に、被験者に対して偏頭痛が中程度または激しいときに処置を行うように指示した。フェーズ３の試験は、上述のように鼻に１６ｍｇをもたらす公称２０ｍｇの投与量だけを用い、したがってそれらのデータだけを検討した。
【０２９３】
フェーズ２の試験において、２時間における痛みの解放が、２０ｍｇの被験者の５７％および偽薬の被験者の２５％において生じた（Ｐ＜．０５）。中程度〜激しい頭痛から皆無または軽い頭痛への移行として定義される２時間における頭痛の緩和は、きめて高く、統計的に有意であり、２０ｍｇについて８０％、偽薬について４４％であった。両方の投与量は、６０分までの頭痛の緩和について偽薬から統計的に分離された。最も頻繁な処置関連の有害事象は、２０ｍｇの被験者の１３％において生じた金属風味であった。
【０２９４】
ＢＰＰＳＩＴ２０ｍｇについてのフェーズ３の規定の中枢的研究、すなわちＴＡＲＧＥＴ研究において、処置を受ける無作為化された２２３名の被験者（１１２名がＢＰＰＳＩＴ、１１１名が偽薬を入れた装置）が存在した。主たる結果の指標は、ＢＰＰＳＩＴ群の被験者の６７．６％および偽薬群の被験者の４５．２％において生じた２時間における頭痛の緩和であった（Ｐ＜．０１）。頭痛の緩和について、ＢＰＰＳＩＴは、フェーズ２の試験の場合よりも早期に偽薬からの統計的に有意な隔たりに到達し、この時間は３０分であった（４１．７％対２６．９％；Ｐ＜．０５）。２時間における痛みの解消は、偽薬において１７％であるのに比べ、ＢＰＰＳＩＴについては被験者の３４％において生じた（Ｐ＜．０１）。
【０２９５】
５％超において生じた有害事象として、異常な味（２２％）、鼻の不快（１３％）、および鼻炎（６％）が挙げられる。いずれも一時的かつおおむね軽微であった。中枢的試験において深刻な有害事象は生じなかった。
【０２９６】
ＢＰＰＳＩＴデータにおいて調査する価値があるいくつかの問題が存在する。それらは、フェーズ２およびフェーズ３の研究の間の効能の差、全体としての効能、早期の反応、ならびに偽薬反応および治療効果（ＴＧ）などである。フェーズ２からのデータは目覚ましく、２時間の時点において約８０％が頭痛緩和との評価であったが、フェーズ３においては、２時間の時点における数字がこれほど高くはなく、約６７％である従来からのトリプタンの範囲の上端により近くなり、３０分の時点における数字は、経口処置および様々な注射用のトリプタンにおいて報告されている値よりも顕著に高い４２％であった。これは、おそらくは単にフェーズ３においてフェーズ２と比べて２倍以上である被験者の数によるものと説明することができる。より多い被験者数（Ｎ）において明らかになる結果における差ゆえに、臨床医がフェーズ２から３に自身の薬剤の評価を変える多数の事例が存在する。被験者の数が少ないほど、結果が無作為変動に翻弄されやすくなる。
【０２９７】
しかしながら、反応率がＢＰＰＳＩＴにおいて実際により高い可能性があり、１つの可能性は装置が理由であることである。すなわち、おそらくはより高い反応は、スマトリプタン粉末が翼口蓋神経節および三叉神経の上顎分岐を含む翼口蓋管に当接する横縁の近くに鼻内の高いところまでもたらされるときに生じる。偏頭痛および群発性頭痛に関するこれらの枢要な構造への直接的なトリプタンの作用の可能性が、さらなる調査に値し得る。
【０２９８】
２時間の時点における頭痛の緩和は、それがただ１つの時点であるがゆえに、大部分のフェーズ３偏頭痛試験における標準的な主要結果変数であるが、患者にとって臨床的に重要であると考えられる早期の効果についての情報をもたらすものではない。ＢＰＰＳＩＴにおいて、３０分の時点における反応は４２％〜４９％の範囲であった。これは、この早期の時点において、高い反応率である。ほぼすべての承認済みのトリプタンについて食品医薬品局が承認した処方情報に含まれる無作為化された対照の規定の試験からのデータが、頭痛反応を説明するプールされた効能データのグラフィクスを提供する。これらのグラフィクスを点検することで、スマトリプタン注射において３０分の時点における頭痛反応が５０％の範囲である一方で、３０分の時点における痛みの緩和が経口の処方物において１０〜２０％であり、従来からの鼻腔スプレー処方物において２０〜３０％であることが明らかである。これらのデータは、ＢＰＰＳＩＴの早期の反応率が、他の非注射の投与形態において報告されている早期の反応率と比べ、注射において観察される早期の反応率に接近できることを示唆している。
【０２９９】
１６ｍｇというそのような少ない実際の投与量が、早期において注射に近い効能を有することができ、２時間の時点において６倍の投与量の錠剤に比肩する効能を有することができることは、興味深い。一般に、少ない曝露量において効能が同等であることは、有害事象の可能性を考えたときに魅力的である。
【０３００】
ＢＰＰＳＩＴのフェーズ３試験をさらに精査すると、偽薬の率がかなり高いように思われ、２時間の時点における頭痛の緩和が４５．２％であり、フェーズ２試験においても４４％とやはり高い。対照的に、従来からのスマトリプタン液体鼻腔スプレーの２つのフェーズ３試験を要約しているＲｙａｎおよびその同僚の論文においては、偽薬の２時間の時点における頭痛の緩和の率は、２９および３５％である。偽薬の率がトリプタン無作為化対照試験において時間につれて次第に上昇する傾向が存在している。例えば、スマトリプタン経口錠剤の承認に使用された試験においては、偽薬の反応率が１７％である。トリプタンについての付随の上昇する患者の期待を伴うトリプタンの未経験患者が存在しないこと、および患者の背景プールがトリプタンの広い入手性によって影響されるときの研究集団の変更など、偽薬の反応率の上昇を説明するための多数の仮説が存在している。
【０３０１】
ＢＰＰＳＩＴの場合に、装置そのものが高い偽薬反応率の原因である可能性がある。多数の研究者が、装置試験の状況においてより高い偽薬の率に気付いている。１組の研究者が述べているように、「装置による偽の治療への偽薬／反偽薬反応は、長期にわたる薬剤治療についてこれまでに報告されたものと同様」である。フェーズ３試験における高い偽薬反応率について、１つの可能性は装置そのものの新規性および使用であった。
【０３０２】
高い偽薬反応の技術的理由は、このフェーズ３試験において、ベースラインにおける激しい頭痛の割合が１７％と顕著に低いことにあるかもしれない。これまでのトリプタン研究においては、典型的には、激しい頭痛の割合がより高い。中程度のベースライン評価に比べて激しいベースライン評価が少ないと、標準的な評価の物差しおよび分析方法に鑑みて、偽薬の反応が高くなると予想される。
【０３０３】
偽薬群が有効な処置をもたらしていた可能性があるかもしれない。ＢＰＰＳＩＴ試験における偽薬は、ブレスパワー（商標）装置（二酸化炭素による圧力およびラクトース粉末）による処置であった。これを明らかに偽の処置であったと考えることができるが、実際には偏頭痛への二酸化炭素の有益な効果についての文献が存在する。Ｓｐｉｅｒｉｎｇｓおよび同僚らは、要約の形態でのみ入手することができる予備試験において、一時的な偏頭痛の急性治療のための連続的な二酸化炭素の吹き込みが、偽薬と比べてきわめて統計的に有意な２時間の時点における痛みの解放という反応（２５．０％対４．８％）（Ｐ＝．００６）をもたらすことを発見した。
【０３０４】
すなわち、二酸化炭素は、おそらくは痛みの規制のシステムの一部である。Ｖａｕｓｅおよび同僚らが、２００７年に培養されたラットの三叉神経節細胞における発見について、「ｐＨ６．０または５．５における主な三叉神経節培養組織の培養が、カルシトニン遺伝子関連のペプチド（ＣＧＲＰ）遊離を大いに刺激することが示され、・・・等水溶液の条件のもとでの培養組織の二酸化炭素処理が・・・ＣＧＲＰの分泌についてのＫＣＩ、カプサイチン、および酸化チッ素の刺激作用を大いに抑制し、等水溶液の条件のもとでの二酸化炭素処理は・・・減少をもたらし、・・・細胞内カルシウムのカプサイチンを介した増加が、二酸化炭素が感覚神経の活性化を抑え、したがって神経ペプチドの放出を抑えることによる独特な調節機構の第１の証拠［をもたらしている］」と書いている。さらに、二酸化炭素について観測されたＣＧＲＰ分泌の抑制効果は、カルシウムチャネル活性の調節および細胞内ｐＨの変化を含むと考えられる。
【０３０５】
したがって、ＢＰＰＳＩＴの二酸化炭素「偽薬」が、或る程度の治療をもたらしておる可能性があり、すなわち本当の偽薬反応ではない可能性がある。フェーズ２およびフェーズ３の両方の研究が４４〜４５％という高い偽薬反応率を示したという事実は、この可能性を示唆している。しかしながら、新規なトリプタン投与試験における高い偽薬の率について、先例が存在する。第１のリザトリプタンの口で溶けることができる錠剤の試験において、偽薬の率は４７％であった。ＢＰＰＳＩＴと比べたＳｐｉｅｒｉｎｇｓの装置の二酸化炭素の濃度が不明であることが、現時点においてこの可能性をさらに調べる機会を制限している。
【０３０６】
ＢＰＰＳＩＴフェーズ３データにおいて検討すべきさらなる問題は、有効な薬剤における反応から偽薬における反応を引き算したときに得られる差として定義されるＴＧの問題である。２０ｍｇの場合の２時間の時点における頭痛の緩和に関して、フェーズ２におけるＴＧは３６であり、フェーズ３においては２２であった。この第２のＴＧは、第１に、トリプタンについての下端に位置するように思われる。研究（さらに詳しくは後述）においてＴＧの使用を選択するならば、実際に、２つのＢＰＰＳＩＴのＴＧは、スマトリプタン液体鼻腔スプレーにおけるＴＧと同等に見えると考えられる。従来からのスマトリプタン液体鼻腔スプレーの５回の試験におけるＴＧは、２５、２５、２９、３５、および３６であった。
【０３０７】
Ｓｈｅｆｔｅｌｌおよび同僚らが、トリプタンの効能データのＴＧへの変換が有用であるか否かを評価した。ＴＧの意図は、偽薬の変動にもかかわらず真の薬剤の効果を明らかにすることである。驚くべきことに、ＴＧは有効な薬剤における反応よりも偽薬における反応に強く相関していることが明らかになった。ＴＧをトリプタンの比較に使用すべきではなく、偏頭痛の治療は、メタ分析によってではなく、適切に設計された一対一の研究を使用することによってのみ比較できることに、注意すべきである。
【０３０８】
分析の目的で、この問題を再検討し、有効な薬剤および偽薬における反応についての研究による添付文書に報告された２時間の時点における頭痛の緩和を比較した（図１４および１５を参照）。ＴＧの理論によれば、偽薬に対する有効な薬剤の反応率が、有効な薬剤同士の相関よりも良好な正の相関を有していなければならない。ＴＧが偏頭痛試験の解釈において有用な概念であるためには、有効な薬剤による処置において観察される反応が、観察される偽薬における反応率に比例して上下しなければならない。
【０３０９】
しかしながら、おそらくはＴＧの概念の他の適用と異なり、偽薬における反応率は、大きく変動するが、有効な薬剤における反応率への影響をほとんど、または全く有さないことが明らかである。トリプタン類におけるデータが、図１５のＸ軸に見られるように、所与の薬剤についての研究間で偽薬に対する反応に大きなばらつきが存在することを示している。偽薬についての率を横切る図１５のＹ軸上の比較的平坦な線として見られるように、所与の有効な処置において、有効な薬剤における反応率は、研究間の変動がはるかに小さい。偽薬群および有効な薬剤の群において観察された反応の間に、注目に値する相関は存在していない。引かれた研究において、有効な薬剤：偽薬のＲ２＝０．０２である。
【０３１０】
有効な薬剤における反応率は、偏頭痛においては有用な考え方ではないように見受けられるＴＧよりも良好に真の治療効果を反映するが、２００１年に述べられたように、良好に設計された一対一の研究が、依然として比較のための基準である。すでに述べたように、ＢＰＰＳＩＴにおける頭痛の緩和率は、２時間の時点においては歴史的に他のトリプタン治療に一致しているように見受けられ、おそらくは３０分の時点において注射のスマトリプタンにおいて歴史的に報告された反応率に近付くと言うことが、妥当であり得る。この迅速な発現は、患者、特にはすでに述べたように迅速な発現を必要とする患者にとって、重要となり得る。繰り返しになるが、この反応が１６ｍｇという少ない投与量において達成されることに注目すべきである。やはり、このことは、より投与量の多い処置と比べたときの望ましい安全性および耐用性についての潜在力を示唆しているが、鼻腔内の装置または薬剤の独特な活動について考えられる効能へ寄与に関する興味深い疑問も強調している。
【０３１１】
偏頭痛の急性治療は、個々の患者のニーズを薬剤および処方物に調査させる必要がある。特には、吐き気および反応、ピーク強度までの素早い時間、および実際には偏頭痛患者の一般的な胃不全麻痺のすべてが、発作の処置のための様々な非経口の処方物を要求する。ジェネリックなトリプタンが入手可能になるにつれ、それらを新たな処方物において使用する試みが進んでいる。新規なＢＰＰＳＩＴは、従来からの液体鼻腔スマトリプタンスプレーと比べて、少なくとも薬物動態の改善を提供する。
【０３１２】
スマトリプタンの経鼻投与のためにこの研究において用いられたブレスパワー（商標）装置は、軟口蓋を閉じ、少量の粉末スマトリプタンを片側の鼻腔において上方に高く進めるために、自然の鼻の構造を使用する。この手法は、有害事象を減らし、効能を改善することができる。
【０３１３】
既知の有効な偏頭痛の薬剤について新規な投与システムを生み出すことは、確かに価値のある努力である。速効性の非経口の鼻用の処方物の臨床における役割は、すでに述べたように、錠剤が上手くいかない運命にあり、すなわち吐き気および嘔吐の状況にある者や、中枢性感作、異痛、および偏頭痛の無効化までの時間が、経口の薬剤の予測不可能かつ低速な吸収プロフィルに鑑みて錠剤に反応するには患者にとって短すぎる場合である。さらなる研究が、この新規なシステムが発現の速度および有効性において予報される利益を、これまでの非経口の処方物と比べて少ない有害事象で、臨床的にもたらすかどうかを明らかにするはずである。
【実施例８】
【０３１４】
この研究においては、図４（ａ）および（ｂ）のブレスパワー（商標）投与装置を使用した鼻のｐＨ測定結果を分析した。いくつかの態様において、このデータは、現実的であると考えることができ、生体内で「装置効果」を確認するための利用可能な方法を提供する。しかしながら、鼻内のＮＯおよび二酸化炭素レベルの測定は、鼻から空気を常時吸い出す必要があり、流れのパターンを変化させてしまうと考えられるため、典型的には実現不可能である。
【０３１５】
粉末の形態の１５〜１６ｍｇのスマトリプタンをもたらすための図４（ａ）および（ｂ）のブレスパワー（商標）投与装置および経口スマトリプタン錠剤（Ｉｍｉｔｒｅｘ（登録商標）  １００ｍｇ  Ｔａｂｌｅｔ、あるいはその承認または後発同等品）を使用した一対一（Ｈ２Ｈ）の結果からの盲検データが、一般的に、高い反応率、すなわち激しい／中程度の偏頭痛から軽い偏頭痛への軽減または偏頭痛の解消を示しており、３０分の時点における非盲検化後の潜在的な筋書きが、１つ以上の「装置効果」を示唆している。
【０３１６】
１００ｍｇの経口スマトリプタン錠剤（Ｉｍｉｔｒｅｘ（登録商標）  １００ｍｇ  Ｔａｂｌｅｔ、あるいはその承認または後発同等品）の３０分の時点における最高の有効反応率（１３％）に、１５〜１６ｍｇのスマトリプタン粉末の投与についての３０分の時点における最高の偽薬の率（３１％）を加えるとすると、合計は３０分の時点において４４％になる。このデータは、１５〜１６ｍｇのスマトリプタン粉末の投与と偽薬錠剤とにおける３０分の時点の７０％という反応率が、きわめて高いことを示唆している。１７４回の激しい発作について、９５％が３０分の時点において改善された。やはり、これは、両方の処置の選択肢においてきわめて高い反応率である（少なくとも９０％の反応）。
【０３１７】
「盲検」データについて、１５５６件の発作が存在した。これらの発作のうち、３０分の時点における反応データが示される。７１３件の発作は、処置時において軽い発作であり、６６９件の発作は、処置時において中程度の発作であり、１７４件の発作は、処置時に激しい発作であった。軽い発作については、１１７件（１６．４％）が３０分の時点において解消した。中程度の発作については、２８８件（４３％）が軽い発作になり、１０１件（１５．１％）が解消した。激しい発作については、７７件（４４．３％）が中程度の発作となり、６５件（３７．４％）が軽い発作となり、２２件（１２．６％）が解消した。すべての発作ついて、１ポイントの改善が４３％であり、痛みの解消は１５．４％であった。中程度／激しい発作（ｎ＝８４３）について、５７％が軽い発作／解消となり、１４．６％が痛みの解消を達成した。
【０３１８】
双方向の流れパターンのいくつかの生理学的な側面を再考した。一般的に、そのような流れパターンは、約５〜約６％の二酸化炭素の範囲の鼻粘膜への吐き出された二酸化炭素の曝露をもたらす。さらに、ｐＨが鼻粘膜において局所的に変化する可能性がある（Ｄｊｕｐｅｓｌａｎｄ、２０１４年）。鼻の上部からのＮＯの除去（Ｄｊｕｐｅｓｌａｎｄ、１９９９年）も生じる可能性があり、正の圧力が鼻粘膜に加えられる可能性がある（Ｖａｌｓａｌｖａおよび痛みの緩和）。さらに、振動する気流が狭いスリット状の通路および洞からのガス交換を促進できる。Ｈｕｍｍｉｎｇおよび他の刊行物が、鼻のＮＯ、振動するメッシュ、およびパルス式ネブライザを記載している。
【０３１９】
上述の潜在的な装置効果について、考えられる説明がいくつか存在する。そのような効果の証拠は、フェーズ２およびフェーズ３の試験において早期の時点においても観測される高い偽薬の率からもたらされる。盲検のＨ２Ｈデータも、さらなる「装置効果」を示唆している。
【０３２０】
１つの仮説は、約５〜６％の二酸化炭素を含む呼気を双方向的にもたらすことで、きわめて少ない流量の１００％の二酸化炭素または低流量の１５〜４５％の二酸化炭素（Ｓｈｕｓｔｅｒｍａｎ、２００３年を参照）の低流量の送達と同様の鼻粘膜への二酸化炭素の曝露がもたらされるというものである。
【０３２１】
フェーズ２偏頭痛試験（Ｓｐｉｅｒｉｎｇｓ、２００８年−Ｃａｐｎｉａ）において、二酸化炭素が、偏頭痛について最小３．５分の休息で最初の２時間において４５秒の休止および７回までの投与サイクルで９０秒（９００ｍＬ）または５×１５（１０５０ｍＬ）にわたって１０ｍｌ／秒で受動的にもたらされた。これは、毎秒１０ｍｌの二酸化炭素にほぼ等しかった。二酸化炭素のかなりの希釈が、開いた鼻ならびに投与の際に生じ得る鼻による吸い込みまたは吐き出しゆえに予想される。
【０３２２】
フェーズ２急性鼻炎（ＡＲ）試験（Ｃａｓａｌｅ、２００８年−Ｃａｐｎｉａ）において、二酸化炭素が経鼻にて２回、１０ｍＬ／ｓの流量で６０秒間にわたって受動的に投与され、総投与量は約１２００ｍＬであった。投与は、５分未満の間隔によって隔てられ、交互の鼻孔に投与された。
【０３２３】
被験者は、口を通じた呼吸によってガスを過度に吸い込むことを避け、ガスが一方の鼻孔に流れ、鼻および鼻腔を通過し、他方の鼻孔を通って出ることができるようにした。流量は、やはり毎秒１０ｍｌの二酸化炭素であった。二酸化炭素のかなりの希釈が、開いた鼻ならびに投与の際に生じ得る鼻による吸い込みまたは吐き出しゆえに予想される。
【０３２４】
さらに、Ｓｈｕｓｔｅｒｍａｎの２００３年の論文は、吸入に同期した５Ｌ／分  １５％  ×  ３秒での二酸化炭素の投与を記載している。これは、２５０ｍＬ×０．１５に相当し、３７．５ｍｌの二酸化炭素に等しく、すなわち毎秒１２．５ｍｌに等しい。比較により、図４（ａ）および（ｂ）のブレスパワー（商標）投与装置（Ｄｊｕｐｅｓｌａｎｄ、２０１４年）は、５％の二酸化炭素を３０Ｌ／分で３秒間にわたってもたらし、すなわち約５〜６％の二酸化炭素を５００ｍＬ／秒で与え、すなわち２５〜３０ｍＬ／秒または３秒で７５〜９０ｍＬの二酸化炭素を与える。
【０３２５】
二酸化炭素は、偏頭痛およびアレルギ性鼻炎において効果を示しており、二酸化炭素は、粘膜のｐＨを局所的に下げることによって例えば局所の三叉神経構造に作用し、神経を鈍感にする細胞間の事象を引き起こすと考えられる。さらに、鼻にもたらされた二酸化炭素は、鼻粘膜におけるｐＨ変化を引き起こすことができる（Ｓｈｕｓｔｅｒｍａｎ、２００３年）。
【０３２６】
二酸化炭素は、少なくとも部分的には、偏頭痛およびＡＲにおいてｐＨを変化させることによって機能する。最近の刊行物が、二酸化炭素などの刺激時の三叉神経知覚線維からのＣＧＲＰの放出が嗅覚受容器ニューロンの臭気への反応を阻害すると記載している。ＶａｕｓｅおよびＳｐｉｅｒｉｎｇｓによる論文は、「この研究からの結果は、二酸化炭素が感覚神経の活性化を抑え、したがって神経ペプチドの放出を抑えることによる独特な調節機構の第１の証拠をもたらしている」と述べている。さらに、二酸化炭素について観察されるＣＧＲＰ分泌の抑制効果は、カルシウムチャネル活性の調節および細胞内ｐＨの変化を含むと考えられる。
【０３２７】
効果を実現させるのが細胞内のｐＨの変化であり、かなりの程度までの細胞外のｐＨ変化が鼻の粘液の分泌によって緩衝されると思われる。最近の研究ならびにＳｈｕｓｔｅｒｍａｎ，２００３年による研究において、鼻のｐＨの指標の小さな変化が、１．５〜２ミリメートルの間の直径を有する鼻道に挿入されたプローブによって測定された。これらのプローブは、食道および室のｐＨを測定するために使用されており、詳細な曲線（後述される例を参照）をもたらすソフトウェアに直接結合させることができる。
【０３２８】
これらの研究から、１５体積％超の二酸化炭素濃度が、鼻のｐＨの変化を目にするために必要であると思われる。しかしながら、以下でさらに詳しく論じられるとおり、この研究は、ブレスパワー（商標）投与装置を使用することで、鼻のｐＨの変化を５〜６体積％の二酸化炭素濃度で達成できることを明らかにしている。
【０３２９】
これまでの文献が、１〜３％程度およびさらに低い二酸化炭素濃度を感知またはかぎつけることができる過敏症の嗅覚受容体を有するラットを記載している。この二酸化炭素の検知の高感度の態様は、炭酸などの合成を触媒するカルボニックアンヒドラーゼの活性に依存する。結果としての酸性化が、嗅上皮の最も背側の凹所に位置する嗅覚受容器ニューロンの小集団に活動を生じさせる。
【０３３０】
人間においては、そのような高感度の二酸化炭素の検出は存在せず、二酸化炭素は人間にとっては臭いを有さない。しかしながら、より高い二酸化炭素濃度において、三叉神経の線維がやはり酸性化によって活性化される。重要なことに、三叉神経の活動を生じさせる陽子は、嗅覚の粘液または間質液において放出されたものではなく、三叉神経の線維の軸索原形質において放出されたものである。最近になって、三叉神経節ニューロンのＴＲＰＡ１チャネルのゲーティングの研究が、チャネルが細胞内酸性化によって開かれることを明らかにした（Ｗａｎｇ他、２０１０年）。
【０３３１】
二酸化炭素は形質膜を横切って容易に拡散できるため、感覚終末の内側でのカルボニックアンヒドラーゼ反応は、線維内ｐＨの低下を引き起こすことができる。この細胞内酸性化の正確な程度は、これまでのところまだ測定されておらず、カルボニックアンヒドラーゼの線維内濃度は知られていない。しかしながら、線維内のアクセス可能な体積の小ささに鑑み、酸性化は、はるかに大きな体積を有する周囲の流体と比べて、線維においてはより強調されると予想される。
【０３３２】
人間の被験者において、Ｓｈｕｓｔｅｒｍａｎ，２００３年は、今回の研究において用いたもの（５Ｌ／分、３秒の継続時間、２０％の二酸化炭素）と同様の二酸化炭素刺激の最中に細胞外のｐＨ電極によって鼻粘膜ｐＨの酸性化を測定した。細胞外ｐＨは、〜７．４という基礎レベルから０．０５〜０．１ｐＨ単位だけ低下し、二酸化炭素の効果は各々の二酸化炭素パルスの最中である。細胞外ｐＨのこれらの微小な低下は、細胞外の媒体の効率的なｐＨ緩衝を反映している。細胞内酸性化による二酸化炭素検出の利点は、軸索原形質の内部の二酸化炭素によって、より大きなｐＨ変化を生じさせることができることにある。細胞外の媒体に関して、三叉神経の線維は、周囲の流体の体積およびｐＨ緩衝能力と無関係に、ｐＨ電極として働くのではなく、むしろ二酸化炭素電極として働くように見受けられる。
【０３３３】
たとえ人間が二酸化炭素に対する高感度を有していなくても、最近の研究は、人間が約５〜６％のＣＯ２の二酸化炭素レベルを感知できることを示唆している。さらに、鼻粘膜は、鼻の前部においてより敏感であり得る。
【０３３４】
１つ以上の因子が、図２（ａ）および（ｂ）、図３（ａ）および（ｂ）、ならびに図４（ａ）および（ｂ）のブレスパワー（商標）投与装置の使用から得られる上述の反応データに影響を及ぼし得る。１つの仮説は、ブレスパワー（商標）投与技術を利用することによって、達成される特定の気流および圧力の特徴が、先の研究において観測された高い偽薬の効果および偽薬のブレスパワー（商標）投与装置が経口スマトリプタン錠剤と組み合わせられたときの３０分の時点における高い反応を少なくとも部分的に説明できる別の利点を提供する。１つ以上の因子が影響を有することができ、これらの因子は、ガス圧力、鼻からのＮＯ除去、または呼気の二酸化炭素への曝露を含む可能性が高いと予想される。これらの因子のうち、二酸化炭素が、最も大きな影響をもたらす可能性がある。
【０３３５】
上述のように、二酸化炭素は、偏頭痛およびアレルギ性鼻炎に影響を有することが知られており、それは局所ｐＨの小さな変化によって達成されると思われる。以前の研究が、１５％および４５％の両方の濃度の５Ｌ／分の二酸化炭素の曝露が、０．１〜０．２ｐＨ単位の粘膜ｐＨの低下を引き起こすことを示している。研究は、そのような小さいｐＨ変化が三叉神経に影響を及ぼし、三叉神経の感度および伝導度を変化させ得ることを示唆している。他の研究は、ＣＧＲＰの放出、したがって偏頭痛の痛みに影響を及ぼす可能性を示唆している。
【０３３６】
この研究において、図３（ａ）および（ｂ）ならびに図４（ａ）および（ｂ）のブレスパワー（商標）投与装置を使用し、しかしながら有効物質は投与していないときの鼻のｐＨの測定は、予期せぬ結果をもたらした。いかなる物質の放出も伴わないこれらのブレスパワー（商標）装置を通じての呼気は、反復かつおおむね再現性のある（センサ位置の小さな不可避のばらつきに支配される）０．１〜０．２ｐＨ単位のｐＨ低下を引き起こした。このデータは、１５％および４５％の二酸化炭素の３秒の噴出において観察された内容と同様である。この研究において、センサは鼻の底および鼻の天井の近くの両方に配置された。多くの場合において、センサが鼻の床よりも天井の方に配置される場合に、より大きな「低下」が観察される。
【０３３７】
上記仮説のように、ＮＯの先の測定値に少なくとも部分的にもとづき、きわめて少ない流量の二酸化炭素において、二酸化炭素が鼻の床にもたらされる場合には鼻の上部の二酸化炭素濃度の達成および上昇に時間がかかる。先の研究において用いられた約４５％〜約１００％という高い濃度においても、上述のとおりのブレスパワー（商標）装置の使用において即座に達成される約６％の濃度を達成するために１０秒のパルスよりも多くの時間を要する可能性がある。これは、これらのブレスパワー（商標）装置を使用したときに観測された「装置効果」を説明することができる。
【０３３８】
上述のとおりのブレスパワー（商標）装置の使用への直接的な反応におけるｐＨの低下を検出できることは、特筆すべきである。このデータは、高い偽薬効果およびきわめて高い奏効率について、科学的および論理的な説明をもたらす。
【０３３９】
本明細書に記載のデータは、装置効果の仮説の裏付けを提供する。液体の投与のための図３（ａ）および（ｂ）のブレスパワー（商標）装置ならびに粉末の投与のための図４（ａ）および（ｂ）のブレスパワー（商標）装置の両者における測定値は、類似のデータをもたらす。したがって、特定の装置よりもむしろ基礎にある双方向（Ｂｉ−Ｄｉｒｅｃｔｉｏｎａｌ（商標））法が、大きな効果を有するように見受けられる。二酸化炭素がアレルギ性鼻炎にも効果を有することは、注目に値する。
【０３４０】
この研究において、鼻のｐＨ測定が、ノルウェイのＷｉｎＭｅｄ社によって提供されるＤｉｇｉｔｒａｐｐｅｒ  ｐＨという１．６ｍｍのｐＨセンサおよびＡｃｃｕＶｉｅｗというソフトウェアを使用して行われた。実施形態において、１つ以上のプローブＰが、図１６に大まかに示されるように配置され、いずれかの鼻道に位置することができる。
【０３４１】
図４（ａ）および（ｂ）のブレスパワー（商標）装置を使用し、鼻の天井に向けて同じ側に配置されたセンサプローブＰによる呼気の流れの関数としてのｐＨを示すデータが、図１７に示されている。図３（ａ）および（ｂ）のブレスパワー（商標）装置ならびに図４（ａ）および（ｂ）のブレスパワー（商標）装置を使用した呼気の流れの関数としてのｐＨを示すデータが、図１８に示されており、ｐＨセンサは、鼻の天井に向かって鼻孔の開口から約４〜５ｃｍに配置されている。図１９が、図４（ａ）および（ｂ）のブレスパワー（商標）投与装置に関する呼気の流れの関数としてのｐＨを示すデータを示しており、センサは、鼻の床および中間部分において鼻に約４〜５ｃｍに位置している。図２０は、図４（ａ）および（ｂ）のブレスパワー（商標）投与装置に関する呼気の流れの関数としてのｐＨを示すさらなるデータを示しており、やはりセンサは、鼻の床および中間部分において鼻に約４〜５ｃｍに位置している。
【０３４２】
Ｓｈｕｓｔｅｒｍａｎ，２００３年が、通常の空気（０％）ならびに１５％および４５％の二酸化炭素の３秒のパルスを鼻にもたらした。ｐＨセンサは、鼻の床に沿って配置された。サンプリング周波数は、毎秒１０回（１０Ｈｚ）であった。この研究からのデータが、図２１に示されている。
【０３４３】
比較として、この研究は、口呼吸、穏やかな鼻呼吸、および図３（ａ）および（ｂ）ならびに図４（ａ）および（ｂ）のブレスパワー（商標）投与装置による投与の前の穏やかな鼻呼吸を比較し、センサは右の鼻孔に約４〜５ｃｍに配置され、装置は左の鼻孔に挿入された。本方法に関するデータが、図２２に示されている。
【０３４４】
要約すると、ブレスパワー（商標）投与装置は、偏頭痛およびアレルギ性鼻炎においてコニカルエフェクト（ｃｏｎｉｃａｌ  ｅｆｆｅｃｔｓ）を示している試験（Ｃａｐｎｉａ−Ｃａｓａｌｅ  ２００８年およびＳｐｉｅｒｉｎｇｓ  ２００８年）においてもたらされた１００％の二酸化炭素の投与と比べてより高い生理学的活性および効能をもたらす。ブレスパワー（商標）投与装置は、１分間隔の３秒のパルスにてもたらされる１５％および４５％の両方の二酸化炭素と比べて、装置を通る呼気への直接反応においてｐＨレベルの同様の低下も示す。これらの結果は、ブレスパワー（商標）装置が、試験において以前に使用され、偏頭痛および永続するアレルギ性鼻炎において効果を有することを示した１００％の投与と同様の鼻粘膜への二酸化炭素の曝露を生み出すことができることを示唆している。ブレスパワー（商標）装置を使用したときの二酸化炭素に関連したこの効果は、正の気圧、大きな流量および変化した流れのパターン、鼻腔に浸入する改善された気流、装置の動作における振動効果、ならびに酸化チッ素の除去などのブレスパワー（商標）装置の使用に関連する１つ以上の他の因子との組み合わせにおいて、三叉神経および肥満細胞について刺激または仲介効果を引き起こすことができる。
【実施例９】
【０３４５】
口蓋閉鎖ブレスパワー（商標）装置を使用した低用量のスマトリプタン粉末によるフェーズ２試験は、注射によってすでに報告された水準に近付く頭痛の緩和を生み出したが、トリプタン効果を伴わなかった。
【０３４６】
この追加の研究は、中程度〜激しい急性偏頭痛の患者において偽薬と比較したときのこの投与の形態の効能および安全性を評価するために行われた。
【０３４７】
この研究は、スクリーニングに先立つ１２ヵ月において１〜８回／月の偏頭痛を経験している患者において実行されたフェーズ３、他施設、無作為化、二重盲検、偽薬対照、単回投与、並行群研究であった。各々の患者は、中程度または激しい強度の単一の偏頭痛を、図４（ａ）および（ｂ）のブレスパワー（商標）装置を使用して１１ｍｇのスマトリプタン粉末を含んでいるカプセル（両カプセルが合計で２２ｍｇの総投与量をもたらす）からの２回の投与（各々の鼻孔に１回ずつ）または偽薬が装てんされた同等の対応する装置（偽薬装置）で処置した。この研究において、各々のカプセルの公称投与量は１１ｍｇのフリーベースであり、７．５ｍｇの平均投与量がもたらされ、２つのカプセルからの合計の平均投与量は１５ｍｇであった。
【０３４８】
以下の効能の結果が測定された。
１２０分の時点（主要）および１２０分までの複数の時点における頭痛反応（軽微または皆無と評価される痛み）。
１２０分までの複数の時点における完全な痛みの解放（頭痛の苦痛からの自由）。
有意な緩和までの時間（頭痛の苦痛の反応の解釈の患者による報告）。
臨床の無力および偏頭痛関連の症状（光恐怖症、音声恐怖症、吐き気、および嘔吐）。
救急薬の使用。
反応の持続／痛みの解放の持続（１２０分の時点において頭痛について効果があり／痛みが完全に消え、投与後２４および４８ｈまで再発生または救急薬の使用がない）。
【０３４９】
合計で２１２名の患者（平均年齢４２歳；８５％が女性）が処置を受けた（１０８名がスマトリプタン粉末；１０４名が偽薬）。患者の人口統計学データおよびベースライン特性が、図２３に示される。
【０３５０】
１２０分の時点における頭痛反応（主要転帰）は、６８％対４５％であった（Ｐ＜．０１）。頭痛反応曲線は早期に分かれ、３０分で統計的に有意になった（４２％対２７％；Ｐ＜．０５）。一般に、この投与の形態は、完了した緩和および持続した反応について偽薬よりも統計的に優れており、２４および４８時間の時点でも残っていた。無力および偏頭痛関連の症状についても軽減が見られた。
【０３５１】
結果が図２５に示される。一般に、完全な痛みの解消（１２０分）は３７％対１７％（Ｐ＜．０１）であり、意味のある緩和（１２０分）は７０％対４５％（Ｐ＜．００１）であった。反応の持続は、２４時間の時点において４４％対２４％（Ｐ＜．０１）であり、４８時間の時点において３４％対２０％（Ｐ＝．０１）であった。痛みの解消の持続は、２４時間の時点において２８％対１２％（Ｐ＝．００５）であり、４８時間の時点において２０％対９％（Ｐ＝．０２）であった。さらに、吐き気、音声恐怖症、および光恐怖症の軽減が、両方の群において報告された（偽薬に対して有意ではない）。救急薬を必要とした患者は、本投与形態と比べ、偽薬を使用した患者において有意に多かった（５２％対３７％；Ｐ＝．０２）。
【０３５２】
主要評価項目に関して、本投与形態を使用した患者の６８％が投与後１２０分の時点において頭痛の緩和を報告したのに対し、偽薬装置の使用においては４５％であった（Ｐ＜．０１；図２６）。本投与形態における頭痛の緩和は早期に達成され、３０分の時点において偽薬と比べて統計的に有意になった（４２％対２７％、Ｐ＜．０５；図２６）。頭痛の緩和は、頭痛疾患の国際分類（第２版）の基準における深刻（グレード３）または中程度（グレード２）の頭痛の痛みから軽い頭痛の痛み（グレード１）または頭痛の痛みなし（グレード０）への軽減として決定された。
【０３５３】
救急薬を必要とした患者は、偽薬装置と比べ、本投与形態を使用した患者において有意に少なかった（３７％対５２％、Ｐ＜．０５）。
【０３５４】
加えて、２４および４８ｈの時点において痛みの緩和の持続を感じた患者は、偽薬装置と比べ、本投与形態を使用した患者においてより多かった（図２６）。さらに、救急薬を必要とせずに２４時間の時点において痛みからの解放を維持した患者は、偽薬装置を使用した場合の１２％と比べ、本投与形態を使用した患者においてより多かった（２８％）（Ｐ＜．０１）。２４または４８ｈの時点における痛みの緩和の維持は、１２０分の時点において頭痛が緩和された患者および完全に痛みから解放された患者であって、２〜２４ｈおよび２〜４８ｈの時間枠において頭痛の再発がなく、救急薬を必要とすることがなかった患者に関して計算されている。
【０３５５】
頭痛の緩和の尺度についての結果に一致して、１２０分の終点において意味のある緩和を感じた患者（図２７−投与後１２０分において本投与形態または偽薬装置による処置後に有意な緩和を感じた患者の割合を示している（ＦＡＳ））および完全な痛みの緩和を感じた患者（図２８−１２０分の終了点において痛みの解消を達成した患者の割合（ＦＡＳ））は、偽薬と比べて本投与形態を使用した患者において有意に多かった。意味のある緩和は、患者の報告による解釈である。痛みからの解放は、深刻（グレード３）または中程度（グレード２）の頭痛の痛みから痛みなし（グレード０）への軽減によって決定される頭痛の痛みからの解放である。
【０３５６】
臨床障害尺度（ｃｌｉｎｉｃａｌ  ｄｉｓａｂｉｌｉｔｙ  ｓｃｏｒｅ）は、４５および１２０分の間を含めて偽薬と比べて本投与形態によって処置された患者において大きく改善された（Ｐ＜．０５）。偏頭痛関連の症状の発生は、１２０分の終点において大幅に少なくなった（本投与形態対偽薬装置：吐き気１９％対２１％、嘔吐２％対０％、光恐怖症４８％対６０％、音声恐怖症３２％対４４％）。これらの減少は、群間で有意には達していない。
【０３５７】
全身性の副作用（ＡＥ）はほとんどなく、１名の患者を除いて何も報告されなかった。「トリプタン効果」として知られる特定のＡＥが、高い血漿薬剤濃度を生じさせる処方物および用量につきまとう。最小限のトリプタン知覚も存在した。具体的には、胸部圧迫感は存在せず、ただ１名の患者が軽い一時的な知覚異常を報告したにすぎない。報告された最も一般的（＞５％）なＡＥは、製品の味（２２％）、鼻の不快（１３％）、および鼻炎（６％）であった。
【０３５８】
伝統的な鼻腔スプレーと異なり、本投与形態は、粉末状のスマトリプタンを迅速な吸収が可能である鼻構造の奥深くに届けるために新規なブレスパワー（商標）装置を使用する。この奥深くの領域は、三叉神経および嗅神経によって神経が大いに分布した領域ともなっており、理論的に直接効果または鼻から脳への輸送の潜在力を提供している。ブレスパワー（商標）装置は、正の気圧およびカプセルのがたつきからの振動との組み合わせにおいて、二酸化炭素を局所的にもたらし、酸化チッ素（ＮＯ）を取り除く。この効果は、この研究において見られる偽薬反応にも貢献している可能性がある。高い偽薬反応は、鼻腔内の三叉神経末端における二酸化炭素の送達および／またはＮＯの除去の神経化学効果に関係している可能性もある。ＮＯは、偏頭痛の病態生理学における重要な仲介者であるＣＧＲＰの三叉神経ニューロンからの放出を刺激することが知られている一方で、二酸化炭素は、ＣＧＲＰの放出を抑制し、偏頭痛の調節において有益となり得る。
【０３５９】
結論として、本投与形態による処置は、偽薬装置そのものへの高い反応にもかかわらず、最小限のトリプタン知覚で同等の偽薬装置と比べて敏速かつ持続する偏頭痛の緩和をもたらす。このデータは、先のフェーズ２試験からの結果に一致し、本投与形態が急性偏頭痛の処置において重要な治療力がありかつ現実的な選択肢を提供できることを示唆している。
【実施例１０】
【０３６０】
実施例１０は、実施例９に続き、実施例９の研究の延長を呈し、得られたデータは非盲検である。
【０３６１】
この研究は、図２９に示されるとおり、２つの最大１２週間の二重盲期間による多施設ダブルダミー有効経口比較物クロスオーバ研究である。
【０３６２】
患者は、スクリーニングに先立つ少なくとも１年間において頭痛疾患の国際分類（第２版）の基準に従って前兆を伴う偏頭痛または前兆を伴わない偏頭痛と診断され、過去１２ヵ月において２〜８回／月の偏頭痛発作を経験した１８〜６５歳である。合計２７５名の偏頭痛患者が無作為化され、１８５名（６７．３％）が両方の期間において１〜５回の偏頭痛について処置され、フル・アナリシス・セット（ＦＡＳ）を構成した。ＦＡＳの患者についての研究において、合計１５３１回の偏頭痛を評価した。平均において、患者は４０．１歳であり、女性（８５％）であり、ベースラインにおいて４．９回／月の偏頭痛発作を有した。患者サンプルの人口統計学データが、図３０に示されている。
【０３６３】
患者は、
１）図４（ａ）および（ｂ）のブレスパワー（商標）投与装置（２つのカプセルを使用し、各々のカプセルが１１ｍｇのスマトリプタン粉末を収容しており、それぞれ平均で８ｍｇを投与し、したがってスマトリプタン粉末の公称総投与量は２２ｍｇであり、平均総投与量は１６ｍｇになる）＋経口偽薬錠剤、および
２）同一の偽薬装置（ただし、ラクトース粉末が入れてある）＋１００ｍｇの経口スマトリプタン錠剤（Ｉｍｉｔｒｅｘ（登録商標）  １００ｍｇ  Ｔａｂｌｅｔ、あるいはその承認または後発同等品）
へと１：１に無作為化された。
【０３６４】
二重盲段階の各々の期間（最大１２週間の継続期間）において、患者を研究療法（装置＋経口錠剤）で最大５回の適切な偏頭痛について処置した。適切な偏頭痛は、少なくとも軽度（グレード１）の強さについての頭痛疾患の国際分類（第２版）の基準に合致し、処置は、適切な偏頭痛の発生から１時間以内に与えられた。
【０３６５】
投与の直前ならびに投与後１０、１５、３０、４５、６０、９０、および１２０分、ならびに２４および４８時間において、患者は、以下を電子手帳に記録した。
・頭痛深刻度スコア（痛みの強さ  ０＝なし、１＝軽度、２＝中程度、３＝深刻）
・臨床障害スコア（日常活動の実行  ０＝障害なし、１＝軽い障害、２＝中程度の障害、３＝深刻な障害）
・吐き気、音声恐怖症、光恐怖症、または嘔吐の有無
【０３６６】
１２０分後に、患者は、（うずき、温暖／高温感覚、灼熱感、無気力感、圧力、頭部の締め付けなどの窮屈感、麻痺、および違和感で構成される）非定型の感覚の有無および深刻度を記録した。
【０３６７】
緩和がなく、頭痛が悪化し、あるいは頭痛が再発した場合、すべての毎日の評価が１回目の研究薬剤の投与後１２０分の時点から２４時間までについて完了した後で、２回目の研究薬剤を摂取することができた。頭痛深刻度の評価は、２４および４８時間の時点でも行った。
【０３６８】
２回目の投与の後、研究薬剤の２回目の投与後１２０分の時点で緩和がなく、頭痛が悪化し、あるいは頭痛が再発した場合、救急薬を摂取することができた。
【０３６９】
主要評価項目ＳＰＩＤ−３０が、投与から３０分までの頭痛疾患の国際分類（第２版）の基準におけるすべての頭痛深刻度スコアを利用する合計疼痛強度差（ｓｕｍｍｅｄ  ｐａｉｎ  ｉｎｔｅｎｓｉｔｙ  ｄｉｆｆｅｒｅｎｃｅｓ：ＳＰＩＤ）を評価した。
【０３７０】
データを、ラスト・オブザーベーション・キャリィド・フォワード（ＬＯＣＦ）を用いてＡＮＣＯＶＡ（固定効果としての処置、期間、処置順序；ランダム効果としての被験者）によって分析した。
【０３７１】
副次的評価項目は、各々の時点における頭痛の緩和、痛みの軽減、および痛みからの解放の評価を含んだ。
【０３７２】
図３１および３２に示されるとおり、主要評価項目（ＳＰＩＤ−３０）は、図４（ａ）および（ｂ）のブレスパワー（商標）装置を用いたスマトリプタン粉末の経鼻投与において、投与後の最初の３０分について、経口スマトリプタン錠剤と比べて、有意に大きい痛みの緩和が達成されたことを示している（ＬＳ平均が７．４１に対して１０．８０、Ｐ＜．００１）。
【０３７３】
図３３および３４に示されるとおり、１５分から始まって９０分まで、統計的により大きい投与後の痛みの緩和率（Ｐ＜．０５）が、図４（ａ）および（ｂ）のブレスパワー（商標）装置を用いたスマトリプタン粉末の経鼻投与において達成された。深刻または中程度の発作に関して、３０分の時点において、図４（ａ）および（ｂ）のブレスパワー（商標）装置を用いたスマトリプタン粉末の経鼻投与による痛みの緩和が、発作のうちの５４％において達成されたのに対し、経口錠剤と偽薬装置との組み合わせにおいては３９％であった（Ｐ＜．００１）。この頭痛緩和の割合は、１０、４５、７１、および７８％である１５、３０、６０、および１２０分の時間間隔における６ｍｇの皮下投与スマトリプタン（Ｉｍｉｔｒｅｘ（登録商標）  ６ｍｇ  ＳＣ、あるいはその承認または後発同等品）の頭痛の緩和さえも上回る。頭痛の緩和は、深刻（グレード３）または中程度（グレード２）の頭痛の痛みから軽い頭痛の痛み（グレード１）または頭痛の痛みなし（グレード０）への軽減として判断されている。
【０３７４】
加えて、本投薬形態は、偽薬装置と比べて同等の２４および４８ｈにおける頭痛の緩和の維持を提供する。これは、偽薬装置を使用した場合の錠剤からの１００ｍｇと比べ、約１６ｍｇの投与量で同等の頭痛緩和の維持が得られるがゆえに、きわめて重要である。
【０３７５】
図３５および３６に示されるとおり、１５分から始まって９０分まで、統計的により大きい投与後の痛みからの解放率（Ｐ＜．０１）が、ブレスパワー（商標）装置を用いたスマトリプタン粉末の経鼻投与において達成された。３０分の時点において、ブレスパワー（商標）装置を用いたスマトリプタン粉末の経鼻投与による痛みからの解放が、発作のうちの１８％において達成されたのに対し、経口スマトリプタン錠剤においては１１％であった（Ｐ＜．００１）。痛みからの解放は、深刻（グレード３）、中程度（グレード２）、または軽度（グレード１）の頭痛の痛みから頭痛の痛みなし（グレード０）への軽減によって判断される頭痛の痛みからの解放である。
【０３７６】
加えて、ブレスパワー（商標）装置を用いたスマトリプタン粉末の経鼻投与においては、有意な痛みの緩和までの時間（２５パーセンタイル値（９５％  ＣＩ）  ３１分（９５％  ＣＩは評価できず）に対して２０分（１６〜３０分）、中央値  ４９分（４６〜６１分）に対して４５分（３２〜４６分））および痛みからの解放までの時間（２５パーセンタイル値（９５％  ＣＩ）  ６０分（４６〜９１分）に対して４６分（９５％  ＣＩは評価できず）、中央値  １２１分（９１〜１２１分）に対して９１分（９５％  ＣＩは評価できず））がどちらも短かった。
【０３７７】
また、図３６に示されるとおり、図４（ａ）および（ｂ）のブレスパワー（商標）装置を用いたスマトリプタン粉末の経鼻投与は、有意に多数の発作において痛みの軽減を示す。３０分の時点において、図４（ａ）および（ｂ）のブレスパワー（商標）装置を用いたスマトリプタン粉末の経鼻投与による痛みの軽減は、３５％に対して４９％である（Ｐ＜．００１）。痛みの軽減は、ベースラインにおいて深刻（グレード３）、中程度（グレード２）、または軽度（グレード１）の頭痛の痛みを有する患者における少なくとも１ポイントの痛みの強さの減少である。
【０３７８】
痛みの軽減および痛みからの解放は、１２０分において図４（ａ）および（ｂ）のブレスパワー（商標）装置を用いたスマトリプタン粉末の経鼻投与および経口スマトリプタン錠剤について同等であり、図３７に示されるとおり２４および４８ｈにわたって維持された。
【０３７９】
継続不可能となる有害事象（ＡＥ）に直面した患者は、処置された患者（ｎ＝２６２、安全セット）のうちの２％未満であり、深刻なＡＥは報告されなかった。
【０３８０】
鼻の不快および通常でない製品の味が、１００ｍｇのスマトリプタン錠剤および偽薬装置と比べ、図４（ａ）および（ｂ）のブレスパワー（商標）装置を用いたスマトリプタンの投与および偽薬錠剤においてより一般的に報告された（１％対１６％および４％対２６％）が、これらは事例のほぼ９０％において軽度であると考えられ、研究の中断は１件だけであった。
【０３８１】
加えて、うずき、温暖／高温感覚、灼熱感、無気力感、圧力、頭部の締め付けなどの窮屈感、麻痺、および違和感で構成される非定型のトリプタン感覚は、図３８に示されるとおり、図４（ａ）および（ｂ）のブレスパワー（商標）装置を用いたスマトリプタン粉末で処置された患者において、有意に低かった（２％対５％、Ｐ＝．０２）。非定型の感覚は、図２（ａ）および（ｂ）のブレスパワー（商標）装置を使用したスマトリプタン粉末および他のスマトリプタン投与形態で処置された患者（ｎ＝２０）についてのフェーズ１薬物動態クロスオーバ試験において具体的には測定されていないが、処置に関連した顔面紅潮（ｆｌｕｓｈｉｎｇ）（発生率の最も高いＡＥ）の割合は、Ｉｍｉｔｒｅｘ（登録商標）  ６ｍｇ  ＳＣにおいて２０％であり、ブレスパワー（商標）装置を用いてスマトリプタン粉末によって処置された患者においては生じなかった。Ｉｍｉｔｒｅｘ（登録商標）  ６ｍｇ  ＳＣと比べ、割合は顕著に低く、例えばうずきに関しては１４％である。図４（ａ）および（ｂ）のブレスパワー（商標）装置を使用してスマトリプタン粉末で処置された患者における非定型のトリプタン感覚のこの低い水準は、患者にとって臨床的に重要であり、ブレスパワー（商標）装置を用いた経鼻投与の潜在的な利点であり得る。
【０３８２】
また、１００ｍｇの経口スマトリプタン錠剤および偽薬装置における痛みの緩和の割合が、経鼻投与装置を使用することなく従来どおりに摂取したときの１００ｍｇの経口スマトリプタン錠剤（Ｉｍｉｔｒｅｘ（登録商標）  １００ｍｇ  Ｔａｂｌｅｔ、あるいはその承認または後発同等品）のラベルに記載の痛みの緩和をはるかに超えること（３０、６０、および１２０分の時間間隔において、１２、３５、および６０％に対して３９、６３、および７７％）が、注目される。
【実施例１１】
【０３８３】
上記提示の実施例および検討において、二酸化炭素は、治療または薬物動態に関する効果の提供および／または向上をもたらし、さらには／あるいは鼻道内の領域のｐＨの調節をもたらすための機構を提供するものとして説明されている。二酸化炭素は、鼻道において反応し、ｐＨを下げることができる。上述のように、もたらされる二酸化炭素の濃度は、約５〜約６％ｖｏｌ／ｖｏｌの範囲であってよい。他の態様において、治療量の二酸化炭素は、約１％ｖｏｌ／ｖｏｌ超の二酸化炭素および約１０％ｖｏｌ／ｖｏｌ未満の二酸化炭素を含むことができる。
【０３８４】
二酸化炭素以外の気体または流体を、例えばｐＨを高めるなど、ｐＨの調節をもたらすために使用することができる。また、１つ以上の固体物質を、二酸化炭素あるいは他の気体または流体を伴っても、伴わなくてもよいが、鼻道内のｐＨの調節に使用することができる。例えば、微細な粒子状物質を、鼻道内の組織の周囲の細胞外環境のｐＨを調節するために使用することができる。
【０３８５】
いくつかの実施形態において、ｐＨ調節物質は、酸性ガスまたは塩基性ガスあるいは緩衝液を含むことができる。また、ｐＨ調節物質は、治療薬と一緒に含まれる処方物の一部を形成でき、あるいは治療薬とは別の処方物の一部を形成することができる。ｐＨ調節物資値は、既知の量だけｐＨを調節することができる。既知の量を、個人または個人の群、治療薬、薬剤の群、あるいは１つ以上の薬剤の期待される挙動の要件にもとづいて決定することができる。既知の量は、約０．０１〜約０．５ｐＨ単位、または約０．１〜約０．２ｐＨ単位の範囲であってよい。
【０３８６】
種々の機構を、ｐＨ調節物質を含む気流をエアロゾル化または他の方法で生成するために使用することができる。例えば、ｐＨ調節物質の粉末を、カプセルまたはブリスタパックにおいて治療薬と組み合わせることができる。別の実施形態においては、１つ以上の別途のカプセルまたはブリスタパックを、治療薬の空気による運搬の前、同時、または後にｐＨ調節をもたらすために、治療剤の付近、上流、または下流に配置することができる。機械式、電気式、または化学式の振動機構を、ｐＨ調節物質を放出させるために使用することもできる。
【実施例１２】
【０３８７】
この研究の目的は、フルチカゾンを用いた鼻ポリープを有する慢性鼻副鼻腔炎の患者の治療を調査することであった。
【０３８８】
鼻ポリープを有する慢性鼻副鼻腔炎の１０９名の患者における３ヵ月の偽薬対照研究において、図３（ａ）および（ｂ）のブレスパワー（商標）送出装置によるフルチカゾン（４００μｇ、１日２回）の投与が、耐用性良好であり、症状および全体としてのポリープスコアの両者の大きな軽減を生み出すと報告された
【０３８９】
標準的な鼻腔スプレー投与における期待と比べて特筆されることに、被験者の２０％近くにおいてポリープの完全な除去が３ヵ月後に報告された。合計のポリープスコアが改善した被験者の割合は、４、８、および１２週間の時点において、偽薬と比べて本投与形態において有意に高かった（それぞれ、２２％対７％、ｐ＝０．０１１、４３％対７％、Ｐ＜０．００１、および５７％対９％、Ｐ＜０．００１）。
【０３９０】
比較的低いベースラインのポリープスコアにもかかわらず、１２週間後に、有効な処置群においては合計のポリープスコアが２．８から１．８に大きく減少した一方で、偽薬群においてはポリープスコアのわずかな増加が見られた（−０．９８対＋０．２３、Ｐ＜０．００１）。
【０３９１】
ピーク鼻吸入流量（ＰＮＩＦ）は、本投与形態による治療の最中に次第に増加した（ｐ＜０．００１）。組み合わせの症状スコア、鼻閉塞、不快、鼻炎の症状、および臭いの感覚作用は、いずれも大きく改善された。
【０３９２】
本投与形態のきわめて大きな進行性の治療効果が、ベースラインのポリープスコアにかかわらずに観測された。以前の洞手術が効能に影響することはなかった。これは、小さなポリープを有する多くの患者におけるポリープの完全な除去に加えて、この研究のブレスパワー（商標）送出装置によって達成される標的場所への付着の改善が、真の臨床的利点につながり、おそらくは手術の必要性を減らすことができることを示唆している。
【実施例１３】
【０３９３】
実施例１２と同じ薬剤−装置の組み合わせ製品を使用し、小規模な偽薬対照研究（Ｎ＝２０）を、ポリープのない術後の治療抵抗性ＣＲＳの患者において実行したところ、客観的指標および自覚症状の両者について臨床的に有意な改善がもたらされた。
【０３９４】
浮腫についての内視鏡スコアが、顕著かつ進行する改善を示した（１２週間（中央値）：本投与形態が−４．０であるのに対し、偽薬は−１．０、ｐ＝０．０１５）。
【０３９５】
ピーク鼻吸入流量（ＰＮＩＦ）は、偽薬と比べたときに本投与形態による治療の最中に有意に増加した（４週間：ｐ＝０．００６；８週間：ｐ＝０．０３）。１２週間後に、本投与形態を受けた群のＭＲＩスコアは、ベースラインに対して改善し（ｐ＝０．０３９）、有意な傾向は偽薬に対して見られなかった。
【０３９６】
鼻ＲＳＯＭ−３１サブスケールも、本投与形態を使用した治療において有意に改善した（４週間：ｐ＝０．００９；８週間：ｐ＝０．０１６、１２週間：ＮＳ）。臭いの感覚、鼻の不快、および組み合わせのスコアが、いずれも有意に改善した（ｐ＜０．０５）。とりわけ、これは、多数の最近の負の偽薬対照試験によって示された状態である。この文脈は、同様の患者サンプルにおける過去のデータとの比較に加えて、ブレスパワー（商標）投与装置の使用が、臨床の実務において優れた鼻の奥への付着（この場合には、中鼻道への到達の改善）を生み出すことができ、したがって臨床反応の改善をもたらすことができることを、やはり示唆している。
【０３９７】
上述のように、本発明は、患者を処置する方法を提供する。処置は、１つ以上のステップを含むことができ、第１のステップは、治療剤の投与を含むことができる。第２のステップは、上述のように、二酸化炭素またはｐＨ調節物質を鼻道の１つ以上の領域にもたらすことを含むことができる。これらのステップの順番は、入れ替え可能であり、したがって第２のステップが第１のステップの前に生じてもよい。また、両方のステップまたはさらなるステップが、同時に生じてもよいと考えられる。
【０３９８】
上述のように、特にはｐＨおよびＮＯ濃度に関する二酸化炭素の効果、ならびに鼻腔内の装置によって生み出される三叉神経および翼口蓋神経節への高い圧力が、特には経口錠剤群において早期の時点で、より高い全体としての奏効率をもたらすと仮定される。
【０３９９】
最後に、本発明が、種々の実施形態において説明されており、添付の特許請求の範囲によって定められる本発明の技術的範囲から離れることなく、多数の様々な方法で変更可能であることを、理解できるであろう。
【０４００】
例えば、本発明をスマトリプタンに関して例示したが、本発明が、リサトリプタン、ナラトリプタン、エレトリプタン、フロバトリプタン、およびゾルミトリプタンなどの他のトリプタン、ならびにカフェイン、フェンタニル、オキシコドン、ヒドロモルフォン、モルヒネ、コデイン、ケトベミドン、コカイン、およびオピオイド全般を有するメシル酸ジヒドロエルゴタミン、マレイン酸エルゴノビン、および酒石酸エルゴタミンを含むエルゴタミンなどの他の鎮痛薬など、多数の他の物質にも適用されることを、理解できるであろう。
【０４０１】
また、本発明は、ミダゾラムなどのベンゾジアゼピンにも適用される。
【０４０２】
さらに、本発明は、例えばアスピリン、イブプロフェン、ナプロキセン、インドメタシン、ジクロフェナク、およびケトプロフェンなどの非ステロイド系抗炎症薬（ＮＳＡＩＤ）に関しても適用される。
【０４０３】
言及された研究の結果から、本発明が、特には１０００ｇ／ｍｏｌを超える分子量を有しており、典型的に経口での生物学的利用率がきわめて低く、多くの場合に１％未満であるたんぱく質およびペプチド、特にはホルモンならびにその誘導体および類似体の投与に関して適用されることが、明らかである。特定の例として、インスリン（類似体および誘導体を含む）、デスモプレシン、およびカルシトニンが挙げられる。他の例として、成長ホルモンならびにその類似体または誘導体、オキシトシンならびにその類似体または誘導体、Ｏｒｅｘｉｎ−Ａ（Ｈｙｐｏｃｒｅｔｉｎ−１）ならびにその類似体または誘導体を含むオレキシン（ヒポクレチン）ならびにその類似体または誘導体が挙げられる。
【０４０４】
またさらには、本発明は、粉末ワクチン、免疫刺激剤、および免疫賦活剤に関しても適用される。
【０４０５】
要約すると、本発明は、分子の以下の広い定義に関して適用される。
【０４０６】
フェンタニル、ミダゾラム、およびオキシコドンなどの比較的敏速な鼻吸収および高い鼻ＢＡを有する小さな分子（＜１０００）。本発明は、先行技術の経鼻投与システムと比べてはるかに迅速なＣＮＳ効果を示し、これは、動脈吸収が静脈吸収よりも約２５％〜５０％大きい動脈および静脈濃度の間の差、動物での研究において約２５％大きくなることが示されているＢＢＢを通過しなければならない海綿静脈洞および頸動脈に生じ得る「逆流」輸送、ならびに嗅神経および三叉神経に沿って生じ得る直接のＮ２Ｂ輸送に起因している可能性がある（Ｅｉｎｅｒ−Ｊｅｎｓｅｎ，Ｎ  ｅｔ  ａｌ，Ｐｈａｒｍａｃｏｌ．Ｔｏｘｉｃｏｌ．，８７（６］），２０００，ｐａｇｅｓ  ２７６  ｔｏ  ２７８、Ｅｉｎｅｒ−Ｊｅｎｓｅｎ，Ｎ  ｅｔ  ａｌ，Ｅｘｐ．Ｂｒａｉｎ  Ｒｅｓ．，１３０（２），２０００，ｐａｇｅｓ  ２１６  ｔｏ  ２２０、およびＤａｌｅ，Ｏ  ｅｔ  ａｌ，Ｉｎｔｒａｎａｓａｌ  Ｍｉｄａｚｏｌａｍ：  ａ  ｃｏｍｐａｒｉｓｏｎ  ｏｆ  ｔｗｏ  ｄｅｌｉｖｅｒｙ  ｄｅｖｉｃｅｓ  ｉｎ  ｈｕｍａｎ  ｖｏｌｕｎｔｅｅｒｓ，Ｊ．Ｐｈａｒｍａｃｙ  ａｎｄ  Ｐｈａｒｍａｃｏｌｏｇｙ，５８，２００６，ｐａｇｅｓ  １３１１  ｔｏ  １３１８）。しかしながら、三叉神経によるＮ２Ｂ輸送および臨床効果は、必ずしも伝統的なＰＫプロフィルに反映されていない。
【０４０７】
スマトリプタンおよびゾルミトリプタンなどの比較的低いＢＡを有する小型および中型サイズの分子。本発明のスマトリプタン粉末に関して、スマトリプタンはＢＢＢを比較的上手く通過しないが、動物における研究が、スマトリプタンが直接的なＮ２Ｂ機構によって脳に直接運ばれる可能性を示唆している（Ｇｌａｄｓｔｏｎｅ，Ｊ  Ｐ，Ｎｅｗｅｒ  ｆｏｒｍｕｌａｔｉｏｎｓ  ｏｆ  ｔｒｉｐｔａｎｓ：  Ａｄｖａｎｃｅｓ  ｉｎ  ｍｉｇｒａｉｎｅ  ｔｒｅａｔｍｅｎｔ，Ｄｒｕｇｓ，６３，２００３，ｐａｇｅｓ  ２２８５  ｔｏ  ２３０５）。本発明は、迅速な吸収および作用の敏速な発現が望まれる場合に特に大事な吸収の増大をもたらす。本発明は、より迅速なＣＮＳ効果を示し、それは生じ得る直接的なＮ２Ｂ取り込み、分子がＢＢＢを通過することができる海綿静脈洞および頸動脈に生じ得る「逆流」輸送、ならびに嗅神経および三叉神経に沿って生じ得る直接的なＮ２Ｂ輸送に起因する可能性がある。
【０４０８】
経鼻のＢＡが低く、典型的には約３〜１５％であり、ＧＩ管における分解ゆえに経口のＢＡがきわめて低く、典型的には１％未満であるペプチドおよびたんぱく質などの大きな分子（＞１０００）。本発明は、粉末処方物の供給において、ペプチドおよびたんぱく質の投与にきわめて適しており、粉末が改善された鼻吸収をもたらすだけでなく、改善された安定性も有することができる。これらの物質に関して、ＣＳＦを介することがない直接の脳構造への嗅神経および三叉神経に沿った専用の輸送機構が存在し得ると仮定される。したがって、ＣＳＦからの測定値は有効物質の存在を示さない可能性があるが、最近の研究（Ｔｈｏｒｎｅ，Ｒ  Ｇ  ｅｔ  ａｌ，Ｄｅｌｉｖｅｒｙ  ｏｆ  ｉｎｓｕｌｉｎ−ｌｉｋｅ  ｇｒｏｗｔｈ  ｆａｃｔｏｒ−ｌ  ｔｏ  ｔｈｅ  ｒａｔ  ｂｒａｉｎ  ａｎｄ  ｓｐｉｎａｌ  ｃｏｒｄ  ａｌｏｎｇ  ｏｌｆａｃｔｏｒｙ  ａｎｄ  ｔｒｉｇｅｍｉｎａｌ  ｐａｔｈｗａｙｓ  ｆｏｌｌｏｗｉｎｇ  ｉｎｔｒａｎａｓａｌ  ａｄｍｉｎｉｓｔｒａｔｉｏｎ，Ｎｅｕｒｏｓｃｉｅｎｃｅ，１２７（２），２００４，ｐａｇｅｓ  ４８１  ｔｏ  ４９６）に例示されるように、実質的な効果が脳において存在でき、臨床効果を奏することができる。
【０４０９】
本発明の原理を、特定の用途についての例示の実施形態を参照して本明細書において説明したが、本発明がそれらに限られるわけではないことを、理解すべきである。当業者であれば、本明細書に提示の教示に鑑みて、いずれも本明細書に記載の実施形態の技術的範囲に包含されるさらなる改良、応用、実施形態、および同等物による置き換えに想到できるであろう。したがって、本発明を、以上の説明によって限定されるものと考えてはならない。
【０４１０】
本明細書において言及されたすべての資料は、それらの全体が本明細書に援用される。援用される刊行物ならびに特許または特許出願が本明細書に含まれる開示と矛盾する限りにおいて、本明細書が矛盾する資料よりも優先する。
【０４１１】
用語「偽薬」は、本明細書において、医薬品の投与を含んでも、含まなくてもよい比較用の投与を指して使用される。しかしながら、そのような「偽薬」処置は、例えば二酸化炭素を鼻へともたらすことにより、医薬品のさらなる投与の有無にかかわらず、それ自身が治療効果を有してもよい。
【図１（ａ）】
2020179191.tif 000003
【図１（ｂ）】
2020179191.tif 000004
【図２（ａ）】
2020179191.tif 000005
【図２（ｂ）】
2020179191.tif 000006
【図３（ａ）】
2020179191.tif 000007
【図３（ｂ）】
2020179191.tif 000008
【図４（ａ）】
2020179191.tif 000009
【図４（ｂ）】
2020179191.tif 000010
【図５】
2020179191.tif 000011
【図６】
2020179191.tif 000012
【図７】
2020179191.tif 000013
【図８】
2020179191.tif 000014
【図９】
2020179191.tif 000015
【図１０】
2020179191.tif 000016
【図１１】
2020179191.tif 000017
【図１２】
2020179191.tif 000018
【図１３】
2020179191.tif 000019
【図１４】
2020179191.tif 000020
【図１５】
2020179191.tif 000021
【図１６】
2020179191.tif 000022
【図１７】
2020179191.tif 000023
【図１８】
2020179191.tif 000024
【図１９】
2020179191.tif 000025
【図２０】
2020179191.tif 000026
【図２１】
2020179191.tif 000027
【図２２】
2020179191.tif 000028
【図２３】
2020179191.tif 000029
【図２４】
2020179191.tif 000030
【図２５】
2020179191.tif 000031
【図２６】
2020179191.tif 000032
【図２７】
2020179191.tif 000033
【図２８】
2020179191.tif 000034
【図２９】
2020179191.tif 000035
【図３０】
2020179191.tif 000036
【図３１】
2020179191.tif 000037
【図３２】
2020179191.tif 000038
【図３３】
2020179191.tif 000039
【図３４】
2020179191.tif 000040
【図３５】
2020179191.tif 000041
【図３６】
2020179191.tif 000042
【図３７】
2020179191.tif 000043
【図３８】
2020179191.tif 000044
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
患者を治療的に処置する方法またはそのための装置であって、
第１のステップにおける治療薬の投与、またはそのための手段と、
第２のステップにおける患者の鼻道の内部の位置への治療量の二酸化炭素またはｐＨ調節物質の少なくとも一方の配送、またはそのための手段と
を含んでおり、
前記第１のステップは、前記第２のステップの前、前記第２のステップの後、前記第２のステップの前後、および前記第２のステップと同時のうちの少なくとも１つにおいて実行される、方法または装置。
【請求項２】
前記第１のステップは、前記第２のステップの前に実行される、請求項１に記載の方法または装置。
【請求項３】
前記第１のステップは、前記第２のステップの後に実行される、請求項１に記載の方法または装置。
【請求項４】
前記第２のステップは、前記第１のステップの前および後の両方ならびに前記第１のステップと同時のうちの少なくとも１つにおいて実行される、請求項１に記載の方法または装置。
【請求項５】
前記位置は、鼻道の上後領域を含む、請求項１に記載の方法または装置。
【請求項６】
前記治療薬は、随意によりスマトリプタンであり、随意によりコハク酸スマトリプタンの形態であり、随意により粉末エアロゾルとして投与される、トリプタンを含む、請求項１に記載の方法または装置。
【請求項７】
前記治療薬は、３０ｍｇ以下、随意により２５ｍｇ以下、随意により２０ｍｇ以下の量にて、随意により毎日配送される、請求項６に記載の方法または装置。
【請求項８】
カプセルは、各々が７〜１５ｍｇ、随意により１０〜１２ｍｇ、随意により約１１ｍｇのフリーベースのスマトリプタンを含み、随意により各々が５〜１０ｍｇ、随意により６〜９ｍｇ、随意により７〜９ｍｇ、随意により約８ｍｇの平均投与量をもたらす、請求項６に記載の方法または装置。
【請求項９】
前記投与、またはそのための手段は、第１のカプセルから第１の鼻孔へと第１の１回分の治療薬を配送し、その後に第２のカプセルから第２の鼻孔へと第２の１回分の治療薬を配送することを含む、請求項１に記載の方法または装置。
【請求項１０】
前記治療薬は、随意によりフルチカゾンであり、随意によりプロピオン酸フルチカゾンの形態であり、随意により液体エアロゾルとして投与される、局所ステロイドを含む、請求項１に記載の方法または装置。
【請求項１１】
前記治療薬は、少なくとも毎日７５μｇ、少なくとも毎日１００μｇ、少なくとも毎日２００μｇ、少なくとも毎日４００μｇ、または少なくとも毎日８００μｇの量にて配送され、随意により２回の投与にて、随意により少なくとも３７．５μｇを１日に２回、少なくとも５０μｇを１日に２回、少なくとも１００μｇを１日に２回、随意により２００μｇを１日に２回、または少なくとも４００μｇを１日に２回にて配送される、請求項１０に記載の方法または装置。
【請求項１２】
前記配送、またはそのための手段は、
マウスピースを患者の口へと配置し、前記マウスピースに連通したノーズピースを患者の鼻孔へと配置することと、
患者が前記マウスピースへと息を吐き出し、前記ノーズピースから出る流体の流れを生成することと
を含み、
経鼻投与されるときの前記治療薬は、前記配送によらずに経鼻投与されるときの５０μｇの前記治療薬の全身バイオアベイラビリティと比べて同等またはそれ以下の全身バイオアベイラビリティまたは薬物動態（ＰＫ）プロフィルを有する、請求項１０に記載の方法または装置。
【請求項１３】
前記第２のステップは、前記鼻道の位置におけるｐＨを、約０．０１〜約０．５ｐＨ単位の範囲の量だけ調節する、請求項１に記載の方法または装置。
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
患者の頭痛や偏頭痛を治療的に処置するための治療薬であって、
前記治療薬は、第１のステップにおいて、マウスピース及びノーズピースを備える送出装置によって２０ｍｇ以下の量で配送されて投与され、かつ、
第２のステップにおいて、前記マウスピースが患者の口に配置され、前記ノーズピースが患者の第１の鼻孔に配置されると共に、前記第１の鼻孔内に前記ノーズピースから出る流体の流れが生成されるよう、患者が前記マウスピースに息を吐き出すことにより、患者の第１の鼻道の内部の第１の位置に治療量の二酸化炭素が配送され、
前記二酸化炭素は、前記患者の前記第１の鼻道の内部の前記第１の位置において鼻粘膜のｐＨを降下させ、
前記第１のステップが、前記第２のステップの前または前記第２のステップと同時に実行される、治療薬。
【請求項２】
前記治療薬は、随意によりコハク酸スマトリプタンの形態であり、随意により粉末エアロゾルとして投与される、スマトリプタンを含む、請求項１に記載の治療薬。
【請求項３】
患者の偏頭痛を処置する、請求項１に記載の治療薬。
【請求項４】
前記治療薬は、１１ｍｇの量で配送される、請求項１に記載の治療薬。
【請求項５】
患者の鼻ポリープ、鼻副鼻腔炎又は鼻ポリープを有する若しくは有さない慢性鼻副鼻腔炎を治療的に処置するための治療薬であって、
前記治療薬は、第１のステップにおいて、マウスピース及びノーズピースを備える送出装置によって１００μｇ〜４００μｇの量で配送されて投与され、かつ、
第２のステップにおいて、前記マウスピースが患者の口に配置され、前記ノーズピースが患者の第１の鼻孔に配置されると共に、前記第１の鼻孔内に前記ノーズピースから出る流体の流れが生成されるよう、患者が前記マウスピースに息を吐き出すことにより、患者の第１の鼻道の内部の第１の位置に治療量の二酸化炭素が配送され、
前記二酸化炭素は、前記患者の前記第１の鼻道の内部の前記第１の位置において鼻粘膜のｐＨを降下させ、
前記第１のステップが、前記第２のステップの前または前記第２のステップと同時に実行される、治療薬。
【請求項６】
前記治療薬は、随意によりフルチカゾンの形態であり、随意によりプロピオン酸フルチカゾンであり、随意により液体エアロゾルとして投与される、コルチコステロイドを含む、請求項５に記載の治療薬。
【請求項７】
前記治療薬は、１００μｇ、２００μｇまたは４００μｇの量にて随意により１日に２回配送される、請求項５に記載の治療薬。
【請求項８】
患者の鼻ポリープを有する若しくは有さない慢性鼻副鼻腔炎を処置する、請求項５に記載の治療薬。
【請求項９】
前記第１のステップは、前記第２のステップの前に実行され、または前記第１のステップと同時に実行される、請求項１又は５に記載の治療薬。
【請求項１０】
前記位置は、鼻道の上後領域を含む、請求項１又は５に記載の治療薬。
【請求項１１】
前記第２のステップは、前記位置におけるｐＨを、約０．０１〜約０．５ｐＨ単位の範囲の量だけ降下させ、随意により前記量は、約０．１〜約０．２ｐＨ単位の範囲である、請求項１又は５に記載の治療薬。
【請求項１２】
前記第２のステップにおいて、前記流体の流れを制御することによって前記位置におけるｐＨが降下されることを含み、随意により前記流体の流れの制御は、前記流体の流れの継続時間、流量、圧力、および組成の少なくとも１つを制御することを含み、随意により（i）前記流体の流れの継続時間を約２〜約３秒の範囲となるように制御することを含み、または（ii)前記流体の流れの流量を、少なくとも１０Ｌ／分、随意により少なくとも２０Ｌ／分、および随意により少なくとも３０Ｌ／分に制御することを含む、請求項１又は５に記載の治療薬。
【請求項１３】
前記第２のステップにおいて、前記ノーズピースが患者の第２の鼻孔に配置されると共に、前記ノーズピースから出る第２の流体の流れが生成されるよう、患者が前記マウスピースに息を吐き出すことにより、第２の鼻道の内部の第２の位置に治療量の二酸化炭素が配送され、
前記二酸化炭素は、前記患者の前記第２の鼻道の内部の前記第２の位置において鼻粘膜のｐＨを降下させる、請求項１又は５に記載の治療薬。